(57)【特許請求の範囲】
【請求項１】
機体前面上部域に設けられ繰込み手段により入金紙幣を１枚ずつ機体内へ繰込む入金口と、
この入金口より上方位置に設けられ、出金紙幣中の出金適正紙幣および入金紙幣中の入金リジェクト紙幣としての入金不適正紙幣を受収する出金口と、
前記入金口から機体内へ送り込まれた入金紙幣を搬送するとともに途中に識別部が設けられた紙幣送込み搬送通路と、
機体前面の入金口より下方域に上下に複数段に形成される装着口と、
各々の装着口に機体前面から背部方向に向けて個々に挿入可能とされ、出金用紙幣を背部方向へ押圧して立位整列姿勢に保持する金種別紙幣収納部を各々有する複数個の金種別収納カセットと、
前記紙幣送込み搬送通路の前記識別部により識別された入金適正紙幣中の出金可能紙幣を金種別に区分する紙幣区分通路と、
紙幣区分通路に接続されるとともに各金種別収納カセットの金種別紙幣収納部に臨んで設けられ、金種別に紙幣の繰込みおよび繰出しを行なう金種別繰込み・繰出し機構と、
この金種別繰込み・繰出し機構により繰出すべき収納紙幣と前記金種別繰込み・繰出し機構との間に一時的に紙幣の一時保留空間を形成する金種別一時保留空間形成機構と、
入金承認時に一時保留紙幣を収納せしめる金種別収納作動機構と、
前記紙幣送込み搬送通路の識別部により識別された入金リジェクト紙幣を、前記出金口へ送ってなる入金リジェクト紙幣搬送路と、
前記紙幣送込み搬送通路の識別部により出金紙幣中の出金適正紙幣と識別された紙幣を前記出金口へ送る出金紙幣送出路と、
前記紙幣送込み搬送通路の識別部により出金紙幣中の出金不適正紙幣と識別された紙幣を出金リジェクト紙幣として紙幣送込み搬送通路から分岐する出金リジェクト紙幣分岐手段と、
出金リジェクト紙幣分岐手段により分岐された出金リジェクト紙幣を収納する出金リジェクト紙幣収納部と、
を具備したものにおいて、
前記入金口から機体の背部方向へ入金紙幣を搬送するとともに途中に識別部が設けられた紙幣送込み搬送通路と、
前記紙幣送込み搬送通路の下方に上下に複数段に形成される複数個の金種別収納カセットと、
前記入金口に対し機体の背部方向へ入金紙幣を搬送する前記紙幣送込み搬送通路の前記識別部より後方位置から、複数個の金種別収納カセットの背部域に向けて設けられ、前記紙幣送込み搬送通路から送り込まれる入金適正紙幣中の出金適正紙幣を金種別に区分する紙幣区分通路と、
紙幣区分通路に接続されるとともに各金種別収納カセットの金種別紙幣収納部に臨んで設けられ、金種別に紙幣の繰込みおよび繰出しを行ない、入金モードにおける入金紙幣繰込み時には順方向に、入金モードにおける入金紙幣返却時および出金モード時には逆方向に駆動させる金種別繰込み・繰出し機構と、
紙幣送込み搬送通路、紙幣区分通路の各搬送手段および金種別繰込み・繰出し機構群を、入金モードにおける入金紙幣繰込み時には順方向に、入金モードにおける入金紙幣返却時および出金モード時には逆方向に駆動させる搬送駆動制御部と、
この金種別繰込み・繰出し機構により繰出すべき収納紙幣と前記金種別繰込み・繰出し機構との間に一時的に紙幣の金種別一時保留空間を形成し、入金モードにおける入金紙幣繰込み時には金種別繰込み・繰出し機構の順方向駆動により入金紙幣を金種別一時保留空間に一時保留してなり、入金モードにおける入金承認時は金種別一時保留紙幣を金種別収納カセットの金種別紙幣収納部に収納し、入金モードにおける入金紙幣返却時は、金種別繰込み・繰出し機構の逆方向駆動により、金種別一時保留空間に一時保留されていた紙幣を紙幣区分通路へ送出してなる金種別一時保留空間形成機構と、
入金口に対し前記紙幣送込み搬送通路における前記識別部より後方位置から、もしくはそれに続く紙幣区分通路から分岐して上方へ向かい、前記紙幣送込み搬送通路の上部を通って前記出金口へ紙幣を送る入金リジェクト紙幣搬送路と、
入金口に対し前記紙幣送込み搬送通路における識別部より前方位置から上方へ分岐し、出金紙幣中の出金適正紙幣を前記出金口へ送る出金紙幣送出路と、
入金口に対し前記紙幣送込み搬送通路における識別部より前方位置から分岐され、出金紙幣中の出金不適正紙幣を出金リジェクト紙幣として下方向へ分岐する出金リジェクト紙幣分岐手段と、
出金リジェクト紙幣分岐手段により分岐された出金リジェクト紙幣を収納する出金リジェクト紙幣収納部を有し、この出金リジェクト紙幣収納部が、金種別紙幣収納部に対する前側位置に形成された最上段の金種別収納カセットと、
を具備することを特徴とする循環式紙幣入出金機。
【請求項２】
前記搬送駆動制御部が、入金紙幣中の識別不能紙幣および入金オーバーフロー紙幣を前記入金リジェクト紙幣搬送路を通じ入金リジェクト紙幣として出金口へ送るように駆動制御してなる請求項１記載の循環式紙幣入出金機。
【請求項３】
前記紙幣送込み搬送通路が、入金口に対し前記識別部より後方位置に表裏反転合流通路部を有し、この表裏反転合流通路部の末端が前記紙幣区分通路に接続されている請求項１記載の循環式紙幣入出金機。
【請求項４】
金種別繰込み・繰出し機構が、キッカローラと、フィードローラと、ゲート部材と、フィードローラおよびゲート部材の設けられる一時保留空間入口部の繰込み紙幣搬送域と交差状態の待機位置で帯動される自由変形可能な無端ベルトとを具備し、この無端ベルトは紙幣繰込み時は繰込み紙幣で押動されて待機位置から一時保留空間内へ進入し、既に繰込み済の紙幣と繰込み中の紙幣の間に介在して繰込み済の紙幣の後端縁と繰込み中の紙幣先端縁との衝突を防ぎ、繰込み中の紙幣の繰込み終了後に一時保留空間から脱出して待機位置に復帰し、紙幣繰出し時は繰出し紙幣で押動されて紙幣繰出し側へ変位し紙幣の繰出しの障害にならないようにされている請求項１記載の循環式紙幣入出金機。
【請求項５】
機体前面上部域に設けられ繰込み手段により入金紙幣を１枚ずつ機体内へ繰込む入金口と、
この入金口より上方位置に設けられ、出金紙幣中の出金適正紙幣および入金紙幣中の入金リジェクト紙幣としての入金不適正紙幣を受収する出金口と、
前記入金口から機体内へ送り込まれた入金紙幣を搬送するとともに途中に識別部が設けられた紙幣送込み搬送通路と、
機体前面の入金口より下方域に上下に複数段に形成される装着口と、
各々の装着口に機体前面から背部方向に向けて個々に挿入可能とされ、出金用紙幣を背部方向へ押圧して立位整列姿勢に保持する金種別紙幣収納部を各々有する複数個の金種別収納カセットと、
前記紙幣送込み搬送通路の前記識別部により識別された入金適正紙幣中の出金可能紙幣を金種別に区分する紙幣区分通路と、
紙幣区分通路に接続されるとともに各金種別収納カセットの金種別紙幣収納部に臨んで設けられ、金種別に紙幣の繰込みおよび繰出しを行なう金種別繰込み・繰出し機構と、
この金種別繰込み・繰出し機構により繰出すべき収納紙幣と前記金種別繰込み・繰出し機構との間に一時的に紙幣の一時保留空間を形成する金種別一時保留空間形成機構と、
入金承認時に一時保留紙幣を収納せしめる金種別収納作動機構と、
前記紙幣送込み搬送通路の識別部により識別された入金リジェクト紙幣を、前記出金口へ送ってなる入金リジェクト紙幣搬送路と、
前記紙幣送込み搬送通路の識別部により出金紙幣中の出金適正紙幣と識別された紙幣を前記出金口へ送る出金紙幣送出路と、
前記紙幣送込み搬送通路の識別部により出金紙幣中の出金不適正紙幣と識別された紙幣を出金リジェクト紙幣として紙幣送込み搬送通路から分岐する出金リジェクト紙幣分岐手段と、
出金リジェクト紙幣分岐手段により分岐された出金リジェクト紙幣を収納する出金リジェクト紙幣収納部と、
を具備したものにおいて、
前記入金口から機体の背部方向へ入金紙幣を搬送するとともに途中に識別部が設けられた紙幣送込み搬送通路と、
上下に複数段に形成される各金種別収納カセット用の前記装着口に対し、上下に複数段に形成される前記装着口の一つが金種別収納カセットと共用されるか、或いは上下方向にさらに段数が増やされて形成された一括収納カセット用装着口と、
上下に複数段に形成される全ての装着口に対し、機体前面から背部方向に向けて個々に挿入される一括収納カセットおよび複数個の金種別収納カセットで構成し、一括収納カセットは紙幣のカセット補充、カセット回収、入金適正紙幣中の出金不適正紙幣の収納を行い、複数個の金種別収納カセットは、出金紙幣を収納してなり、そのため各収納カセットは紙幣を背部方向へ押圧して立位整列姿勢に保持する紙幣収納部を有し、全ての各収納カセットが前記紙幣送込み搬送通路の下方に形成されてなる複数個の収納カセットと、
前記入金口に対し機体の背部方向へ入金紙幣を搬送する前記紙幣送込み搬送通路の前記識別部より後方位置から、複数個の金種別収納カセットの背部域に向けて設けられ、前記紙幣送込み搬送通路から送り込まれる入金適正紙幣中の出金適正紙幣を金種別に区分する紙幣区分通路と、
紙幣区分通路に接続されるとともに各金種別収納カセットの金種別紙幣収納部に臨んで設けられ、金種別に紙幣の繰込みおよび繰出しを行ない、入金モードにおける入金紙幣繰込み時には順方向に、入金モードにおける入金紙幣返却時および出金モード時には逆方向に駆動させる金種別繰込み・繰出し機構と、
この金種別繰込み・繰出し機構により繰出すべき収納紙幣と前記金種別繰込み・繰出し機構との間に一時的に紙幣の金種別一時保留空間を形成し、入金モードにおける入金紙幣繰込み時には金種別繰込み・繰出し機構の順方向駆動により入金紙幣を金種別一時保留空間に一時保留してなり、入金モードにおける入金承認時は金種別一時保留紙幣を金種別収納カセットの金種別紙幣収納部に収納し、入金モードにおける入金紙幣返却時は、金種別繰込み・繰出し機構の逆方向駆動により、金種別一時保留空間に一時保留されていた紙幣を紙幣区分通路へ送出してなる金種別一時保留空間形成機構と、
入金口に対し前記紙幣送込み搬送通路における前記識別部より後方位置から、もしくはそれに続く紙幣区分通路から分岐して上方へ向かい、前記紙幣送込み搬送通路の上部を通って前記出金口へ紙幣を送る入金リジェクト紙幣搬送路と、
入金口に対し前記紙幣送込み搬送通路における識別部より前方位置から上方へ分岐し、出金紙幣中の出金適正紙幣を前記出金口へ送る出金紙幣送出路と、
入金口に対し前記紙幣送込み搬送通路における識別部より前方位置から分岐され、出金紙幣中の出金不適正紙幣を出金リジェクト紙幣として下方向へ分岐する出金リジェクト紙幣分岐手段と、
出金リジェクト紙幣分岐手段により分岐された出金リジェクト紙幣を収納する出金リジェクト紙幣収納部を有し、この出金リジェクト紙幣収納部が、最上段の収納カセットの紙幣収納部に対する前側位置に形成された構成としてなる最上段の収納カセットと、
入金口に対し前記紙幣送込み搬送通路における識別部より後方位置から、もしくはそれに続く紙幣区分通路から分岐され、入金適正紙幣中の出金不適正紙幣を出金不使用紙幣として搬送する出金不使用紙幣分岐通路と、
出金不使用紙幣分岐通路に接続されるとともに一括収納カセットの一括収納紙幣収納部に臨んで設けられ、紙幣の繰込みおよび繰出しを行なう一括収納紙幣用繰込み・繰出し機構と、
一括収納紙幣収納部の収納紙幣と一括収納紙幣用繰込み・繰出し機構との間に一時的に紙幣の一時保留空間を形成せしめる一括収納紙幣用一時保留空間形成機構と、
入金承認時に一括一時保留紙幣を収納せしめる一括収納紙幣用収納作動機構と、
入金モードにおける入金紙幣繰込み時、入金モードにおける入金紙幣返却時、出金モード時、カセット補充モード時、カセット回収モード時に、各モードにあわせて紙幣送込み搬送通路、紙幣区分通路、出金不使用紙幣分岐通路の各搬送手段および一括収納紙幣用繰込み・繰出し機構ならびに各金種別繰込み・繰出し機構を順方向または逆方向に駆動させる搬送駆動制御部と、
入金リジェクト紙幣搬送路の途中位置を、出金不使用紙幣分岐通路、紙幣区分通路、あるいは紙幣送込み搬送通路における入金口に対する入金リジェクト紙幣搬送路の分岐位置より後方位置のいずれかとを接続し、カセット補充モード時およびカセット回収モード時に紙幣の順方向および逆方向のバイパス搬送を可能とするバイパス通路と、
を具備することを特徴とする循環式紙幣入出金機。
【請求項６】
複数個の収納カセットのうち一括収納カセットを最上段に配置させるとともにそのカセットの一括収納紙幣収納部の前側位置に前記出金リジェクト紙幣収納部を形成し、前記バイパス通路は、紙幣送込み搬送通路における入金口に対する入金リジェクト紙幣搬送路の分岐位置より後方位置と入金リジェクト紙幣搬送路の途中位置とを接続してなる請求項５記載の循環式紙幣入出金機。
【請求項７】
金種別一時保留空間形成機構は金種別収納作動機構と共用とし、また一括収納紙幣用一時保留空間形成機構は一括収納紙幣用収納作動機構と共用とした請求項１または５記載の循環式紙幣入出金機。
【請求項８】
金種別繰込み・繰出し機構および一括収納紙幣用繰込み・繰出し機構の各々が、キッカローラと、フィードローラと、ゲート部材と、フィードローラおよびゲート部材の設けられる一時保留空間入口部の繰込み紙幣搬送域に交差状態の待機位置で帯動される自由変形可能な無端ベルトとを具備し、この無端ベルトは紙幣繰込み時は繰込み紙幣で押動されて待機位置から一時保留空間内へ進入し、既に繰込み済の紙幣と繰込み中の紙幣の間に介在して繰込み済の紙幣の後端縁と繰込み中の紙幣先端縁との衝突を防ぎ、繰込み中の紙幣の繰込み終了後に一時保留空間から脱出して待機位置に復帰し、紙幣繰出し時は繰出し紙幣で押動されて紙幣繰出し側へ変位し、紙幣の繰出しの障害にならないようにされている請求項５記載の循環式紙幣入出金機。
【請求項９】
前記紙幣送込み搬送通路が、前記識別部より入金口に対する後方位置に表裏反転合流通路部を有し、この表裏反転合流通路部の末端を前記紙幣区分通路に接続してなり、前記バイパス通路は前記表裏反転合流通路部の前記識別部側域と入金リジェクト紙幣搬送路とを接続してなる請求項６記載の循環式紙幣入出金機。
【請求項１０】
上下に複数段に形成される装着口のうち、最上段の装着口は、紙幣のカセット補充、カセット回収、入金適正紙幣中の出金不適正紙幣の収納を行う一括収納カセットか金種別出金紙幣を収納する金種別収納カセットが選択的に装着可能とするとともに、
最上段の装着口へ挿入される収納カセットが一括収納カセットか金種別カセットかの切換を行うカセット態様切換手段を備え、
最上第に対応する最上段用繰込み・繰出し機構、最上段用一時保留空間形成機構、最上段用紙幣区分通路部域、バイパス通路、搬送駆動制御部は、挿入される収納カセットが一括収納カセットの場合は、カセット補充とカセット回収のための紙幣の繰出しと繰込みと入金時の入金適正紙幣中の出金不使用紙幣の繰込みに対応する動作をし、挿入される収納カセットが金種別カセットの場合は、それ以外の金種別カセットに対応する金種別繰込み・繰出し機構、金種別一時保留空間形成機構、金種別紙幣区分通路部域と同じ動作をしてなる
ことを特徴とする請求項５記載の循環式紙幣入出金機。
【発明の詳細な説明】
【０００１】
【産業上の利用分野】
本発明は入金紙幣を出金紙幣として使用する循環式紙幣入出金機に関する。
【０００２】
【従来の技術】
入金紙幣を出金紙幣として使用する循環式紙幣入出金機として従来特公平３−３３６１６号公報に記載のものがある。
【０００３】
この公報に記載の循環式紙幣入出金機は、機体の前面に入金口が設けられ、この入金口から後方へ延びて途中に識別部が設けられる紙幣送込み搬送通路（このものではこの通路に表裏反転合流通路部も備えており、また識別部については入金用と出金用の別々の識別部を備える場合と入金用と出金用で識別部の一部または全部を共用する場合がある。）その末端から下方へ向かい、前後方向に設けられる入金紙幣分類通路、この分類通路の下部にそって機体の前後方向に設けられる種類別（金種別と、損券およびオーバーフロー券用の一括）入金紙幣一時保留部、その下部に臨み機体の前後方向に配列される種類別収納部、この収納部のうち出金用収納部の下部に設けられる繰出し部、前記種類別収納部の下部にそって機体の前後方向に設けられ前記繰出し部から繰出される紙幣を搬送する水平出金搬送路、この搬送路に続き最前位の収納部の前側位置から上方に延び、前記紙幣送込み搬送通路に接続される垂直出金搬送路、前記紙幣送込み搬送通路の後部端から上方へ向かい、紙幣送込み搬送通路の上部を通って前方へ延びる紙幣放出通路を備え、前記入金口の上部位置で前記紙幣放出通路の末端に設けられる出金口を具有する構成となっている。
【０００４】
上記の構成により、▲１▼入金口からの入金繰込み紙幣の識別と出金紙幣の識別とを共通の紙幣送込み搬送通路により識別することができるので、紙幣識別通路の構成が入金識別、出金識別を別個の通路で行なうものに比して簡略化ができる。▲２▼入金口と出金口とを別々とすることにより、入金紙幣繰込み中の入金リジェクト紙幣（識別不能紙幣、偽紙幣、連鎖状態での入金紙幣、損傷のひどい紙幣等）は機械操作者が出金口から何時でも取出して確認ができ、入金紙幣繰込み終了時に直ちに入金承認、入金不承認の操作に移ることができる。すなわち入金口と出金口が一緒である場合は、入金口の紙幣が全てなくなった段階で他の場所に保管していた入金リジェクト紙幣を入金口へ送り出すことになり、その送り出された入金リジェクト紙幣を機械操作者が確認したのち入金の承認・不承認の操作に移ることになって時間が掛ることになる。▲３▼出金時は、紙幣送込み搬送通路で出金不適正紙幣をチェックして出金リジェクト紙幣としてリジェクトし、出金口へは送られない。という作用効果を有している。
【０００５】
【発明が解決しようとする課題】
上記従来の循環式紙幣入出金機は、前述のような利点を有する反面、▲４▼紙幣搬送通路が多く存在し、そのため複雑な搬送路構成となっていること、▲５▼入金一時保留紙幣の自動返却ができないこと、▲６▼種類別収納部が機体の前部側から背部側へ配列されているので、機械の前面側へ引出せる引出し枠体上に収納部を前後方向に並べて搭載し、この引出し枠体を機体の前方へ引出したのち収納部を引出し枠体から上方へ抜き出すことにより脱着することになり、その結果種類別収納部の機体に対する装填や取出しがやりにくいことなどの種々の問題点があった。
【０００６】
そこで上記問題点の解決策として、搬送系の正転で入金、逆転で出金が行なえるようにすれば、搬送系、出金繰出し系の構成が著しく簡略化することができることに着目した。このように正，逆転させることにより搬入，搬出するようにしたものとして特公昭６４−５３５６号公報に示されるものがある。
【０００７】
しかるに上記公報に記載の技術は、出金時の出金リジェクト紙幣は出金すべき紙幣と一緒に出金口へ送られ、正規の出金紙幣も出金リジェクト紙幣も共にリジェクト部（出金口の下部）へ排出したのち再度出金繰出しするものであり、また入金時における入金紙幣の一時保留機能はない。さらに収納部は機体の背部にあって機体前面側への引出しができない構造である。それ故この機械では、前述の▲５▼，▲６▼の問題点の解決はできない。
【０００８】
本発明はこれに鑑み、上記従来技術が有する利点はそのままに従来技術の問題点をすべて解消することができる循環式紙幣入出金機を提供すること、換言すれば、▲１▼入金口からの入金繰込み紙幣の識別と出金紙幣の識別とを共通の紙幣送込み搬送通路により識別することができること、▲２▼入金口と出金口とを別々とし、入金紙幣繰込み中の入金リジェクト紙幣を機械操作者が出金口から何時でも取出して確認することができること、▲３▼出金時は紙幣送込み搬送通路で出金不適正紙幣をチェックして出金リジェクト紙幣としてリジェクトし、出金口へは送らないこと、▲４▼紙幣搬送通路の通路構成の簡略化を図ること、▲５▼入金一時保留紙幣の自動返却ができること、▲６▼各種類別収納部を機体前面側から直接機体に対して装着および取出しができるようにし、各種類別収納部の機体に対する装着や取り出しをやりやすくすること、の６項目の課題をすべて解決することのできる循環式紙幣入出金機を提供することを第１の目的とする。
【０００９】
また、この種の循環式紙幣入出金機を使用する銀行等の金融機関においては、業務終業時に種類別収納部をすべて機体から抜きとって精算管理所へ回収し、翌日の業務始業時には精算管理所においてそれらの収納部のうち出金に使用する収納部については紙幣の補充を行なったのち他の収納部も含めすべての収納部を精算管理所から機体の置かれている処へ持参して装着するようになっている。ところがこうした補充・回収方法を望む金融機関ばかりではない。特に出金に使用する収納部が多いと運搬する収納部の数が多くなり、運搬作業が大変な作業となる。そこで終業時には複数の収納部の紙幣を一個の一括収納部へ回収収納せしめ、この一括収納部のみを機体から抜きとって精算管理所へ運搬して回収し、翌日の始業時にはその一括収納部に出金用の紙幣を複数金種分収納せしめて機体の処まで運び、この一括収納部を機体に装着して機体内の出金用の各収納部へ補充せしめるといった補充・回収方法を望む金融機関もある。
【００１０】
こうした要望に応えるためには「（７）一括収納部を設け、これを機体前面側から直接機体に対して装着や取出しができるようにすること」という課題を解決する必要があり、この場合でも保守・点検等のやりやすさの点から前述の（６）各種類別収納部を機体前面側から直接機体に対して装着や取出しができるようにし、各種類別収納部の機体に対する装着や取り出しをやりやすくすることの課題の解決も望まれる。
【００１１】
それ故、前述の▲１▼〜▲７▼のすべての課題を解決した循環式紙幣入出金機を提供することを第２の目的とする。
【００１２】
また循環式紙幣入出金機を製造・販売するメーカーの立場からすると「種類別収納部をすべて機体から抜きとって回収する方式の機械」と「一括収納部のみを機体から抜きとって回収する方式の機械」を金融機関の要望に合わせて製造・販売することは、製造面、管理面で多大の煩雑さと手間を要する。そこで「▲８▼両方式を切換えにより一台の機械で可能にしたい」という課題が生まれ、前述の▲１▼〜▲８▼のすべての課題を解決した循環式紙幣入出金機を提供することを第３の目的としている。
【００１３】
上記従来の技術が有する問題点を解決し、第１の目的を達成する手段が〔請求項１〕に記載の発明であり、この発明は、
機体前面上部域に設けられ繰込み手段により入金紙幣を１枚ずつ機体内へ繰込む入金口と、
この入金口より上方位置に設けられ、出金紙幣中の出金適正紙幣および入金紙幣中の入金リジェクト紙幣としての入金不適正紙幣を受収する出金口と、
前記入金口から機体内へ送り込まれた入金紙幣を搬送するとともに途中に識別部が設けられた紙幣送込み搬送通路と、
機体前面の入金口より下方域に上下に複数段に形成される装着口と、
各々の装着口に機体前面から背部方向に向けて個々に挿入可能とされ、出金用紙幣を背部方向へ押圧して立位整列姿勢に保持する金種別紙幣収納部を各々有する複数個の金種別収納カセットと、
前記紙幣送込み搬送通路の前記識別部により識別された入金適正紙幣中の出金可能紙幣を金種別に区分する紙幣区分通路と、
紙幣区分通路に接続されるとともに各金種別収納カセットの金種別紙幣収納部に臨んで設けられ、金種別に紙幣の繰込みおよび繰出しを行なう金種別繰込み・繰出し機構と、
この金種別繰込み・繰出し機構により繰出すべき収納紙幣と前記金種別繰込み・繰出し機構との間に一時的に紙幣の一時保留空間を形成する金種別一時保留空間形成機構と、
入金承認時に一時保留紙幣を収納せしめる金種別収納作動機構と、
前記紙幣送込み搬送通路の識別部により識別された入金リジェクト紙幣を、前記出金口へ送ってなる入金リジェクト紙幣搬送路と、
前記紙幣送込み搬送通路の識別部により出金紙幣中の出金適正紙幣と識別された紙幣を前記出金口へ送る出金紙幣送出路と、
前記紙幣送込み搬送通路の識別部により出金紙幣中の出金不適正紙幣と識別された紙幣を出金リジェクト紙幣として紙幣送込み搬送通路から分岐する出金リジェクト紙幣分岐手段と、
出金リジェクト紙幣分岐手段により分岐された出金リジェクト紙幣を収納する出金リジェクト紙幣収納部と、
を具備したものにおいて、
前記入金口から機体の背部方向へ入金紙幣を搬送するとともに途中に識別部が設けられた紙幣送込み搬送通路と、
前記紙幣送込み搬送通路の下方に上下に複数段に形成される複数個の金種別収納カセットと、
前記入金口に対し機体の背部方向へ入金紙幣を搬送する前記紙幣送込み搬送通路の前記識別部より後方位置から、複数個の金種別収納カセットの背部域に向けて設けられ、前記紙幣送込み搬送通路から送り込まれる入金適正紙幣中の出金適正紙幣を金種別に区分する紙幣区分通路と、
紙幣区分通路に接続されるとともに各金種別収納カセットの金種別紙幣収納部に臨んで設けられ、金種別に紙幣の繰込みおよび繰出しを行ない、入金モードにおける入金紙幣繰込み時には順方向に、入金モードにおける入金紙幣返却時および出金モード時には逆方向に駆動させる金種別繰込み・繰出し機構と、
紙幣送込み搬送通路、紙幣区分通路の各搬送手段および金種別繰込み・繰出し機構群を、入金モードにおける入金紙幣繰込み時には順方向に、入金モードにおける入金紙幣返却時および出金モード時には逆方向に駆動させる搬送駆動制御部と、
この金種別繰込み・繰出し機構により繰出すべき収納紙幣と前記金種別繰込み・繰出し機構との間に一時的に紙幣の金種別一時保留空間を形成し、入金モードにおける入金紙幣繰込み時には金種別繰込み・繰出し機構の順方向駆動により入金紙幣を金種別一時保留空間に一時保留してなり、入金モードにおける入金承認時は金種別一時保留紙幣を金種別収納カセットの金種別紙幣収納部に収納し、入金モードにおける入金紙幣返却時は、金種別繰込み・繰出し機構の逆方向駆動により、金種別一時保留空間に一時保留されていた紙幣を紙幣区分通路へ送出してなる金種別一時保留空間形成機構と、
入金口に対し前記紙幣送込み搬送通路における前記識別部より後方位置から、もしくはそれに続く紙幣区分通路から分岐して上方へ向かい、前記紙幣送込み搬送通路の上部を通って前記出金口へ紙幣を送る入金リジェクト紙幣搬送路と、
入金口に対し前記紙幣送込み搬送通路における識別部より前方位置から上方へ分岐し、出金紙幣中の出金適正紙幣を前記出金口へ送る出金紙幣送出路と、
入金口に対し前記紙幣送込み搬送通路における識別部より前方位置から分岐され、出金紙幣中の出金不適正紙幣を出金リジェクト紙幣として下方向へ分岐する出金リジェクト紙幣分岐手段と、
出金リジェクト紙幣分岐手段により分岐された出金リジェクト紙幣を収納する出金リジェクト紙幣収納部を有し、この出金リジェクト紙幣収納部が、金種別紙幣収納部に対する前側位置に形成された最上段の金種別収納カセットと、
を具備するものである。
出金リジェクト紙幣収納部を機械に内蔵する構造にすると、各金種別カセットの運搬時にこの出金リジェクト紙幣収納部内の出金リジェクト紙幣を取り出して各金種別カセットと一緒に運搬することになり、運搬者が盗んだり紛失したりすることが発生する。そこでこの出金リジェクト紙幣収納部を専用カセットにすればよいが、これによると運搬するカセット数が増え、運搬が容易でなくなる。〔請求項１〕に記載の発明は、この問題点を解決したものであり、前記複数個の金種別収納カセットのうち最上段の金種別収納カセットの金種別紙幣収納部の前面側域に前記出金リジェクト紙幣収納部を形成したものである。
【００１４】
ところでこの循環式紙幣入出金機は、設置場所、稼動時間帯等によって入金紙幣量が出金紙幣量より極端に多くなることがある。これに対処するためには、入金紙幣を受入れる金種別収納カセットの紙幣収納量を増やせばよいが、こうすると機械が大型化する。そこで入金紙幣を受入れる金種別収納カセットのいずれかの紙幣収納量が満杯になると機械をダウンさせるようにする方法も考えられるが、機械を作動状態に戻すまでに時間がかかり、業務遅滞に陥ってしまう。
【００１５】
〔請求項２〕に記載の発明は〔請求項１〕の発明において上記の問題点を解決したもので、
前記搬送駆動制御部が、入金紙幣中の識別不能紙幣および入金オーバーフロー紙幣を前記入金リジェクト紙幣搬送路を通じ入金リジェクト紙幣として出金口へ送るように駆動制御するようにしたものである。
【００１８】
また〔請求項３〕に記載の発明は、〔請求項１〕の発明において、前記紙幣送込み搬送通路が、前記識別部より入金口に対する後方位置に表裏反転合流通路部を有し、この表裏反転合流通路部の末端を前記紙幣区分通路に接続したものである。すなわち金種別カセットへ収納させる紙幣の表裏を揃えて収納するようにし、その結果出金口へ送り出される出金紙幣は表裏の向きが揃った状態となり、その出金紙幣を受取る利用者に好印象を与えるようにしたものである。
【００１９】
ところで〔請求項１〕において、金種別繰込み・繰出し機構は紙幣の繰出し時（逆方向駆動時）に確実に紙幣を１枚ずつ繰出す機能を有するだけでなく、紙幣の繰込み時（順方向駆動時）は繰込み済紙幣の後端縁と繰込み中の紙幣の先端縁の衝突を防ぎ、繰込み順に紙幣を整列集積させる機能が必要である。そのためには紙幣端縁衝突防止手段が必要であるが、この手段が紙幣の繰出しに障害を及ぼさないことが要求される。
【００２０】
こうした要求に応えたものが〔請求項４〕に記載の発明であり、〔請求項１〕の発明において、金種別繰込み・繰出し機構が、キッカローラと、フィードローラと、ゲート部材と、フィードローラおよびゲート部材の設けられる一時保留空間入口部の繰込み紙幣搬送域と交差状態の待機位置で帯動される自由変形可能な無端ベルトとを具備したものである。
【００２１】
また従来の技術が有する問題点を解決し、第２の目的を達成する手段が〔請求項５〕に記載の発明であり、この発明は、
機体前面上部域に設けられ繰込み手段により入金紙幣を１枚ずつ機体内へ繰込む入金口と、
この入金口より上方位置に設けられ、出金紙幣中の出金適正紙幣および入金紙幣中の入金リジェクト紙幣としての入金不適正紙幣を受収する出金口と、
前記入金口から機体内へ送り込まれた入金紙幣を搬送するとともに途中に識別部が設けられた紙幣送込み搬送通路と、
機体前面の入金口より下方域に上下に複数段に形成される装着口と、
各々の装着口に機体前面から背部方向に向けて個々に挿入可能とされ、出金用紙幣を背部方向へ押圧して立位整列姿勢に保持する金種別紙幣収納部を各々有する複数個の金種別収納カセットと、
前記紙幣送込み搬送通路の前記識別部により識別された入金適正紙幣中の出金可能紙幣を金種別に区分する紙幣区分通路と、
紙幣区分通路に接続されるとともに各金種別収納カセットの金種別紙幣収納部に臨んで設けられ、金種別に紙幣の繰込みおよび繰出しを行なう金種別繰込み・繰出し機構と、
この金種別繰込み・繰出し機構により繰出すべき収納紙幣と前記金種別繰込み・繰出し機構との間に一時的に紙幣の一時保留空間を形成する金種別一時保留空間形成機構と、
入金承認時に一時保留紙幣を収納せしめる金種別収納作動機構と、
前記紙幣送込み搬送通路の識別部により識別された入金リジェクト紙幣を、前記出金口へ送ってなる入金リジェクト紙幣搬送路と、
前記紙幣送込み搬送通路の識別部により出金紙幣中の出金適正紙幣と識別された紙幣を前記出金口へ送る出金紙幣送出路と、
前記紙幣送込み搬送通路の識別部により出金紙幣中の出金不適正紙幣と識別された紙幣を出金リジェクト紙幣として紙幣送込み搬送通路から分岐する出金リジェクト紙幣分岐手段と、
出金リジェクト紙幣分岐手段により分岐された出金リジェクト紙幣を収納する出金リジェクト紙幣収納部と、
を具備したものにおいて、
前記入金口から機体の背部方向へ入金紙幣を搬送するとともに途中に識別部が設けられた紙幣送込み搬送通路と、
上下に複数段に形成される各金種別収納カセット用の前記装着口に対し、上下に複数段に形成される前記装着口の一つが金種別収納カセットと共用されるか、或いは上下方向にさらに段数が増やされて形成された一括収納カセット用装着口と、
上下に複数段に形成される全ての装着口に対し、機体前面から背部方向に向けて個々に挿入される一括収納カセットおよび複数個の金種別収納カセットで構成し、一括収納カセットは紙幣のカセット補充、カセット回収、入金適正紙幣中の出金不適正紙幣の収納を行い、複数個の金種別収納カセットは、出金紙幣を収納してなり、そのため各収納カセットは紙幣を背部方向へ押圧して立位整列姿勢に保持する紙幣収納部を有し、全ての各収納カセットが前記紙幣送込み搬送通路の下方に形成されてなる複数個の収納カセットと、
前記入金口に対し機体の背部方向へ入金紙幣を搬送する前記紙幣送込み搬送通路の前記識別部より後方位置から、複数個の金種別収納カセットの背部域に向けて設けられ、前記紙幣送込み搬送通路から送り込まれる入金適正紙幣中の出金適正紙幣を金種別に区分する紙幣区分通路と、
紙幣区分通路に接続されるとともに各金種別収納カセットの金種別紙幣収納部に臨んで設けられ、金種別に紙幣の繰込みおよび繰出しを行ない、入金モードにおける入金紙幣繰込み時には順方向に、入金モードにおける入金紙幣返却時および出金モード時には逆方向に駆動させる金種別繰込み・繰出し機構と、
この金種別繰込み・繰出し機構により繰出すべき収納紙幣と前記金種別繰込み・繰出し機構との間に一時的に紙幣の金種別一時保留空間を形成し、入金モードにおける入金紙幣繰込み時には金種別繰込み・繰出し機構の順方向駆動により入金紙幣を金種別一時保留空間に一時保留してなり、入金モードにおける入金承認時は金種別一時保留紙幣を金種別収納カセットの金種別紙幣収納部に収納し、入金モードにおける入金紙幣返却時は、金種別繰込み・繰出し機構の逆方向駆動により、金種別一時保留空間に一時保留されていた紙幣を紙幣区分通路へ送出してなる金種別一時保留空間形成機構と、
入金口に対し前記紙幣送込み搬送通路における前記識別部より後方位置から、もしくはそれに続く紙幣区分通路から分岐して上方へ向かい、前記紙幣送込み搬送通路の上部を通って前記出金口へ紙幣を送る入金リジェクト紙幣搬送路と、
入金口に対し前記紙幣送込み搬送通路における識別部より前方位置から上方へ分岐し、出金紙幣中の出金適正紙幣を前記出金口へ送る出金紙幣送出路と、
入金口に対し前記紙幣送込み搬送通路における識別部より前方位置から分岐され、出金紙幣中の出金不適正紙幣を出金リジェクト紙幣として下方向へ分岐する出金リジェクト紙幣分岐手段と、
出金リジェクト紙幣分岐手段により分岐された出金リジェクト紙幣を収納する出金リジェクト紙幣収納部を有し、この出金リジェクト紙幣収納部が、最上段の収納カセットの紙幣収納部に対する前側位置に形成された構成としてなる最上段の収納カセットと、
入金口に対し前記紙幣送込み搬送通路における識別部より後方位置から、もしくはそれに続く紙幣区分通路から分岐され、入金適正紙幣中の出金不適正紙幣を出金不使用紙幣として搬送する出金不使用紙幣分岐通路と、
出金不使用紙幣分岐通路に接続されるとともに一括収納カセットの一括収納紙幣収納部に臨んで設けられ、紙幣の繰込みおよび繰出しを行なう一括収納紙幣用繰込み・繰出し機構と、
一括収納紙幣収納部の収納紙幣と一括収納紙幣用繰込み・繰出し機構との間に一時的に紙幣の一時保留空間を形成せしめる一括収納紙幣用一時保留空間形成機構と、
入金承認時に一括一時保留紙幣を収納せしめる一括収納紙幣用収納作動機構と、
入金モードにおける入金紙幣繰込み時、入金モードにおける入金紙幣返却時、出金モード時、カセット補充モード時、カセット回収モード時に、各モードにあわせて紙幣送込み搬送通路、紙幣区分通路、出金不使用紙幣分岐通路の各搬送手段および一括収納紙幣用繰込み・繰出し機構ならびに各金種別繰込み・繰出し機構を順方向または逆方向に駆動させる搬送駆動制御部と、
入金リジェクト紙幣搬送路の途中位置を、出金不使用紙幣分岐通路、紙幣区分通路、あるいは紙幣送込み搬送通路における入金口に対する入金リジェクト紙幣搬送路の分岐位置より後方位置のいずれかとを接続し、カセット補充モード時およびカセット回収モード時に紙幣の順方向および逆方向のバイパス搬送を可能とするバイパス通路と、
を具備するものである。
【００２２】
また〔請求項５〕に記載の発明において、出金リジェクト紙幣収納部を機械に内蔵する構造にすると、一括収納カセットの引抜き時にこの出金リジェクト紙幣収納部内の出金リジェクト紙幣を取り出して一括収納カセットと一緒に運搬することになり、運搬者が盗んだり紛失したりすることが発生する。そこでこの出金リジェクト紙幣収納部を専用カセットにすればよいが、こうすると運搬するカセット数が増え、運搬が容易でなくなる。
【００２３】
〔請求項６〕に記載の発明は、〔請求項５〕の発明において上記の問題点を解決したものであり、特に複数個の収納カセットのうち紙幣一括収納カセットを最上段に配置させるとともにそのカセットの一括収納紙幣収納部の前側位置に前記出金リジェクト紙幣収納部を形成し、前記バイパス通路は、出金不使用紙幣分岐通路、紙幣区分通路、あるいは紙幣送込み搬送通路における入金口に対する入金リジェクト紙幣搬送路の分岐位置より後方位置のいずれかと入金リジェクト紙幣搬送路の途中位置とを接続することにより解決したものである。
【００２４】
また〔請求項１〕または〔請求項５〕に記載の発明において、金種別一時保留空間形成機構と金種別収納作動機構を別々に設けたり、一括収納紙幣用一時保留空間形成機構と一括収納紙幣用収納作動機構を別々に設けると機械が非常に大型で複雑となる。この問題を解決したものが〔請求項７〕に記載の発明で、金種別一時保留空間形成機構は金種別収納作動機構と共用とし、また一括収納紙幣用一時保留空間形成機構は一括収納紙幣用収納作動機構と共用としたものである。
【００２５】
ところで〔請求項５〕の発明において、金種別繰込み・繰出し機構および一括収納紙幣用繰込み・繰出し機構は、紙幣の繰出し時（逆方向駆動時）に確実に紙幣を１枚ずつ繰出す機能を有するだけでなく、紙幣の繰込み時（順方向駆動時）は、繰込み済紙幣の後端縁と繰込み中の紙幣の先端縁の衝突を防ぎ繰込み順に紙幣を整列集積させる機能が必要である。そのためには紙幣端縁衝突防止手段が必要であるが、この手段が紙幣の繰出しに障害を及ぼさないことが要求される。
【００２６】
こうした要求に応えたものが〔請求項８〕に記載の発明であり、〔請求項５〕の発明において、金種別繰込み・繰出し機構および一括収納紙幣用繰込み・繰出し機構の各々が、キッカローラと、フィードローラと、ゲート部材と、フィードローラおよびゲート部材の設けられる一時保留空間入口部の繰込み紙幣搬送域と交差状態の待機位置で帯動される自由変形可能な無端ベルトとを具備したものである。
【００２７】
また〔請求項９〕に記載の発明は〔請求項６〕の発明において、前記紙幣送込み搬送通路が、前記識別部より入金口に対する後方位置に表裏反転合流通路部を有し、この表裏反転合流通路部の末端を前記紙幣区分通路に接続してなり、前記バイパス通路は前記表裏反転合流通路部の前記識別部側域と入金リジェクト紙幣搬送路とを接続してなるものであり、金種別カセットへ収納される紙幣の表裏を揃えて収納するようにし、その結果、出金口へ送り出される出金紙幣は表裏の向きが揃った状態となり、その出金紙幣を受取る利用者に好印象を与えるようにしたものである。
【００２８】
また従来の技術が有する問題点を解決し、第３の目的を達成する手段が〔請求項１０〕に記載の発明で、この発明は、
請求項５に記載の循環式紙幣入出金機において、
上下に複数段に形成される装着口のうち、最上段の装着口は、紙幣のカセット補充、カセット回収、入金適正紙幣中の出金不適正紙幣の収納を行う一括収納カセットか金種別出金紙幣を収納する金種別収納カセットが選択的に装着可能とするとともに、
最上段の装着口へ挿入される収納カセットが一括収納カセットか金種別カセットかの切換を行うカセット態様切換手段を備え、
最上第に対応する最上段用繰込み・繰出し機構、最上段用一時保留空間形成機構、最上段用紙幣区分通路部域、バイパス通路、搬送駆動制御部は、挿入される収納カセットが一括収納カセットの場合は、カセット補充とカセット回収のための紙幣の繰出しと繰込みと入金時の入金適正紙幣中の出金不使用紙幣の繰込みに対応する動作をし、挿入される収納カセットが金種別カセットの場合は、それ以外の金種別カセットに対応する金種別繰込み・繰出し機構、金種別一時保留空間形成機構、金種別紙幣区分通路部域と同じ動作をしてなる
ことを特徴とするものである。
【００２９】
【作用】
〔請求項１〕〜〔請求項４〕および〔請求項７〕の発明においては、入金モードにおける入金紙幣繰込み時には紙幣送込み搬送通路、紙幣区分通路の各搬送手段および金種別繰込み・繰出し機構群は順方向に駆動され、入金口に堆積載置された紙幣が繰込み手段により１枚ずつ繰込まれ、紙幣送込み搬送通路を搬送されて識別部により金種、真偽等がチェックされ、入金適正紙幣中の出金適正紙幣は紙幣区分通路を通り、該当する金種の金種別繰込み・繰出し機構を通じ、対応する金種別収納カセットの金種別紙幣収納部に一時保留空間形成機構により一時的に形成される一時保留部へ一時保留される。一方、入金リジェクト紙幣は、紙幣送込み搬送通路から直接、あるいは紙幣区分通路を経由して入金リジェクト紙幣搬送路へ送り込まれて出金口へ返却される。入金モードにおける入金承認時には、機械操作者により入金承認操作がなされ、その結果一時保留紙幣は金種別収納作動機構により紙幣収納される。
【００３０】
入金モードにおける入金不承認時、すなわち入金紙幣返却時には、機械操作者により入金不承認操作がなされ、その結果紙幣送込み搬送通路、紙幣区分通路の各搬送手段および繰出すべき金種の金種別繰込み・繰出し機構が逆方向に駆動され、各一時保留紙幣を対応する金種の金種別繰込み・繰出し機構を通じて繰出し、紙幣区分通路、紙幣送込み搬送通路、出金紙幣送出路を通じて出金口へ返却される。
【００３１】
また出金モード時には紙幣送込み搬送通路、紙幣区分通路の各搬送手段、および繰出すべき金種の金種別繰込み・繰出し機構が逆方向に駆動され、繰出すべき金種の金種別収納部に収納された紙幣が１枚ずつ繰出され、紙幣区分通路を通って紙幣送込み搬送通路へ送り込まれ、この紙幣送込み搬送通路の識別部により出金紙幣が出金適正紙幣か否か識別され、出金適正紙幣は出金紙幣送出路を通じて出金口へ送出され、機械操作者はこの出金口へ送出された所望金額の出金紙幣をこの出金口から取り出せる。
【００３２】
紙幣送込み搬送通路の識別部において出金不適正紙幣と識別された出金紙幣は出金リジェクト紙幣として出金リジェクト紙幣分岐手段で分岐されて出金リジェクト紙幣収納部へ収納される。
【００３３】
〔請求項５〕〜〔請求項９〕の発明においては、入金モードにおける入金紙幣繰込み時には紙幣送込み搬送通路、紙幣区分通路、出金不使用紙幣分岐通路の各搬送手段および金種別繰込み・繰出し機構、一括収納紙幣用繰込み・繰出し機構を順方向に駆動し、入金口に堆積載置された紙幣が繰込み手段により１枚ずつ繰込まれ、紙幣送込み搬送通路を搬送されて識別部により金種、真偽等がチェックされ、入金紙幣が入金適正紙幣か否か、また入金適正紙幣の中でも出金適正紙幣か否かが判断され、入金適正紙幣中の出金適正紙幣は紙幣区分通路を通り、該当する金種の金種別繰込み・繰出し機構を通じ、対応する金種別収納カセットの金種別紙幣収納部に一時保留空間形成機構により一時的に形成される一時保留部へ一時保留される。また入金適正紙幣のうち出金不適正紙幣は出金不使用紙幣として出金不使用紙幣分岐通路を通り、一括収納紙幣用一時保留空間形成機構により形成される一時保留部へ一時保留される。
【００３４】
一方、入金不適正紙幣は入金リジェクト紙幣として入金リジェクト紙幣搬送路へ送られ、出金口へ返却される。
【００３５】
入金モードにおける入金承認時には、機械操作者により入金承認操作がなされ、その結果、一時保留紙幣は各金種別収納作動機構および一括収納紙幣用収納作動機構により収納される。
【００３６】
入金モードにおける入金不承認時、すなわち入金紙幣返却時には、機械操作者により入金不承認操作がなされ、その結果紙幣送込み搬送通路、紙幣区分通路、出金不使用紙幣分岐通路の各搬送手段および金種別繰込み・繰出し機構、一括収納紙幣用繰込み・繰出し機構を逆方向に駆動し、各一時保留紙幣を対応する金種の金種別繰込み・繰出し機構および一括収納紙幣用繰込み・繰出し機構を通じて繰出し、紙幣区分通路および出金不使用紙幣分岐通路を通じて紙幣送込み搬送通路から出金紙幣送出路を経由して出金口へ返却される。
【００３７】
また出金モード時は、紙幣送込み搬送通路、紙幣区分通路、繰出すべき金種の繰込み・繰出し機構が逆方向に駆動され、繰出すべき金種の金種別収納部に収納された紙幣が１枚ずつ繰出され、紙幣区分通路から紙幣送込み搬送通路へ送り込まれて識別部により出金紙幣が出金適正紙幣か否か識別され、出金適正紙幣は出金紙幣送出路から出金口へ送出され、機械操作者はこの出金口へ送出された所望金額の出金紙幣をこの出金口から取り出せる。
【００３８】
識別部において、出金不適正紙幣と識別された紙幣は出金リジェクト紙幣として出金リジェクト紙幣分岐手段で分岐されて出金リジェクト紙幣収納部へ収納される。
【００３９】
次に、カセット補充モード時およびカセット回収モード時の作用について述べる。
【００４０】
まず、入金リジェクト紙幣搬送路と出金不使用紙幣分岐通路とをバイパス通路で接続する構成とした場合の作用を説明する。
【００４１】
その構成でのカセット補充モード時には、紙幣送込み搬送通路における入金口に対する出金紙幣送出路への分岐位置より後方域、つまり識別部配置域、紙幣区分通路、入金リジェクト紙幣搬送路の各搬送手段、金種別繰込み・繰出し機構が順方向に駆動され、紙幣送込み搬送通路における入金口に対する出金紙幣送出路への分岐位置より手前側域、出金不使用紙幣分岐通路、バイパス通路の各搬送手段および一括収納紙幣用送込み・繰出し機構が逆方向駆動される。
【００４２】
その結果、紙幣一括収納カセット内の紙幣は１枚ずつ繰出され、出金不使用紙幣分岐通路、バイパス通路、入金リジェクト紙幣搬送路、出金紙幣送出路、紙幣送込み搬送通路の識別部配置域を通り、補充に適正な金種紙幣は紙幣区分通路、金種別繰込み・繰出し機構を通じ、金種別収納カセットに収納される。また出金紙幣送出路あるいは入金リジェクト紙幣搬送路のバイパス通路合流位置より後流位置に搬送異常検知部が設けられる。そして補充に不適正な紙幣は、紙幣送込み搬送通路の識別部を通過したあと入金リジェクト紙幣搬送路へ送り込まれ、バイパス通路から送り込まれる識別前の補充紙幣と合流する。識別不能紙幣が搬送異常検知部に至った段階でその搬送異常が検知され、紙幣送込み搬送通路の入金口に対する出金紙幣送出路への分岐位置より手前側へ送られ、出金リジェクト紙幣収納部へ収納される。また、識別不能紙幣とバイパス通路から送り込まれる識別前の補充紙幣とが２枚重なり連鎖状態となることもあり、その場合は識別不能紙幣と識別前の補充紙幣の両方が搬送異常検知部で搬送異常紙幣と判定されて出金リジェクト紙幣収納部へ収納される。
【００４３】
またカセット回収モード時には、紙幣送込み搬送通路、紙幣区分通路、出金紙幣送出路、入金リジェクト紙幣搬送路の各搬送手段および金種別繰込み・繰出し機構は逆方向駆動され、出金不使用紙幣分岐通路、バイパス通路の各搬送手段および一括収納紙幣用繰込み・繰出し機構は正方向駆動される。
【００４４】
その結果、各金種別収納カセット内の紙幣は金種別繰込み・繰出し機構により１枚ずつ繰出され、紙幣区分通路を通じて紙幣送込み搬送通路へ送り込まれて識別部で識別される。この識別部で識別された紙幣が適正回収紙幣（金種識別された紙幣）の場合は、出金紙幣送出路、入金リジェクト紙幣搬送路、バイパス通路、出金不使用紙幣分岐通路を経由して、一括収納紙幣用繰込み・繰出し機構により、紙幣一括収納カセットの一括収納紙幣収納部へ収納される。ところで識別部で識別される紙幣が不適正回収紙幣（例えば識別不能紙幣）の場合に、これも適正回収紙幣と同様に同じ搬送路を通して紙幣一括収納カセットの一括収納紙幣収納部へ収納させる方法をとる場合と、紙幣送込み搬送通路から出金リジェクト紙幣分岐手段を通じ出金リジェクト紙幣収納部へ収納せしめる方法をとる場合とがある。
【００４５】
次に、入金リジェクト紙幣搬送路と紙幣送込み搬送通路における入金口に対する入金リジェクト紙幣搬送路の分岐位置より後方位置とをバイパス通路で接続する構成とした場合の作用を説明する。
【００４６】
その構成でのカセット補充モード時には、紙幣送込み搬送通路における入金口に対する出金紙幣送出路の分岐位置より手前側の第一搬送路域、紙幣送込み搬送通路における入金口に対する出金紙幣送出路への分岐位置と入金リジェクト紙幣搬送路および出金不使用紙幣分岐通路の各分岐位置のうち入金口に対する後側に位置する分岐位置の間の第二搬送路域、出金紙幣送出路、入金リジェクト紙幣搬送路、出金不使用紙幣分岐通路の各搬送手段および一括収納紙幣用繰込み・繰出し機構を逆方向駆動し、バイパス通路、紙幣区分通路、紙幣送込み搬送通路の第二搬送路域および紙幣区分通路に接続される第三搬送路域の各搬送手段、金種別繰込み・繰出し機構を順方向駆動する。
【００４７】
その結果、紙幣一括収納カセット内の紙幣は１枚ずつ繰出され、出金不使用紙幣分岐通路、紙幣送込み搬送通路における第二搬送路域へ送込まれ、識別部で補充紙幣が識別される。補充に適正な金種紙幣は、出金紙幣送出路、入金リジェクト紙幣搬送路、バイパス通路、紙幣送込み搬送通路における第三搬送路域、紙幣区分通路、金種別繰込み・繰出し機構を通じて各金種別収納カセットへ収納される。また、識別部で補充に不適正な紙幣は、紙幣送込み搬送通路の第二搬送路域から第一搬送路域へ送られ、出金リジェクト紙幣収納部へ収納される。
【００４８】
また、カセット回収モード時には、紙幣送込み搬送通路の第二搬送路域、出金不使用紙幣分岐通路、出金紙幣送出路、入金リジェクト紙幣搬送路の各搬送手段および一括収納紙幣用繰込み・繰出し機構を順方向駆動し、バイパス通路、紙幣送込み搬送通路の第三搬送路域、紙幣区分通路、金種別繰込み・繰出し機構を逆方向駆動せしめる。
【００４９】
その結果、各金種別収納カセット内の紙幣は紙幣区分通路、紙幣送込み搬送通路の第三搬送路域、バイパス通路、入金リジェクト紙幣搬送路、出金紙幣送出路を経て紙幣送込み搬送通路の第二搬送路域へ送込まれ、識別部で紙幣識別される。その識別時に金種識別可能な回収適正紙幣か回収不適正な識別不能紙幣（２枚重なり、斜行、連鎖等による識別不能な紙幣）かが判断される。この識別の結果、回収適正な紙幣は出金不使用紙幣分岐通路、一括収納紙幣用繰込み・繰出し機構を通じて一括収納カセットの一括収納紙幣収納部へ収納される。
【００５０】
また、識別部で識別不能紙幣と判断された紙幣についてリジェクトしない場合には、回収適正紙幣と同じ搬送経路を通って一括収納カセットの一括収納紙幣収納部へ収納される。
【００５１】
また、識別不能紙幣をリジェクトする場合は、出金紙幣送出路あるいは入金リジェクト紙幣搬送路のバイパス通路合流位置より後流位置に搬送異常検知部を設ける。そして識別部で回収紙幣中に識別不能紙幣が識別されると紙幣送込み搬送通路の第二搬送路域から入金リジェクト紙幣搬送路へ送り込まれ、バイパス通路から送り込まれる識別前の回収紙幣と合流する。識別不能紙幣が搬送異常検知部に至った段階でその搬送異常が検知され、紙幣送込み搬送通路の第一搬送路域へ送られ、出金リジェクト紙幣収納部へ収納される。また識別不能紙幣とバイパス通路から送り込まれる識別前の回収紙幣とが２枚重なり状態とか連鎖状態となることもあり、その場合は識別不能紙幣と識別前の回収紙幣の両方が搬送異常検知部で搬送異常紙幣と判断され、出金リジェクト紙幣収納部へ送られる。
【００５２】
請求項１０の発明については、まず最上段の装着口に挿入される収納カセットが一括収納カセットの場合の作用から説明する。
【００５３】
入金モードにおける入金紙幣送込み時には紙幣送込み搬送通路、紙幣区分通路、出金不使用紙幣分岐通路の各搬送手段および各繰込み・繰出し機構を順方向に駆動し、入金口に堆積載置された紙幣が繰込み手段により１枚ずつ繰込まれ、紙幣送込み搬送通路を搬送されて識別部により金種、真偽等がチェックされ、入金紙幣が入金適正紙幣か否か、入金適正紙幣の中でも出金適正紙幣が否かが判断され、入金適正紙幣中の出金適正紙幣は紙幣区分通路を通り、該当する金種の金種別繰込み・繰出し機構を通じ、対応する金種別収納カセットの金種別紙幣収納部に一時保留空間形成機構により一時的に形成される一時保留部へ一時保留される。また入金適正紙幣のうち出金不適正紙幣は出金不使用紙幣として出金不使用紙幣分岐通路を通り、一括収納紙幣用一時保留空間形成機構により形成される一時保留部へ一時保留される。
【００５４】
一方、入金不適正紙幣は入金リジェクト紙幣として入金リジェクト紙幣搬送路へ送られ、出金口へ返却される。
【００５５】
入金モードにおける入金承認時には、機械操作者により入金承認操作がなされ、その結果、一時保留紙幣は各収納作動機構により紙幣収納される。
【００５６】
入金モードにおける入金不承認時、すなわち、入金紙幣返却時には、機械操作者により入金不承認操作がなされ、その結果、紙幣送込み搬送通路、紙幣区分通路、出金不使用紙幣分岐通路の各搬送手段および各繰込み・繰出し機構を逆方向に駆動し、各一時保留紙幣を対応する各繰込み・繰出し機構を通じて繰出し、紙幣区分通路および出金不使用紙幣分岐通路を通じて紙幣送込み搬送通路から出金紙幣送出路を経由して出金口へ返却する。
【００５７】
また出金モード時は、紙幣送込み搬送通路、紙幣区分通路、繰出すべき金種の繰込み・繰出し機構が逆方向に駆動され、繰出すべき金種の金種別収納部に収納された紙幣が１枚ずつ繰出され、紙幣区分通路から紙幣送込み搬送通路へ送り込まれて識別部により出金紙幣が出金適正紙幣か否か識別され、出金適正紙幣は出金紙幣送出路から出金口へ送出され、機械操作者はこの出金口へ送出された所望金額の出金紙幣をこの出金口から取り出せる。識別部において、出金不適正紙幣と識別された紙幣は、出金リジェクト紙幣として出金リジェクト紙幣分岐手段で分岐されて出金リジェクト紙幣収納部へ収納される。
【００５８】
カセット補充モード時には、紙幣送込み搬送通路における入金口に対する出金紙幣送出路への分岐位置より手前側の第一搬送路域、紙幣送込み搬送通路における入金口に対する出金紙幣送出路への分岐位置と入金リジェクト紙幣搬送路および出金不使用紙幣分岐通路の各分岐位置のうち入金口に対する後側に位置する分岐位置の間の第二搬送路域、出金紙幣送出路、入金リジェクト紙幣搬送路、出金不使用紙幣分岐通路の各搬送手段および一括収納紙幣用の繰込み・繰出し機構を逆方向駆動し、バイパス通路、紙幣区分通路、紙幣送込み搬送通路の第二搬送路域および紙幣区分通路に接続される第三搬送路域の各搬送手段、金種別の繰込み・繰出し機構を順方向駆動する。
【００５９】
その結果、紙幣一括収納カセット内の紙幣は１枚ずつ繰出され、出金不使用紙幣分岐通路、紙幣送込み搬送通路における第二搬送路域へ送り込まれ、識別部で補充紙幣が識別される。補充に適正な金種紙幣は、出金紙幣送出路、入金リジェクト紙幣搬送路、バイパス通路、紙幣送込み搬送通路における第三搬送路域、紙幣区分通路、金種別の繰込み・繰出し機構を通じて各金種別収納カセットへ収納される。また識別部で補充に不適正な紙幣は、紙幣送込み搬送通路の第二搬送路域から第一搬送路域へ送られ、出金リジェクト紙幣収納部へ収納される。
【００６０】
またカセット回収モード時には、紙幣送込み搬送通路の第二搬送路域、出金不使用紙幣分岐通路、出金紙幣送出路、入金リジェクト紙幣搬送路の各搬送手段および一括収納紙幣用の繰込み・繰出し機構を順方向駆動し、バイパス通路、紙幣送込み搬送通路の第三搬送路域、紙幣区分通路、金種別の繰込み・繰出し機構を逆方向駆動せしめる。
その結果、各金種別収納カセット内の紙幣は紙幣区分通路、紙幣送込み搬送通路の第三搬送路域、バイパス通路、入金リジェクト紙幣搬送路、出金紙幣送出路を経て紙幣送込み搬送通路の第二搬送路域へ送り込まれ、識別部で紙幣識別される。その識別時に金種識別可能な回収適正紙幣か回収不適正な識別不能紙幣（２枚重なり、斜行、連鎖等による識別不能な紙幣）かが判断される。この識別の結果、回収適正な紙幣は出金不使用紙幣分岐通路、一括収納紙幣用の繰込み・繰出し機構を通じて一括収納カセットの一括収納紙幣収納部へ収納される。
【００６１】
また識別部で識別不能紙幣と判断された紙幣についてリジェクトしない場合には、回収適正紙幣と同じ搬送経路を通って一括収納カセットの一括収納紙幣収納部へ収納される。
【００６２】
また、識別不能紙幣をリジェクトする場合は、出金紙幣送出路あるいは入金リジェクト紙幣搬送路のバイパス通路合流位置より後流位置に搬送異常検知部を設ける。そして識別部で回収紙幣中に識別不能紙幣が識別されると紙幣送込み搬送通路の第二搬送路域から入金リジェクト紙幣搬送路へ送り込まれ、バイパス通路から送り込まれる識別前の回収紙幣と合流する。識別不能紙幣が搬送異常検知部に至った段階でその搬送異常が検知され、紙幣送込み搬送通路の第一搬送路域へ送られ、出金リジェクト紙幣収納部へ収納される。また識別不能紙幣とバイパス通路から送り込まれる識別前の回収紙幣とが２枚重なり状態とか連鎖状態となることもあり、その場合は識別不能紙幣と識別前の回収紙幣の両方が搬送異常検知部で搬送異常紙幣と判断され、出金リジェクト紙幣収納部へ送られる。
【００６３】
次に最上段の装着口に装着される収納カセットが金種別カセットの場合の作用を述べる。
【００６４】
入金モードにおける入金紙幣送込み時には、紙幣送込み搬送通路、紙幣区分通路の各搬送手段および金種別の繰込み・繰出し機構群は順方向に駆動され、入金口に堆積載置された紙幣が繰込み手段により１枚ずつ繰込まれ、紙幣送込み搬送通路を搬送されて識別部により金種、真偽等がチェックされ、入金適正紙幣中の出金適正紙幣は紙幣区分通路（最上段の金種別の収納カセットについては紙幣区分通路の分岐通路から出金不使用紙幣分岐通路）を経由して該当する金種の金種別繰込み・繰出し機構を通じ、対応する金種別収納カセットの金種別紙幣収納部に一時保留空間形成機構により一時的に形成される一時保留部へ一時保留される。一方、入金リジェクト紙幣は紙幣送込み搬送通路から入金リジェクト紙幣搬送路へ送り込まれて出金口へ返却される。入金モードにおける入金承認時には、機械操作者により入金承認操作がなされ、その結果、一時保留紙幣は各収納作動機構により紙幣収納される。
【００６５】
入金モードにおける入金不承認時、すなわち入金紙幣返却時には、機械操作者により入金不承認操作がなされ、その結果紙幣送込み搬送通路、紙幣区分通路の各搬送手段および繰出すべき金種の繰込み・繰出し機構が逆方向に駆動され、各一時保留紙幣を対応する金種の繰込み・繰出し機構を通じて繰出し、紙幣区分通路、紙幣送込み搬送通路、出金紙幣送出路を通じて出金口へ返却される（なお最上段の収納カセットの一時保留紙幣の返却については出金不使用紙幣分岐通路から直接紙幣送込み搬送通路へ送込むようにしてもよい）。
【００６６】
また出金モード時には、紙幣送込み搬送通路、紙幣区分通路の各搬送手段および繰出すべき金種の繰込み・繰出し機構が逆方向に駆動され、繰出すべき金種の金種別収納部に収納された紙幣が１枚ずつ繰出され、紙幣区分通路を通って紙幣送込み搬送通路へ送り込まれる（なお最上段の収納カセットの紙幣については出金不使用紙幣分岐通路から直接紙幣送込み搬送通路へ送り込むようにしてもよい）。
【００６７】
この紙幣送込み搬送通路の識別部により出金紙幣が出金適正紙幣か否か識別され、出金適正紙幣は出金紙幣送出路を通じて出金口へ送出され、機械操作者はこの出金口へ送出された所望金額の出金紙幣をこの出金口から取り出せる。
【００６８】
紙幣送込み搬送通路の識別部において出金不適正紙幣と識別された出金紙幣は、出金リジェクト紙幣として出金リジェクト紙幣分岐手段で分岐されて出金リジェクト紙幣収納部へ収納される。
【００６９】
【実施例】
以下、本発明を図面に示す実施例を参照して説明する。
図１〜図１２は本発明の第一の実施例を示すものであり、特に図１は本発明の第一実施例の外観を示し、図２は内部構造の略示断面を示すもので、その機体１は正面形状が縦長矩形状で奥行きのある箱形をなし、その前面上方部は凹状に窪み、その内部が入金口２とされ、その上方位置に出金口３が設けられている。この入金口２の一側部の上面部分には操作部４が配設されている。
【００７０】
機体１の前面１ａには、上下方向に複数（図では３個）の装着口１ｃが形成され、この各装着口１ｃ，１ｃ，１ｃへ装着された各収納カセット５１  ，５２  ，５３  が配列されており、これらの収納カセット５１  ，５２  ，５３  は引出し形態に形成されて機体１に対し機体前面側から背部方向（後方）への挿入と機体前面側（前方）への引出しが可能なように設けられ、引出しやすくするため収納カセット５１  ，５２  ，５３  の端面に取手６，６，６が取付けられている。
【００７１】
これらの収納カセット５１  ，５２  ，５３  はすべて金種別出金紙幣の収納カセットで、上段から下段に向けて一万円紙幣、五千円紙幣、千円紙幣が各々収納される。
【００７２】
機体１の前面上部に設けられる入金口２は、紙幣Ｐを堆積状態にセットするようになっており、その底部２ａにはキッカローラ７、フィードローラ８、このフィードローラ８の上部に対設される一方向（紙幣の繰出し方向と反対の方向）のみ回転可能なゲートローラ９とで構成される繰込み手段１０が設けられ、キッカローラ７により最下位の紙幣Ｐをけり出し、フィードローラ８とゲートローラ９との間で形成されるゲート間隙により１枚のみに分離して紙幣Ｐを１枚ずつ繰込むようになっている。前記フィードローラ８、キッカローラ７は周面に滑面と摩擦面を持ち、相互に同期して１回転され、この１回転で１枚の紙幣を繰出すようになっている。
【００７３】
上記繰込み手段１０に続いて機体１の背部方向へ延びる紙幣送込み搬送通路１１が配設され、この紙幣送込み搬送通路１１の途中には紙幣送込み搬送通路１１の構成要素となって紙幣Ｐの金種、真偽、２枚重ね等をチェックする識別部１２が設けられている。この紙幣送込み搬送通路１１の搬送手段は上下対をなすローラ群によって構成されている。
【００７４】
上記紙幣送込み搬送通路１１の前記識別部１２より後方の位置から下方に向かい、前記収納カセット５１  ，５２  ，５３  がおかれる高さ位置にわたって延びる紙幣区分通路１３、および上記紙幣送込み搬送通路１１の識別部１２より後方の位置から上方へ向かい、前記識別部１２の上部を通って前記出金口３へ向かう入金リジェクト紙幣搬送路１４が設けられ、この搬送路１４は出金口３の一部を構成する放出紙幣収納部１５へ紙幣Ｐを送り込むようになっている。また前記識別部１２より入金口２側には、上方に向けて分岐され紙幣を放出紙幣収納部１５へ送る出金紙幣送出路１６および収納カセット５１  の出金リジェクト紙幣収納部５′へ送る搬送路１７が設けられている。なお放出紙幣収納部１５の直前の搬送域の搬送ローラ１５ａ，１５ａは入金リジェクト紙幣搬送路１４からの紙幣と出金紙幣送出路１６からの紙幣の両方を受け入れる通路域にあり、放出紙幣収納部１５内のローラ群と同期回転できるようモータＭ４  （後述）で駆動するようになっている。またローラ１５ａ，１５ａの直後に収納空間を形成することも可能である。それ故本実施例では、搬送ローラ１５ａ，１５ａの搬送域と放出紙幣の収納空間の両方を放出紙幣収納部５として扱うことにする。
【００７５】
また上記各分岐部には分岐手段として切換レバー１８，１９，２０，２１，２２１  ，２２２  がそれぞれ図示しないソレノイドＳＤ１  ，ＳＤ２  ，ＳＤ３  ，ＳＤ４−１  ，ＳＤ５−１  ，ＳＤ５−２  により進路が切換えられるようになっている。上記各搬送路は、対をなすローラと対をなすベルトとの組合せによって構成されている。なお後述する表裏反転合流通路機構２５を接続する場合はソレノイドＳＤ４−１  は省略してもよく、その代りにソレノイドＳＤ４−２  ，ＳＤ４−３  が加えられる。
【００７６】
前記紙幣区分通路１３は紙幣区分通路部１３ａとその通路部１３ａから分岐する分岐通路２３１  ，２３２  ，２３３  からなり、各分岐通路２３１  ，２３２  ，２３３  は収納カセット５１  ，５２  ，５３  の内端上部へ向けて設けられている。また紙幣送込み搬送通路１１の末端には、その通路１１の一部を構成し前記機体１の後部に接合されるオプション形式の機体２４内の表裏反転合流通路機構２５が連なるようになっている。この表裏反転合流通路機構２５自体は公知に属するもので、その入口部に羽根車２６とベルト２７とを有し、反転、非反転の指示により揺動して上記羽根車２６の下側部位とベルト２７との間に進入または退避して紙幣の先端を係止、非係止するようソレノイドＳＤ４−２  で動作されるレバー２８ａがあり、また非反転通路２９ａと反転通路２９ｂ、合流通路２９ｃの各通路を有している。
【００７７】
なお合流通路２９ｃの直前位置には、非反転通路２９ａ、反転通路２９ｂを搬送される紙幣をガイドするガイド部材２８ｂが設けられており、このガイド部材２８ｂは図２において斜め左上方向へソレノイドＳＤ４−３  により移動可能とされている。すなわち出金時に合流部２９ｃから送られてくる紙幣を確実に非反転通路２９ａへ送り込むためにこのガイド部材２８ｂが反転通路２８ｂを塞ぐ位置まで斜め左上方向へ上昇位置させるわけである。
【００７８】
この表裏反転合流通路機構２５が接続される場合は、切換レバー２１は水平状態で固定され、ソレノイドＳＤ４−１  も取りつけない。その理由は、入金紙幣も出金紙幣も表裏反転合流通路機構２５を通過させて搬送するようにしているためである。
【００７９】
そして図２において入金紙幣が識別部１２を通過して表裏反転合流通路機構２５へ進入すると、羽根車２６の下面部位とベルト２７とで右方へ送られ、識別部１２での識別結果が裏向き紙幣（反転すべき紙幣）のときはソレノイドＳＤ４−２  が励磁されてレバー２８ａが上方へ突出し、左方から進行してくる裏向き紙幣はレバー２８ａにその先端が突き当って進行が停止され、一方その裏向き紙幣の後端は羽根車２６の回転により羽根車２６の上面部位に移動され、その結果この羽根車２６の上面部位とそれに対向するローラとで挟持されて後端が先端となって反転通路２９ｂを送られ、ガイド部材２８ｂの上面でガイドされて合流通路２９ｃへ送り込まれ、その通路の末端から紙幣区分通路部１３ａの入口部（切換レバー２２１  の設置位置）へ送り込まれる。また識別部１２が表向き紙幣（反転不要の紙幣）と識別したときはソレノイドＳＤ４−２  は励磁されず、レバー２８ａは搬送路から退避した下降位置にあり、表向き紙幣は水平方向右方へ進み、さらに鋭角的にカーブして斜め左上方へ進むよう非反転通路２９ａを送られ、ガイド部材２８ｂの右側面でガイドされながら合流通路２９ｃへ送り込まれ、この通路２９ｃから紙幣区分通路部１３ａへ送り込まれる。なお表裏反転合流通路機構２５へ進入した紙幣は途中で反転通路２９ｂ、非反転通路２９ａに分かれるが、進入する紙幣順序を保ちながら合流通路２９ｃへ送り込まれ、その後流側での紙幣区分が確実に行なえる。また入金返却紙幣あるいは出金紙幣は紙幣区分通路１３ａの入口部（切換レバー２２１  の設置位置）から合流通路２９ｃへ送り込まれる。そのときガイド部材２８ｂはソレノイドＳＤ４−３  の励磁により斜め左上方へ移動して位置され、反転通路２９ｂを塞いでおり、合流通路２９ｃから出る紙幣はガイド部材２８ｂの右側面でガイドされて非反転通路２９ａへ送り込まれ、斜め下右方へ向かったあと鋭角的にカーブして左水平方向へ送られて切換レバー２０，２１（切換レバー２１は固定位置）間を通って識別部１２へ送られる。この例の場合は、紙幣送込み搬送通路１１は表裏反転合流通路機構２５の通路（２９ａ，２９ｂ，２９ｃ）を含めたものによって構成される。
【００８０】
なおこの例では切換レバー２１を水平方向に固定とし、ソレノイドＳＤ４−１  を取り除いたものとしたが、切換レバー２１を揺動可能とし、ソレノイドＳＤ４−１  をそのまま設け、入金紙幣返却時および出金時には紙幣区分通路１３ａを垂直に上昇させて切換レバー２１で識別部１２側へ左折させるようにしてもよいことはいうまでもない。
【００８１】
次に前記収納カセット５１  ，５２  ，５３  の具体的実施例につき図３〜図１１を参照して説明する。
【００８２】
図３はその一つの収納カセットを代表して符号５で示す外観図で、扁平な箱状を有し、その内端面５ａから一側面５ｂにかけて蛇腹構造のシャッタ３０が上下のレール３１にそって開動自在に設けられ、図３では収納カセット５の内端面５ａが閉鎖された状態を示している。なおシャッタ３０は図示しないバネで閉塞方向へ付勢されるが、３２はこのシャッタ３０を開放させるための突部で、機体１の装着口１ｃへ収納カセット５を挿入したとき機体１側に固設の係合部３３（図４）に係合して収納カセット５の挿入動に対し相対的にシャッタ３０がスライドして収納カセット５の挿入完了時にその内端面５ａが全開状態となるように形成されている。
【００８３】
上記収納カセット５は、図６、図７に示すように、外枠３４（収納カセット５に一体的に形成）と、この外枠３４の内部にそって嵌合される中間枠３５と、この中間枠３５の内部にそって嵌合される内枠３６とを有し、外枠３４と中間枠３５、中間枠３５と内枠３６とは、いずれも長孔３７，３８とピン３９，４０との嵌合により相互に機体１の前面１ａに対する前後方向（収納カセット５の長手方向）に摺動可能とされており、中間枠３５および内枠３６はいずれもバネ４１，４２により外枠３４に対し収納カセット５の内端面５ａ方向へ付勢されている。そして内枠３６内が収納部４３とされる。
【００８４】
前記中間枠３５の内端（内端面５ａの側に同じ）の底部４４は延長されており、この底部４４の両側にはアーム４５，４５が立設されている。このアーム４５，４５は、前記底部４４の側縁の外側にそって立上がる立杆部４６と、この立杆部４６の下端から直角に屈曲し前記底板４４の幅方向に延びる長孔４７を有する水平杆部４８と、この水平杆部４８の端部から直角に下方に屈曲され収納カセット５の前後方向に延びる垂直面部４９とを有しており、前記長孔４７に底部４４のピン５０，５０が嵌合されてアーム４５が底板４４の裏面に保持されるとともに底板４４の幅方向にスライド自在とされている。
【００８５】
上記立杆部４６の上部には、平面よりみてＬ形をなす規制部材５１が固設され、左右のアーム４５，４５の規制部材５１，５１の一方の面５１ａ，５１ａにより収納紙幣の両端部の面を抑え、他方の面５１ｂ，５１ｂにより紙幣の両端を規制するようになっている。また上記底板４４の先端部一側にはローラ５２が軸着されている。
【００８６】
前記内枠３６の内端は図７のように端壁５３により閉鎖され、その両側の側壁５４，５４の内端側近傍域は一段低くなっていて前記規制部材５１，５１の下端の下に入る高さとされており、前記端壁５３には機体１側に設けられる繰込み・繰出し手段５５のキッカローラ５６，５６の周面の一部が嵌入する窓孔５３ａ，５３ａが開口され、端壁５３の上部には紙幣の繰出しを誘導するガイド５７，５７が外方に湾曲するように突設されている。
【００８７】
また内枠３６の上部には基部が側壁５４，５４に固定されて水平方向に延びる上面板５８があり、この上面板５８の先端には前記ガイド５７，５７と協働して紙幣を誘導するガイド５９，５９，５９が上方へ湾曲して突設されている。
【００８８】
機体１側には、前記アーム４５，４５間の幅、すなわち規制部材５１，５１間の幅を拡縮する拡縮機構が設けられている。この拡縮機構は、機体１に収納カセット５１  〜５３  が装着されたのち内枠３６、中間枠３５が背部方向へ突出（詳細は後述）された際に収納カセット５１  〜５３  の前記アーム４５，４５の垂直面部４９，４９間に位置する位置関係で左右のカム６０，６０が揺動支点となる軸６１，６１に固着して設けられる。この軸６１，６１の端部に固着のフォーク６２，６２にはソレノイドＳＤ６  のプランジャに連結されたアーム６３ｂを固定した支軸６３ａから突出されるレバー６３，６３がバネ６２ａ，６２ａの付勢によってその上面から当接している。ソレノイドＳＤ６  は通常は非励磁で、そのときはアーム６３ｂがバネ６３ｄで付勢されてストッパ６３ｃにより係止されており、支軸６３ａを中心に揺動するレバー６３，６３も図４の位置にあり、各レバー６３，６３にバネ６２ａ，６２ａで付勢されて当接するフォーク６２，６２を通じカム６０，６０は立位姿勢にある。内枠３６、中間枠３５が機体１の背部方向（後方）へ突出されると垂直面部４９，４９は立位姿勢のカム６０，６０の両外側に離反状態で位置されることになる。そのとき垂直面部４９，４９は水平杆部４８，４８の長孔４７，４７の両側外端とピン５０，５０の係合によりその縮小方向位置が規制されているからである。また規制部材５１，５１の面５１ｂ，５１ｂは内枠３６の両側壁５４，５４の各内面と同一面となる位置におかれ、紙幣の幅方向寸法よりやや大なる位置に位置される。ソレノイドＳＤ６  が励磁されフォーク６２，６２を通じて立位姿勢から傾斜姿勢に回動するカム６０，６０により垂直面部４９，４９をバネ６４（両垂直面部４９，４９間に張設）に抗して押圧することによりアーム４５，４５間の間隔を広げ、規制部材５１，５１および後述のスペーサー７６，７６が内枠３６の両側壁５４，５４より両外側へ位置される（この動作は一時保留紙幣を収納するとき、すなわち一時保留紙幣を収納紙幣に加えるときに行なわれる）。
【００８９】
また、ソレノイドＳＤ６  が非励磁となってフォーク６２，６２も水平姿勢になりカム６０，６０が立位姿勢に位置することによりアーム４５，４５間の間隔が狭まって前記規制部材５１，５１の面５１ｂ，５１ｂ間の間隔が紙幣の幅方向寸法よりやや大なる元の位置におかれるようになっている。
【００９０】
一方、規制部材５１，５１の前後移動機構が設けられる。その移動機構は、モータＭ７  で回転されるカム６５と、そのカム６５の周面にバネ６７により常時当接されるレバー６６とからなり、カム６５の最径小カム面がレバー６６と接触しているとき（このときがカム６５の定位置となる）には図５位置の前記中間枠３５のローラ５２はレバー６６から僅かの間隔をおいて位置され、カム６５が正転されるとレバー６６でこのローラ５２が押され、バネ４２の付勢に抗して中間枠３５が移動され、その結果アーム４５，４５および規制部材５１，５１が機体１の前面１ａ側（前方）へ移動され、カム６５の逆転によりアーム４５，４５および規制部材５１，５１が機体１の背面側（後方）へ移動される。これらの移動動作は、収納カセット５１  〜５３  内に一時保留空間を形成する時と、一時保留空間内の一時保留紙幣が増える都度一時保留空間を拡げる時と、一時保留紙幣返却の時と、一時保留紙幣を収納させるためにアーム４５，４５および規制部材５１，５１が広げられたときにこれらアーム４５，４５とそれらに固定される規制部材５１，５１、スペーサー７６，７６を端壁５３側へ復帰させる時に用いられる。
【００９１】
図８〜図１１における符号６８は、外枠３４に対する中間枠３５および内枠３６のロック部材で、外枠３４にピン６９により揺動可能に取付けられ、その一端のロック部６８ａが中間枠３５および内枠３６の底面に穿設された穴７０，７１に係脱自在とされており、バネ７２により係合方向へ付勢されている。ＳＤ７  はこのロック部材６８のロックを解除するためのソレノイドで、機体１側に設置され、収納カセット５の挿入時にソレノイドＳＤ７  のプランジャ７３が伸出してロック部材６８の他端をバネ７２に抗して押すことによりロックを解き、中間枠３５および内枠３６をバネ４１，４２により機体１の後方（図８の右方）へ移動させるためのものである。
【００９２】
また内枠３６の端壁５３の下端域にはストッパ５３ｂが固定されており、中間枠３５の機体１に対する背部方向の端部がバネ４２の付勢でストッパ５３ｂに当接している。そしてロック部材４８のロックが解かれると内枠３６および中間枠３５は図４位置から図５位置へ一体的に移動し、内枠３６の端壁５３が後述の作動アーム７５に当って停止する。このときローラ５２はレバー６６との間に少許の間隙をおいて位置される。またこのとき、内枠３６の端壁５３のストッパ５３ｂは中間枠３５の端部に当接状態にあり、そのとき規制部材５１，５１の面５１ａ，５１ａは端壁５３の内面より機体１後方へ突出した位置関係にある。この位置関係をとる理由は、次記による。一時保留紙幣を収納するために規制部材５１，５１が内枠３６の両側壁より外方へ広げられ、その広がり状態のまま背壁５３方向へ移動されてストッパ５３ｂによる中間枠３５の端部の係止によりその移動が停止され、この停止位置から規制部材５１，５１が互いに接近する縮小方向へ移動する。この規制部材５１，５１の縮小方向移動の際に規制部材５１，５１が収納紙幣に接触しないで縮小方向定位置に移動し得るように考慮しているためである。
【００９３】
図４、図５における７４は、図５位置の上記中間枠３５および内枠３６を機体１前方へ移動させて図４位置に戻し、前記ロック部材６８に係合させるためのベルトであり、モータＭ８  （実際は各カセット毎のモータＭ８−１  〜Ｍ８−３  ）で駆動される。このベルト７４に作動アーム７５が固設され、図４において実線図示から鎖線図示の間にわたり移動することにより内枠３６の端壁５３が作動アーム７５に押されて外枠３４内に戻され、またストッパ５３ｂおよびバネ４２を通じて中間枠３５も内枠３６と一体的に外枠３４内に戻され、図４位置に至るとロック部材６８が穴７０，７１へ入り込み、中間枠３５、内枠３６は図４位置にロックされるようになっている。またその直後にモータＭ８  およびベルト７４は逆転し、作動アーム７５が図４の一点鎖線位置から実線位置へ復帰したときベルト７４は停止する。
【００９４】
さらに図６において７６，７６は、前記アーム４５，４５の上部の規制部材５１，５１の面５１ａ，５１ａの外面に固着されたスペーサーで、一時保留紙幣の繰出し時に収納部４３内の収納紙幣にキッカローラ５６および後述のフィードローラ７７，７７が接触しないよう一時保留紙幣と収納紙幣との間に十分な間隔を設けるためのものである。
【００９５】
前記繰込み・繰出し手段５５は、図５に示すように前述の左右一対のキッカローラ５６と、その上方位置であって前記端壁５３のガイド５７，５７の間に位置する左右一対のフィードローラ７７と、この各フィードローラ７７に対設され、内枠３６の上面板５８のガイド５９，５９，５９の間に位置されて矢印方向（紙幣の繰出しとは反対方向）へのみ回転可能で該フィードローラ７７との間に紙幣１枚のみ通すゲート間隙を作るゲートローラ７８と、各ゲートローラ７８の両外側に近接して一対設けられローラ７９，８０間に挟まれて無端回動しその自由端が前記フィードローラ７７の周面位置を超えて延び前記ゲート間隙を通過する紙幣と交差する待機位置におかれるルーズベルト８１とで構成されている。ローラ８０はゲートローラ７８の軸に対して軸方向には規制され回転方向には自由に支持されており、駆動ローラ７９の正転または逆転駆動によりルーズベルト８１を紙幣繰込み方向または紙幣繰出し方向に無端回動させる。
【００９６】
このルーズベルト８１を用いて紙幣の集積を行なうことは特公昭５７−３３２５８号公報に開示のように公知であるが、本例はそのルーズベルト８１をフィードローラ７７およびゲートローラ７８等の繰込み・繰出し手段５５と組合せて用いた点に特徴がある。特に紙幣の繰出し時は例えば図９においてルーズベルト８１，８１が実線図示状態で紙幣繰出し方向へ回転されて紙幣の繰出しを助けるとともにその繰出し紙幣によってゲート間隙（フィードローラ７７とゲートローラ７８とで形成）に対する繰出し方向へこのルーズベルト８１，８１が姿勢変形（図９の一点鎖線）され、一方、このルーズベルト８１，８１は自身の回転によりその繰出し紙幣の通過とともに図９実線位置に復帰して次の紙幣繰出しに備える。またこのルーズベルト８１，８１は一時保留紙幣の返却時において、その紙幣量が減少したときにはその一時保留減少紙幣をフィードローラ７７，７７に押圧する役目をする。すなわちスペーサー７６，７６の間の部分には一時保留紙幣をキッカローラ５６，５６、フィードローラ７７，７７へ直接押圧するものがなく、一時保留紙幣はその両側上部をスペーサー７６，７６と後述の押え板８２，８２により挟着することで一時保留紙幣をその幅方向に緊張させ、その緊張力で一時保留紙幣をキッカローラ５６，５６、フィードローラ７６，７６に押圧する。この一時保留紙幣量が多い場合はその緊張力が保持されてさして支障がないが、一時保留紙幣量が減少すると十分な緊張力が保ち難くなる。このように枚数が少なくなった一時保留減少紙幣の繰出し時には前述のルーズベルト８１，８１の紙幣収納部側のベルト部位が一時保留減少紙幣の背部（図１０において一時保留紙幣の左側）へ位置され、ルーズベルト８１，８１による押圧紙幣部位がフィードローラ７７，７７に押圧される。これによって一時保留紙幣が少なくなっても確実にすべての一時保留紙幣がなくなるまで確実な紙幣繰出しがなされる。
【００９７】
なおスペーサー７６，７６の紙幣押圧面の幅（両スペーサー７６，７６の間隔方向の幅、すなわち紙幣の繰出し幅方向の幅）を十分にとってフィードローラ７７，７７の押圧域まで設けるようにしてもよい。その場合はスペーサー７６，７６を完全に側壁５４，５４の両外側へ退避させるには非常に大なる距離を移動させねばならないばかりでなく大なる退避空間を側壁５４，５４の両側に確保しておく必要がある。本例はその点を考慮してスペーサー７６，７６の幅をできるだけ小さくしているのである。なおスペーサー７６，７６の幅方向寸法を十分にとってフィードローラ７７，７７の押圧域までこのスペーサー７６，７６を設ける場合は、ルーズベルト８１，８１は紙幣繰出し時には回動を停止させるようにしてもよい。その場合にはルーズベルト８１，８１は回動停止状態のまま繰出される紙幣で紙幣搬送面まで姿勢変形（図１１の実線位置から一点鎖線位置へ変形）され、繰出しがとぎれたり、あるいは繰出しが終了すると元の姿勢（図１１の実線位置）に復帰する。
【００９８】
また紙幣繰込み時はルーズベルト８１，８１は図１０においてフィードローラ７７，７７の周面位置を越えた実線位置の待機姿勢から繰込み紙幣先端で押され、繰込み済紙幣の後端をこのルーズベルト部位で押しのけながら繰込み紙幣とともに収納空間もしくは一時保留空間へ入り込む。これによって繰込み済紙幣の後端と繰込み紙幣先端の衝突を防ぎ、確実に繰込み紙幣を集積させるのである。繰込み紙幣が繰込まれるとルーズベルト８１，８１は自身の回動による移動によって紙幣間から抜け出し、元の姿勢に復帰し、つぎの紙幣の繰込みに備える。
【００９９】
図４、図５、図７において、押え板８２，８２は、通常は機体１の図５の位置（スペーサー７６，７６の紙幣押圧面から少許の間隙をおいた位置）に位置しているが、一時保留紙幣繰出時にスペーサー７６，７６側へ移動して押え板８２，８２の紙幣押圧面と端壁５３の内面とが同一面となる位置に停止され、スペーサー７６，７６と押圧板８２，８２との間で一時保留紙幣を押圧保持するようになっている。また図８において８３は収納部４３内の収納紙幣Ｐ、および一時保留紙幣を押圧する押圧部材で、内枠３６の側壁内面に形成された後方（図８の右方）へ下り傾斜するレール８４に押圧部材８３の側部のローラが係合され、このローラを下方へ付勢するバネ８５の力で押圧部材８３が機体１の後方（図８の右方）へ移動する力を生じさせるようになっている。
【０１００】
各搬送系の駆動系は、図２および図１２に示すように、入金口２に設けられる繰込み手段１０を駆動するモータＭ１  と、紙幣送込み搬送通路１１、入金リジェクト紙幣搬送路１４、出金紙幣送出路１６を駆動するモータＭ２  と、紙幣区分通路１３（区分通路部１３ａおよび各分岐通路２３１  〜２３３  ）を駆動するとともに各繰込み・繰出し手段５５，５５，５５を各クラッチＣＬ１  ，ＣＬ２  ，ＣＬ３  を介して駆動するモータＭ３  と、放出紙幣収納部１５へ紙幣を送入するローラ群を駆動するとともに搬送路１７のローラ１７ａ，１７ｂを駆動するモータＭ４  とを備え、また表裏反転合流通路機構２５を接続する場合には、同機構２５を駆動するモータＭ５  も加えられる。これらのモータのうちモータＭ１  ，Ｍ４  は正転駆動のみとし、Ｍ２  ，Ｍ３  ，Ｍ５  は正逆駆動されるものである。
【０１０１】
また搬送時の通路切換用としてソレノイドＳＤ１  ，ＳＤ２  ，ＳＤ３  ，ＳＤ４−１  ，ＳＤ５−１  ，ＳＤ５−２  が設けられ、表裏反転合流通路機構２５が接続される場合はソレノイドＳＤ４−１  をなくするとともにソレノイドＳＤ４−２  ，ＳＤ４−３  が加わる。
【０１０２】
また搬送系以外の駆動手段としては、入金口２へ堆積載置された紙幣Ｐを繰込み手段１０へ押圧する押板２ｂの移動を行なうモータＭ６  、各収納カセット５１  ，５２  ，５３  の中間枠３５を移動させるモータＭ７−１  ，Ｍ７−２  ，Ｍ７−３  、同様に各カセット５１  〜５３  ごとに設けられるベルト７４の駆動用モータＭ８−１  ，Ｍ８−２  ，Ｍ８−３  、垂直面部４９，４９の移動用ソレノイドＳＤ６−１  ，ＳＤ６−２  ，ＳＤ６−３  、ロック部材６８のロック解除用ソレノイドＳＤ７−１  ，ＳＤ７−２  ，ＳＤ７−３  がそれぞれ設けられる。そしてこれらのモータおよびソレノイドが駆動制御部Ｃ２  に接続され、この駆動制御部Ｃ２  は全体制御部Ｃ１  に接続される。この全体制御部Ｃ１  は、入金モード操作、入金承認操作、入金非承認操作、出金モード操作、出金希望金額指定操作等の操作を行なうめたの操作部４に接続されるとともに、識別部１２および各収納カセット５１  ，５２  ，５３  の収納紙幣量の満杯を検知する満杯検知センサＳ１  ，Ｓ２  ，Ｓ３  に接続される。
【０１０３】
特に入金紙幣の繰込み時において満杯検知センサＳ１  ，Ｓ２  ，Ｓ３  が満杯検知をしない場合は、識別部１２で金種識別された紙幣は各収納カセット５１  ，５２  ，５３  へ送り込まれる。しかしいずれかの満杯検知センサＳ１  〜Ｓ３  が紙幣の満杯を検知している場合には、識別部で金種識別された紙幣であっても入金リジェクト紙幣として出金口３へ返却されるように、識別部１２の識別結果と満杯検知センサＳ１  〜Ｓ３  の検知結果に基づき入金紙幣繰込み時のソレノイドＳＤ３  ，ＳＤ４−１  の切換わりが制御されるのである。
【０１０４】
次に上記実施例の作用につき図１２に示す制御ブロック図と併せて説明する。
【０１０５】
まず「（Ａ０  ）収納カセット５１  〜５３  の機体１への装填動作」から説明する。一万円、五千円、千円の各紙幣を補充した収納カセット５１  〜５３  を図１に示す機体１の前面１ａの装着口１ｃ，１ｃ，１ｃへ挿入すると、挿入開始時点で各収納カセット５１  〜５３  のシャッタ３０，３０，３０のロックが解除され、さらに挿入すると装着口１ｃ，１ｃ，１ｃの内部に固定して設けられている係合部３３，３３，３３にシャッタ３０，３０，３０の突部３２，３２，３２が当接し、収納カセット５１  〜５３  の挿入にしたがってシャッタ３０，３０，３０が開かれていく。
【０１０６】
収納カセット５１  〜５３  が完全に挿入されると、機体１の前面１ａは図１の状態となり、機体１に装着された収納カセット５１  〜５３  は図４および図８に実線で示す状態におかれ、ここでソレノイドＳＤ７  （実際はＳＤ７−１  〜ＳＤ７−３  ）に通電されるとプランジャ７３が突出してロック部材６８が図において時計方向に回動し、そのロック部６８ａが中間枠３５、内枠３６の穴７０，７１から抜け、中間枠３５、内枠３６はバネ４２，４１の作用を受けて機体１の背部方向（図８の右方）へ突出移動する。内枠３６の端壁５３のストッパ５３ｂは中間枠３５の端部を係止しているので、内枠３６、中間枠３５ともに一体的に移動し、内枠３６の端壁５３が定位置の作動アーム７５に当ると、内枠３６と中間枠３５はその位置で停止される。これにより内枠３６の端壁５３の窓孔５３ａ，５３ａにキッカローラ５６，５６の一部が進入し、フィードローラ７７，７７はガイド５７，５７間に位置し、ゲートローラ７８，７８とルーズベルト８１，８１はガイド５９，５９間に位置する（図５図示および図８の鎖線図示）。
【０１０７】
規制部材５１，５１およびスペーサー７６，７６の幅方向位置（内枠３６の両側壁５４，５４間方向）は通常は規制部材５１，５１の面５１ｂ，５１ｂが内枠３６の両側壁５４，５４内面と同一面の位置にあり、また規制部材５１，５１の面５１ａ，５１ａは、内枠３６の端壁５３のストッパ５３ｂが中間枠３５の端部を係止しているときは端壁５３の内面より少許の間隔をおく外方（図８の右方）に位置しており、その結果収納紙幣群は一端面が端壁５３内面に接し、他端面が押圧部材８３に接している。そのとき、面５１ａ，５１ａは収納紙幣群の一端面とは接触せず、間隔をおいて位置されている。
【０１０８】
それ故、内枠３６、中間枠３５が図５図示および図８の鎖線図示位置に位置されても、規制部材５１，５１の面５１ａ，５１ａおよび面５１ｂ，５１ｂは内枠３６の端壁５３および両側壁５４，５４に対する位置関係は変わらない。またそのとき、押え板８２，８２は規制部材５１，５１に固定されるスペーサー７６，７６の紙幣押圧面に僅かの間隔をおいて位置されている。またローラ５２はレバー６６とは少許の間隙を有する位置にあり、またカム６０，６０は立位姿勢をとっており、垂直面部４９，４９とは間隔をおいて位置される。以上が「（Ａ０  ）収納カセット５１  〜５３  の機体１への装填動作」である。この状態で入金モード操作もしくは出金モード操作をするのであるが、表裏反転合流通路機構２５が接続されない場合と接続される場合の両例があり、まず接続しない場合から説明する。
【０１０９】
「（Ｂ０  ）入金モード（表裏反転合流通路機構２５無）」について説明する。
【０１１０】
入金口２の押板２ｂは通常は立位姿勢（図２の一点鎖線図示位置）にあり、機械操作者は入金紙幣を入金口２の底板２ａ上に揃えて集積し、入金スタート釦を操作する。それによってモータＭ６  が正転し、押板２ｂが水平姿勢となって入金紙幣の上面を押圧する。一方、モータＭ７−１  〜Ｍ７−３  が正転してレバー６６でローラ５２を押動し、各カセット５１  〜５３  の規制部材５１，５１およびスペーサー７６，７６が機体１の前方（図８の左側）へ移動され、内枠３６の端壁５３内面とスペーサー７６，７６の紙幣押圧面（端壁５３の内面の対向面）間に数枚の紙幣を繰込むことのできる一時保留空間が形成され、モータＭ７−１  〜Ｍ７−３  はその位置で停止してブレーキング状態となって保持される。
【０１１１】
次にモータＭ２  ，Ｍ３  ，Ｍ４  が正転される。これにより紙幣送込み搬送通路１１、入金リジェクト紙幣搬送路１４、出金紙幣送出路１６、紙幣区分通路１３（区分通路１３ａおよび各分岐通路２３１  〜２３３  ）が順方向駆動される。一方各金種別のクラッチＣＬ１  〜ＣＬ３  も接続状態となり、各金種別繰込み・繰出し手段５５，５５，５５が順方向駆動（紙幣繰込み方向に駆動）される。
【０１１２】
やや遅れてモータＭ１  が正転し、キッカローラ７、フィードローラ８が回転され、入金紙幣が１枚ずつ繰出され、紙幣送込み搬送通路１１を図２の右方へ送られ、識別部１２で真偽、金種、正損（正規の金種紙幣であって出金に使用できる正券かそれとも正規の金種紙幣ではあるが出金に使用できない損券か）、二枚重ね、連鎖、斜行等がチェックされる。一方、各収納カセット５１  〜５３  の挿入される機体１側には、図２において一時保留空間形成時における押圧部材８３の左方向極限位置を検知することにより各収納部４３内の紙幣の満杯を検知する満杯検知センサＳ１  ，Ｓ２  ，Ｓ３  が設けられているが、この満杯検知センサＳ１  ，Ｓ２  ，Ｓ３  が満杯を検知していない状態においては万円紙幣、五千円紙幣、千円紙幣の正券紙幣が入金適正紙幣と判断され、またいずれかの満杯センサＳ１  ，Ｓ２  ，Ｓ３  が満杯を検知している場合はその満杯金種紙幣については例え正券紙幣であっても入金オーバーフロー紙幣となり、入金不適正紙幣、すなわち入金リジェクト紙幣として扱われる。入金不適正紙幣、すなわち入金リジェクト紙幣（偽紙幣、二枚重ね、連鎖、斜行の各紙幣、入金オーバーフロー紙幣等）の場合は切換レバー２０の切換えにより入金リジェクト紙幣搬送路１４へ送り込まれ、図２に示すようにこの搬送路１４内を上昇したあと左折され、放出紙幣収納部１５へ送り込まれる。このとき押板２ｂは入金紙幣の上面に位置しており、入金リジェクト紙幣は自由に放出紙幣収納部１５から出金口３を通じて取り出せる。一方、識別部１２と満杯検知部Ｓ１  〜Ｓ３  の検知結果に基づいて入金適正紙幣と判断されると、切換レバー２１により図２の紙幣区分通路１３へ送り込まれ、切換レバー２２１  ，２２２  の切換えにより、対応する金種の分岐通路２３１  〜２３３  へ送られ、金種毎の各繰込み・繰出し手段５５を通じて各金種別の収納部４３に形成された一時保留空間へ収納される。また図１２の全体制御部Ｃ１  には識別部１２の識別データにもとづき算出される金種毎の一時保留枚数を記憶する金種別一時保留枚数記憶部（図示せず）があり、各記憶部に記憶される一時保留枚数データに基づき駆動制御部Ｃ２  を介して一時保留紙幣枚数の増加する金種のモータＭ７−１  〜Ｍ７−３  が駆動され、カム６５、レバー６６、ローラ５２により対応する金種の規制部材５１，５１およびスペーサー７６，７６が図２の左方へ移動して一時保留空間が拡げられ、常に数枚の紙幣の受け入れが可能な一時保留空間が形成保持される。
【０１１３】
このようにして各収納部４３に形成された各一時保留空間へ、入金口１に装填されたすべての入金紙幣が繰込まれて一時保留される。入金口１には紙幣の有無を検知する投受光センサ（図示せず）があり、この投受光センサ（図示せず）が入金紙幣繰込中に紙幣無を検知してから所定時間経過後（繰込まれた最後の紙幣が一時保留空間または放出紙幣収納部１５へ到達するに十分な所定時間後）にモータＭ１  ，Ｍ２  ，Ｍ３  ，Ｍ４  が停止される。この状態で入金承認、入金非承認の操作が可能となる。
【０１１４】
このときモータＭ６  は停止状態（入金紙幣繰込み開始時にモータＭ６  が回転されて押板２ｂが紙幣を押圧し水平姿勢になったのちはモータＭ６  は停止し、この押板２ｂはバネ力で紙幣を押圧し、紙幣がなくなるまでそのバネ力で水平姿勢を保ちながら下降する。）のままであり、押板２ｂも水平姿勢のまま入金口２の底板２ａ上部に位置されて放出紙幣収納部１５は開放状態にある。
【０１１５】
機械操作者は、放出紙幣収納部１５へ放出された入金リジェクト紙幣がある場合はその紙幣をとり出し、機体１の前面１ａ上部に設けられる表示部の入金金額を見て操作部４により入金承認または入金非承認の釦操作を行なう。
【０１１６】
〔（ａ）  入金承認釦操作〕がなされると、ソレノイドＳＤ６−１  〜ＳＤ６−３  が励磁され、図６および図８に示すカム６０，６０が立位姿勢から傾斜姿勢に回動されて垂直面部４９，４９を押動し、規制部材５１，５１およびスペーサー７６，７６は内枠３６の両側壁５４，５４より両側外方へ移動される。そのとき収納済紙幣が押圧部材８３で機体１の背部方向（図８の右方）へ押動移動され、一時保留紙幣も一緒に端壁５３の内面へ押しつけられる。規制部材５１，５１およびスペーサー７６，７６は、各モータＭ７−１  〜Ｍ７−３  の逆転によりカム６５が逆転し、カム６５の最小径カム面がレバー６６に接触するまで回転、すなわちカム６５が定位置まで回転して停止する。内枠３６および中間枠３５は、ローラ５２がレバー６６に当接しているので一体的に移動するが、その移動途中で内枠３６の端壁５３が作動アーム７５に当って停止し、中間枠３５もストッパ５３ｂを通じて内枠３６と一体的にその位置で停止される。この時点までソレノイドＳＤ６−１  〜ＳＤ６−３  は励磁状態が保たれ、規制部材５１，５１およびスペーサー７６，７６は両側壁５４，５４の両側外方に位置し、その前後方向位置は規制部材５１，５１の面５１ａ，５１ａが図８において端壁５３の内面より右方に位置しかつ押え板８２，８２の紙幣押圧面（図８の左面）よりスペーサー７６，７６の紙幣押圧面（図８の右面）がやや左方に位置する。その状態でソレノイドＳＤ６−１  〜ＳＤ６−３  が非励磁となり、カム６０，６０は立位姿勢となり、垂直面部４９，４９の押圧を解除する。その結果、規制部材５１，５１およびスペーサー７６，７６は面５１ｂ，５１ｂが接近する幅方向に移動し、ピン５０，５０が長孔４７，４７の外端で係止された位置で止まり、図５図示位置すなわち図８鎖線図示位置に位置される。このときの規制部材５１，５１の面５１ａ，５１ａの機体１に対する前後方向位置は、端壁５３の内面より後方（図８の右方）に位置し、また押え板８２，８２の紙幣押圧面（図８の左面）とスペーサー７６，７６の紙幣押圧面（図８の右面）との間にわずかの間隙がある。また規制部材５１，５１の面５１ｂ，５１ｂは側壁５４，５４の内面と同一面の位置におかれる。
【０１１７】
以上で規制部材５１，５１、スペーサー７６，７６は初期位置に戻されたことになり、一時保留紙幣の収納動作がなされたことになる（一時保留紙幣自身の収納動作は収納紙幣と合体された時点で終っているが、機構自身の収納動作は規制部材５１，５１、スペーサー７６，７６が初期位置へ復帰して収納動作の終了となる。）。
【０１１８】
その直後にモータＭ６  が逆転し、押板２ｂが上昇した後垂直姿勢になり、出金口３を閉塞する位置に復帰する。
【０１１９】
つぎに〔（ｂ）  入金非承認の釦操作〕を行なった場合について説明する。
【０１２０】
入金非承認釦操作により、まず押え板８２，８２が図示しない移動機構により図１０において左方へ移動し、押え板８２，８２の紙幣押圧面（図１０における左面）が端壁５３の内面と同一面に位置される。その直後にモータＭ７−１  〜Ｍ７−３  が逆転し、カム６５も逆転されて定位置（カム６５の最径小カム面がレバー６６に接触する位置）まで回転したときモータＭ７−１  〜Ｍ７−３  は停止する。規制部材５１，５１、スペーサー７６，７６はそのとき図１０の右方へ動かされ、一時保留紙幣がスペーサー７６，７６で押え板８２，８２に押しつけられて締めつけられたときスペーサー７６，７６、規制部材５１，５１は停止する。一時保留紙幣は押え板８２，８２およびスペーサー７６，７６の各紙幣押圧面間に挟着保持され、また収納紙幣は規制部材５１，５１の面５１ａ，５１ａと押圧部材８３との間に押圧保持される。次にソレノイドＳＤ２  ，ＳＤ４−１  が励磁され、切換レバー１９，２１が切換えられて入金返却紙幣を出金紙幣送出路１６への送込み姿勢、識別部１２への送込み姿勢をとっており、このときソレノイドＳＤ５−１  ，ＳＤ５−２  は非励磁のままで、切換レバー２２１  ，２２２  は分岐通路２３１  ，２３２  から送られてくる紙幣を紙幣区分通路部１３ａへ送り込む姿勢をとっている。この状態でモータＭ２  ，Ｍ３  が逆回転され、またモータＭ４  が正回転する。
【０１２１】
次にクラッチＣＬ１  が入り、万円紙幣の収納カセット５１  に対応する繰込み・繰出し手段５５が逆方向駆動され、一時保留された万円紙幣が１枚ずつ繰出され、分岐通路２３１  、切換レバー２２１  、紙幣区分通路部１３ａ、切換レバー２１、紙幣送込み搬送通路１１の識別部１２設置域、切換レバー１９、出金紙幣送出路１６を通り放出紙幣収納部１５へ送出される。このようにして、一時保留された一万円紙幣がなくなるとスペーサー７６，７６の紙幣押圧面は端壁５３の内面と同一面の位置にある押え板８２，８２に当って停止する。識別部１２では一万円紙幣が所定時間到来しないことにより一時保留された一万円紙幣がすべて繰出されたと判断し、クラッチＣＬ１  を断とし、一万円紙幣の繰込み・繰出し手段５５は停止する。またその直後にソレノイドＳＤ５−１  が励磁され、切換レバー２２１  は垂直姿勢（分岐通路２３１  を塞ぐ姿勢）となる。
【０１２２】
次に五千円紙幣に対応するクラッチＣＬ２  が入り、収納カセット５２  に対応する繰込み・繰出し手段５５が逆方向駆動され、同様にして一時保留された五千円紙幣が１枚ずつ繰出され、分岐通路２３２  、切換レバー２２２  、紙幣区分通路部１３ａ、切換レバー２１、紙幣送込み搬送通路１１の識別部１２設置域、切換レバー１９、出金紙幣送出路１６を通り放出紙幣収納部１５へ送出される。このようにして、一時保留された五千円紙幣がなくなるとスペーサー７６，７６の紙幣押圧面は端壁５３の内面と同一面の位置にある押え板８２，８２に当って停止する。識別部１２では五千円紙幣が所定時間到来しないことにより一時保留された五千円紙幣がすべて繰出されたと判断してクラッチＣＬ２  を断とし、五千円紙幣の繰込み・繰出し手段５５は停止される。
【０１２３】
その直後にソレノイドＳＤ５−２  が励磁され、切換レバー２２２  は垂直姿勢（分岐通路２３２  を塞ぐ位置）となる。
【０１２４】
次に千円紙幣に対応するクラッチＣＬ３  が入り、収納カセット５３  に対応する繰込み・繰出し手段５５が逆方向駆動され、同様にして一時保留された千円紙幣が１枚ずつ繰出され、分岐通路２３３  、紙幣区分通路部１３ａ、切換レバー２１、紙幣送込み搬送通路１１の識別部１２設置域、切換レバー１９、出金紙幣送出路１６を通り放出紙幣収納部１５へ送出される。このようにして一時保留された千円紙幣がなくなるとスペーサー７６，７６の紙幣押圧面は端壁５３の内面と同一面の位置にある押え板８２，８２に当って停止する。識別部１２では、千円紙幣が所定時間到来しないことにより一時保留された千円紙幣がすべて繰出されたと判断してクラッチＣＬ３  を断とし、千円紙幣の繰込み・繰出し手段５５は停止される。その後搬送系にあるすべての紙幣が放出紙幣収納部１５へ収納される所定時間経過後にモータＭ２  ，Ｍ３  ，Ｍ４  が停止され、またソレノイドＳＤ２  ，ＳＤ４−１  ，ＳＤ５−１  ，ＳＤ５−２  も非励磁となって図２の姿勢に復帰する。また最後に繰出し動作される繰込み・繰出し手段５５に対応するクラッチＣＬ３  が断となった時点ですべての収納カセット５１  〜５３  の各押え板８２，８２が図１０の右方へ移動し、実線位置で停止する。その結果各収納カセット５１  〜５３  の規制部材５１，５１およびスペーサー７６，７６も図１０の右方へ移動するが、その移動途中で中間枠３５の端部が内枠３６のストッパ５３ａで係止されて停止される。その位置が元の位置で、そのとき規制部材５１，５１の面５１ａ，５１ａは端壁５３の内面より図１０におけるやや右方に位置し、押え板８２，８２の紙幣押圧面に対しスペーサー７６，７６の紙幣押圧面はやや間隔をおいた位置に位置される。また中間枠３５のローラ５２はカム６５に当接するレバー６６に僅かの間隙をおいて位置される。
【０１２５】
なお一時保留紙幣が三金種共ある場合であろうと二金種以下であろうとすべての収納カセット５１  ，５２  ，５３  には一時保留空間が形成されているので、必ず上記説明の順に作動する。なお例えば万円紙幣がない場合はクラッチＣＬ１  が入いり、一万円紙幣用の繰込み・繰出し手段５５が駆動されても識別部１２が所定時間の間紙幣の到来を検知しないので、一時保留の一万円紙幣が存在しないと判断（一時保留の一万円紙幣が繰出されてしまった時と同じ状態）して次の動作に進むのである。一時保留の五千円紙幣とか千円紙幣がない場合も同じである。
【０１２６】
こうして一時保留された入金紙幣が放出紙幣収納部１５へ収納され終ったとき押板２ｂは入金紙幣繰込み終了時と同じ底板２ａ上で水平姿勢のままの位置にあり、機械操作者は入金返却紙幣を出金口３から自由に取り出せる。この入金返却紙幣が出金口３から取り出されると放出紙幣収納部１５内の図示しない投受光センサにより放出紙幣の抜取りが検知され、モータＭ６  が逆転され、その結果押板２ｂが上昇して垂直姿勢になり、出金口３を塞ぎ、機械全体が待機状態に復帰する。
【０１２７】
つぎに「（Ｃ０  ）出金モード（表裏反転合流通路機構２５無）」について説明する。
【０１２８】
操作部４により出金金額もしくは出金すべき金種と金額（または枚数）を入力し、出金スタート釦を操作する。このとき押板２ｂは出金口３を閉じた図２状態にある。
【０１２９】
出金釦操作によりモータＭ２  ，Ｍ３  が逆転回転し、モータＭ４  は正転回転する。クラッチＣＬ１  ，ＣＬ２  ，ＣＬ３  はまだ入っていない。
【０１３０】
この状態で収納カセット５１  ，５２  ，５３  の各モータＭ７−１  〜Ｍ７−３  が正転駆動され、規制部材５１，５１の面５１ａ，５１ａが端壁５３の内面と同一面になった位置で停止される。これにより収納カセット５１  〜５３  の収納紙幣は端壁５３の内面および面５１ａ，５１ａと押圧部材８３との間に挟持されて保持される。一方、紙幣区分通路１３、紙幣送込み搬送通路１１、出金紙幣送出路１６、入金リジェクト紙幣搬送路１４は逆方向へ駆動され、放出紙幣収納部１５の各ローラおよび搬送路１７は順方向駆動されている。またソレノイドＳＤ４−１  が励磁され、出金紙幣を紙幣送込み搬送通路１１へ送り込む姿勢をとる。ソレノイドＳＤ５−１  ，ＳＤ５−２  は非励磁で、切換レバー２２１  ，２２２  は分岐通路２３１  ，２３２  と紙幣区分通路部１３ａとの接続姿勢をとっている。
【０１３１】
万円紙幣の出金が有か無かを全体制御部Ｃ１  で判断し、無の場合はソレノイドＳＤ５−１  を励磁させて切換レバー２２１  を垂直姿勢にし、紙幣区分通路部１３ａの下方から上昇してくる紙幣の上昇を許容する。
【０１３２】
万円紙幣の出金が有る場合は、ソレノイドＳＤ５−１  は励磁させないままクラッチＣＬ１  を励磁させ、希望枚数の紙幣を繰出した後、クラッチＣＬ１  を切る。つまりキッカローラ７、フィードローラ９が同期して一回転（キッカローラ７の一回転でフィードローラ９が一回転）することにより紙幣の１枚繰出しがされるので、キッカローラ７の回転数を図示しない検知センサで検知し、繰出すべき紙幣枚数分の回転がなされると一旦停止させるのである。繰出された一万円紙幣は分岐通路２３１  、切換レバー２２１  、紙幣区分通路部１３ａ、切換レバー２１、紙幣送込み搬送通路１１へと送られ、識別部１２で出金適正紙幣（一万円紙幣）か出金不適正紙幣（一万円紙幣以外の金種紙幣、二枚重なり、連鎖、斜行紙幣等）かの識別がなされ、出金適正紙幣のときはソレノイドＳＤ２  の励磁により切換レバー１９を下方へ揺動させてその紙幣を出金紙幣送出路１６を通じて放出紙幣収納部１５へ送り込む。また出金不適正紙幣のときはソレノイドＳＤ２  は非励磁となって切換レバー１９は上昇し、またソレノイドＳＤ１  が励磁されて切換レバー１８は上昇し、その出金不適正紙幣は出金リジェクト紙幣として図２において紙幣送込み搬送通路１１を左方へ移動して搬送路１７から収納カセット５１  に形成される出金リジェクト紙幣収納部５′へ送り込まれる。識別部１２の識別結果により図１２の全体制御部Ｃ１  では１万円紙幣について指定された枚数値（金額指定の場合は換算された枚数値をこう呼ぶ）と識別部１２を通過した出金適正紙幣の枚数を比較し、不足する枚数分について一万円紙幣用のキッカローラ７およびフィードローラ９をその枚数分追加回転させたのちクラッチＣＬ１  を切る。繰出された紙幣は識別部１２で出金適正紙幣か出金不適正紙幣か判断され、その識別結果により放出紙幣収納部１５または出金リジェクト紙幣収納部５′へ収納され、全体制御部Ｃ１  で一万円紙幣について指定された枚数値と識別部１２を通過した出金適正紙幣の枚数値が一致するまで不足枚数分キッカローラ７、フィードローラ９を追加回転させたのちクラッチＣＬ１  を切り、前記各値が一致したとき次位の金種紙幣の繰出しに移る。
【０１３３】
すなわち、まずソレノイドＳＤ５−１  が励磁されて切換レバー２２１  は垂直姿勢となる。そして五千円紙幣の出金が有るか無かを全体制御部Ｃ１  で判断し、無の場合はソレノイドＳＤ５−２  を励磁させて切換レバー２２２  を垂直にし、紙幣区分通路部１３ａの下方から上昇してくる紙幣の上昇を許容する。この状態で千円紙幣の出金が有るか無かを全体制御部Ｃ１  で判断し、無の場合はソレノイドＳＤ４−１  ，ＳＤ５−１  ，ＳＤ５−２  は非励磁になって図２の姿勢となり、また操作者の希望する金額の出金紙幣が放出紙幣収納部１５へ収納されるに十分な所定時間経過後に全体制御部Ｃ１  および駆動制御部Ｃ２  を通じてモータＭ２  ，Ｍ３  ，Ｍ４  が停止されるとともにモータＭ６  が正転され、図２において押板２ｂが底板２ａ上で水平姿勢となる。その結果出金口３を通じ放出紙幣収納部１５へ放出された出金紙幣の取り出しができる。そしてこの放出紙幣収納部１５内の出金紙幣が取り出されたことが投受光センサ（図示せず）により検知されると、全体制御部Ｃ１  および駆動制御部Ｃ２  でモータＭ６  が逆転され、押板２ｂは図２の一点鎖線図示位置に至り、出金口３を閉じる。これによって機械は待機状態に復帰する。また五千円紙幣の出金が無で千円紙幣の出金がある場合は、五千円紙幣の出金が有りで千円紙幣の出金が有りのときの、五千円紙幣の出金終了後の千円紙幣出金の動作と同じであるのでこの点の動作は後述することにする。五千円紙幣の出金がある場合は、ソレノイドＳＤ５−２  は非励磁のままでクラッチＣＬ２  を励磁させ、希望枚数の紙幣を繰出した後、クラッチＣＬ２  を切る。つまりキッカローラ７、フィードローラ９が同期して一回転（キッカローラ７の一回転でフィードローラ９が一回転）することにより紙幣の１枚くり出しがなされるので、キッカローラ７の回転数を図示しない検知センサで検知し、繰出すべき紙幣枚数分の回転がなされると一旦停止させる。繰出された五千円紙幣は分岐通路２３２  、切換レバー２２２  、紙幣区分通路部１３ａ、切換レバー２１、紙幣送込み搬送通路１１へと送られ、識別部１２で出金適正紙幣（五千円紙幣）か出金不適正紙幣（五千円紙幣以外の金種紙幣、二枚重なり、連鎖、斜行紙幣等）かの識別がなされ、出金適正紙幣のときはソレノイドＳＤ２  の励磁により切換レバー１９を下方へ揺動させてその紙幣を出金紙幣送出路１６を通じて放出紙幣収納部１５へ送り込む。また出金不適正紙幣のときはソレノイドＳＤ２  は非励磁となって切換レバー１９は上昇し、またソレノイドＳＤ１  が励磁されて切換レバー１８は上昇し、その出金不適正紙幣は出金リジェクト紙幣として図２において紙幣送込み搬送通路１１を左方へ移動して搬送路１７から収納カセット５１  に形成される出金リジェクト紙幣収納部５′へ送りこまれる。
【０１３４】
識別部１２の識別結果により図１２の全体制御部Ｃ１  では、五千円紙幣について指定された枚数値（金額指定の場合は換算された枚数値をこう呼ぶ）と識別部１２を通過した出金適正紙幣の枚数とを比較し、不足する枚数分について五千円紙幣用のキッカローラ７およびフィードローラ９をその枚数分追加回転させたのちクラッチＣＬ２  を切る。追加繰出された紙幣は識別部１２で出金適正紙幣か出金不適正紙幣かが判断され、その識別結果により放出紙幣収納部１５または出金リジェクト紙幣収納部５′へ収納され、全体制御部Ｃ１  で五千円紙幣について指定された枚数値と識別部１２を通過した出金適正紙幣の枚数値とが一致するまで不足枚数分キッカローラ７、フィードローラ９を追加回転させたのちクラッチＣＬ２  を切り、前記各値が一致したとき、次位の金種紙幣（千円紙幣）の繰出しに移る。
【０１３５】
すなわち、まずソレノイドＳＤ５−２  が励磁されて切換レバー２２２  は垂直姿勢となる。そして千円紙幣の出金が有るか無かを全体制御部Ｃ１  で判断し、無の場合はソレノイドＳＤ４−１  ，ＳＤ５−１  ，ＳＤ５−２  は非励磁になって切換レバー２１，２２１  ，２２２  は図２の姿勢となり、また操作者の希望する金額の出金紙幣が放出紙幣収納部１５へ収納されるに十分な所定時間経過後に全体制御部Ｃ１  および駆動制御部Ｃ２  を通じてモータＭ２  ，Ｍ３  ，Ｍ４  が停止されるとともにモータＭ６  が正転され、図２において押板２ｂが底板２ａ上で水平姿勢となる。その結果出金口３を通じ放出紙幣収納部１５へ放出された出金紙幣の取り出しができる。そしてこの放出紙幣収納部１５内の出金紙幣が取り出されたことが投受光センサ（図示せず）により検知されると、全体制御部Ｃ１  および駆動制御部Ｃ２  でモータＭ６  が逆転され、押板２ｂは図２の一点鎖線図示位置に至り、出金口３を閉じる。これによって機械は待機状態に復帰する。また千円紙幣の出金が有りの場合（これは「五千円紙幣出金が無で千円紙幣出金有りの場合（前記では説明省略）も同じ作用）、ソレノイドＳＤ５−２  の励磁が維持されて切換レバー２２２  も垂直姿勢に維持される。そしてクラッチＣＬ３  を励磁させ、希望枚数の紙幣を繰出した後、クラッチＣＬ３  を切る。つまりキッカローラ７、フィードローラ９が同期して一回転（キッカローラ７の一回転でフィードローラ９が一回転）することにより紙幣の１枚繰り出しがなされるので、キッカローラ７の回転数を図示しない検知センサで検知し、繰出すべき紙幣枚数分の回転がなされると一旦停止させる。繰出された千円紙幣は分岐通路２３３  、紙幣区分通路部１３ａ、切換レバー２１、紙幣送込み搬送通路１１へと送られ、識別部１２で出金適正紙幣（千円紙幣）か出金不適正紙幣（千円紙幣以外の金種紙幣、二枚重なり、連鎖、斜行紙幣等）かの識別がなされ、出金適正紙幣のときはソレノイドＳＤ２  の励磁により切換レバー１９を下方へ揺動させてその紙幣を出金紙幣送出路１６を通じて放出紙幣収納部１５へ送り込む。また出金不適正紙幣のときはソレノイドＳＤ２  は非励磁となって切換レバー１９は上昇し、またソレノイドＳＤ１  が励磁されて切換レバー１８は上昇し、その出金不適正紙幣は出金リジェクト紙幣として図２において紙幣送込み搬送通路１１を左方へ移動して搬送路１７から収納カセット５１  に形成される出金リジェクト紙幣収納部５′へ送りこまれる。識別部１２の識別結果により図１２の全体制御部Ｃ１  では、千円紙幣について指定された枚数値（金額指定の場合は換算された枚数値をこう呼ぶ）と識別部１２を通過した出金適正紙幣の枚数とを比較し、不足する枚数分について千円紙幣用のキッカローラ７およびフィードローラ９をその枚数分追加回転させたのちクラッチＣＬ３  を切る。追加繰出された紙幣は識別部１２で出金適正紙幣か出金不適正紙幣か判断され、その識別結果により放出紙幣収納部１５または出金リジェクト紙幣収納部５′へ収納され、全体制御部Ｃ１  で千円紙幣について指定された枚数値と識別部１２を通過した出金適正紙幣の枚数値が一致するまで不足枚数分キッカローラ７、フィードローラ９を追加��転させたのちクラッチＣＬ３  を切り、前記各値が一致したとき全金種の紙幣の出金繰出しが終了する。そしてソレノイドＳＤ４−１  ，ＳＤ５−１  ，ＳＤ５−２  は非励磁になって切換レバー２１，２２１  ，２２２  は図２の姿勢となり、また操作者の希望する金額の出金紙幣が放出紙幣収納部１５へ収納されるに十分な所定時間経過後に全体制御部Ｃ１  および駆動制御部Ｃ２  を通じてモータＭ２  ，Ｍ３  ，Ｍ４  が停止されるとともにモータＭ６  が正転され、図２において押板２ｂが底板２ａ上で水平姿勢となる。その結果出金口３を通じ放出紙幣収納部１５へ放出された出金紙幣の取り出しができる。そしてこの放出紙幣収納部１５内の出金紙幣が取り出されたことが投受光センサ（図示せず）により検知されると、全体制御部Ｃ１  および駆動制御部Ｃ２  でモータＭ６  が逆転され、押板２ｂは図２の一点鎖線図示位置に位置されて出金口３を閉じる。一方モータＭ７−１  ，Ｍ７−２  ，Ｍ７−３  が逆転し、カム６５，６５，６５が定位置へ復帰したとき停止し、規制部材５１，５１も定位置へ復帰する。これによって機械は待機状態となる。
【０１３６】
以下同様にして操作者の入金モードまたは出金モードの操作により機械がそのモードに対応する入金モード動作または出金モード動作をする。
【０１３７】
次に「（Ｄ０  ）収納カセット５１  〜５３  の機体１からの回収動作」について説明する。
【０１３８】
操作部４において金種別カセット引抜き釦（図示せず）を操作する。つまりすべての収納カセット５１  〜５３  を回収したい場合は、万円用、五千円用、千円用の各カセット引抜き釦を押す。また業務中に或る特定金種の収納カセットが収納紙幣量が満杯になったり不足したりして回収したい場合は、その金種のカセット引抜き釦のみを押す。
【０１３９】
このカセット引抜き釦が押されると、図１２の全体制御部Ｃ１  、駆動制御部Ｃ２  によりカセット引抜き釦に対応する金種のモータＭ８  （実際はＭ８−１  〜Ｍ８−３  のカセット引抜き釦に対応するもの）が正転され、図５におけるベルト７４が回動され、作動アーム７５が内枠３６の端壁５３を押動して図５左方へ移動させる。このとき中間枠３５はバネ４２で内枠３６のストッパ５３ｂに当接しているのでこの中間枠３５も内枠３６と一体的に図５左方へ移動される。図８においては一点鎖線図示位置の内枠３６、中間枠３５が実線図示位置の作動アーム７５で左方へ移動されて実線図示位置へ移動され、収納カセット５内へ格納される。すると中間枠３５の底部下面に接触状態のロック部材６８のロック部６８ａが中間枠３５および内枠３６の底面の穴７０，７１に入り込み、中間枠３５、内枠３６を図８の実線位置で係止する。その状態が図４に示す状態である。この図４図示の状態で収納カセット５を引抜いていくと、係合部３３に対し収納カセット５は機体１の前面側（図４の左方向）へ相対移動し、そのためこの係合部３３にバネ付勢される収納カセット５のシャッタ３０は閉じられていき、シャッタ３０が係合部３３から外れたとき収納カセット５の内端面５ａがシャッタ３０で閉鎖される。
【０１４０】
そしてこの収納カセット５が機体１から引抜きが終了した時点で収納カセット５のシャッタ３０にロックがかけられ、鍵によらなければ開放できないようになる。その直後にこの収納カセット５は機体１から完全に引抜かれ、精算所等へ持ち運ばれる。収納カセット５１  〜５３  のすべてを引き出す場合は各カセット毎に同じ動作をすればよい。
【０１４１】
以上の動作説明は、表裏反転合流通路機構２５が接続されない場合の説明であったが次に表裏反転合流通路機構２５を接続した場合について説明する。なお表裏反転合流通路機構２５を接続しない場合の動作と同じ動作の部分は省略し、異なる点のみ説明することにする。ところでこの例ではソレノイドＳＤ４−１  は用いず、切換レバー２１は図２図示の水平姿勢で固定される。またソレノイドＳＤ４−２  ，ＳＤ４−３  およびモータＭ５  が加えられる。
【０１４２】
そしてこの例では「（Ｂ１  ）入金モード（表裏反転合流通路機構２５有」のときと「（Ｃ１  ）出金モード（表裏反転合流通路機構２５有」のときが前述の動作説明と相違する。
【０１４３】
（Ｂ１  ）入金モード（表裏反転合流通路機構２５有）のときは、図２において入金スタート釦操作後のモータＭ２  ，Ｍ３  ，Ｍ４  の正転時にモータＭ５  も正転され、これにより紙幣送込み搬送通路１１、入金リジェクト紙幣搬送路１４、出金紙幣送出路１６、紙幣区分通路１３に加え、表裏反転合流通路機構２５も正方向駆動される（なお本発明においては表裏反転合流通路機構２５も紙幣送込み搬送通路１１の構成部分であるが、説明を分りやすくするためこの実施例の説明においては別の構成として説明することにする。）。
【０１４４】
そしてやや遅れてモータＭ１  が正転し、入金紙幣が１枚ずつ繰込まれ、識別部１２でその紙幣が入金適正紙幣か否か、入金適正紙幣のときは表向き紙幣か裏向き紙幣か（実際の紙幣の表面、裏面をさす場合に限られず、実際の紙幣の裏面向きの紙幣を表向き紙幣と設定する場合は実際の紙幣の表面向きの紙幣が裏向き紙幣に設定される。）の判定がなされる。入金不適正紙幣は前述の動作説明と同じであるが、入金適正紙幣は切換レバー２０，２１（ソレノイドＳＤ３  は非励磁で、両レバー２０，２１共水平姿勢）の間を通過し、羽根車２６の下面部位とベルト２７とで図２の右方の非反転通路２９ａへ送られ、識別部１２での識別結果が裏向き紙幣（反転すべき紙幣）のときはソレノイドＳＤ４−２  が励磁されてレバー２８ａが上方へ突出し、左方から進行してくる裏向き紙幣はレバー２８ａにその先端が突き当って進行が停止され、一方その裏向き紙幣の後端は羽根車２６の回転により羽根車２６の上面部位に移動され、その結果この羽根車２６の上面部位とそれに対向するローラとで挟持されて後端が先端となって反転通路２９ｂを送られ、ガイド部材２８ｂの上面でガイドされて合流通路２９ｃへ送り込まれる。
【０１４５】
また識別部１２が表向き紙幣（反転不要の紙幣）と識別されたときは、ソレノイドＳＤ４−２  は励磁されず、レバー２８ａは搬送路から退避した下降位置にあり、表向き紙幣は水平方向右方へ進み、さらに鋭角的にカーブして斜め左上方へ向く非反転通路２９ａを送られ、ガイド部材２８ｂの右側面でガイドされながら合流通路２９ｃへ送り込まれる。
【０１４６】
このようにして表裏反転合流通路機構２５へ進入した紙幣は途中で反転通路２９ｂ、非反転通路２９ａに分かれるが、進入する紙幣順序を保ちながら合流通路２９ｃへ送り込まれる。こうして合流通路２９ｃの末端から紙幣区分通路部１３ａの入口部（切換レバー２２１  の設置位置）へ送り込まれる。このとき切換レバー２２１  は到来する紙幣の金種によって一万円紙幣の場合はソレノイドＳＤ５−１  が非励磁となってその一万円紙幣を分岐通路２３１  へ送り、また五千円紙幣および千円紙幣の場合はソレノイドＳＤ５−１  を励磁させて切換レバー２２１  を垂直姿勢にし、紙幣区分通路部１３ａを下降させてソレノイドＳＤ５−２  の励磁または非励磁による切換レバー２２２  の切換により対応する金種の分岐通路２３２  または２３３  へ送り込まれる。
【０１４７】
またこうして一時保留された入金紙幣を返却する〔（ｂ）  入金非承認の釦操作〕時および「（Ｃ１  ）出金モード（表裏反転合流通路機構２５有）」のときには次のように動作する点が相違する。すなわち、入金非承認釦操作時はその操作から所定時間経過後にモータＭ２  ，Ｍ３  の逆回転およびモータＭ４  の正回転が開始される点は既に述べたが、その開始時に同時にモータＭ５  も逆回転され、またソレノイドＳＤ４−３  が励磁されてガイド部材２８ｂが図２の斜め左上方位置に位置され、反転通路２９ｂを塞ぐ。また出金釦操作時には即時にモータＭ２  ，Ｍ３  の逆回転とモータＭ４  の正回転が開始されることは既に述べたが、その開始時にモータＭ５  も逆回転されて表裏反転合流通路機構２５は逆方向駆動され、またソレノイドＳＤ４−３  が励磁されてガイド部材２８ｂが図２の斜め左上方位置に位置されて反転通路２９ｂを塞ぐ。そして各収納カセット５１  〜５３  から繰り出された入金返却紙幣または出金紙幣は分岐通路２３１  ，２３２  ，２３３  から紙幣区分通路部１３ａへ送り込まれ、紙幣区分通路１３ａの入口部（切換レバー２２１  の設置位置）から合流通路２９ｃへ送り込まれる。そのときガイド部材２８ｂはソレノイドＳＤ４−３  の励磁により斜め左上方へ移動位置されて反転通路２９ｂを塞いでおり、合流通路２９ｃから出る紙幣はガイド部材２８ｂの右側面でガイドされて非反転通路２９ａへ送り込まれ、斜め下右方へ向ったあと鋭角的にカーブして左水平方向へ送られて切換レバー２０，２１（切換レバー２１は固定位置）間を通って識別部１２へ送られる。
【０１４８】
なおこの例では、切換レバー２１を水平方向に固定とし、ソレノイドＳＤ４−１  を取り除いたものとしたが、切換レバー２１を揺動可能とし、ソレノイドＳＤ４−１  をそのまま設け、入金紙幣返却時および出金時には紙幣区分通路１３ａを垂直に上昇させて切換レバー２１で識別部１２側へ左折させるようにしてもよい。すなわちその場合は入金紙幣の繰込み・搬送・一時保留動作時のみ表裏反転合流通路機構２５を使うわけである。その例での入金紙幣返却時および出金時は「（Ｂ０  ）入金モード（表裏反転合流通路機構２５無）」の〔（ｂ）  入金非承認の釦操作〕および「（Ｃ０  ）出金モード（表裏反転合流通路機構２５無）」の動作と全く同じである。
【０１４９】
次に第二の実施例について図１３および図１４により説明する。
【０１５０】
第一実施例と同じ構造部分は同番号もしくは対応番号（第一実施例ではＭ２  ，Ｍ３  であったものを第二実施例ではＭ２−１  ，Ｍ２−２  ，Ｍ３−１  ，Ｍ３−２  で示している）を付した。
【０１５１】
まずこの実施例では、収納カセット５１  ，５２  ，５３  のうち、収納カセット５１  を一括収納カセットとし、収納カセット５２  は一万円出金紙幣用収納カセット、収納カセット５３  は千円出金紙幣用の各金種別収納カセットとされ、特に一括収納カセット５１  は入金適正紙幣中の出金不適正紙幣（５千円金種紙幣と万円紙幣および千円紙幣中の損券紙幣と、万円紙幣および千円紙幣中の正券紙幣であっても収納カセット５２  ，５３  が満杯のときに機内へ送り込まれる入金オーバーフロー紙幣とをいう。ここで入金適正紙幣中の正券紙幣とは、紙幣の疲労、痛みが少なく、出金紙幣として使用することができる紙幣、入金適正紙幣中の損券紙幣とは紙幣の疲労、痛みが大で、出金紙幣として使用できない紙幣をいう。）を収納するカセットで、また業務の始業時、業務中の必要時、業務の終業時に収納カセット５２  ，５３  に対して紙幣の補充、紙幣の回収（詳細説明は動作説明時に述べる）が行なえるようになっている。
【０１５２】
また前記の第一実施例では紙幣送込み搬送通路１１、入金リジェクト紙幣搬送路１４、出金紙幣送出路１６をモータＭ２  で駆動していたが、この第二実施例では紙幣送込み搬送通路１１の切換レバー１８および１９間の搬送域をモータＭ２−２  で駆動し、また紙幣識別通路１１の識別部１２設置域と入金リジェクト紙幣搬送路１４および出金紙幣送出路１６をモータＭ２−１  で駆動するようになっている。
【０１５３】
またこの例では、切換レバー２１により切換えられて下方へ向かい、切換レバー９２により左斜め下方へ向かい、途中で鈍角に折れて斜め下方へ向かい、さらに折れて左水平方向へ向かい、切換レバー２２２  に至る紙幣区分通路部１３ａが設けられ、切換レバー２２２  の位置から左水平方向に向かう分岐通路２３２  、切換レバー２２２  の位置から垂直下方へ向かい下端で左水平方向に向かう分岐通路２３３  を有する。
【０１５４】
また紙幣送込み搬送通路１１の識別部１２より後流位置でかつ切換レバー２１より上流位置に切換レバー２２１  が設けられ、この切換レバー２２１  により下方へ分岐され入金オーバーフロー紙幣を斜め下方へ分岐搬送する第一の入金オーバーフロー紙幣分岐通路９０１  と、この通路９０１  の下端から左水平方向にむかう第二の入金オーバーフロー紙幣分岐通路９０２  とを備えている。
【０１５５】
また別にバイパス通路９１が設けられる。このバイパス通路９１の下端は紙幣区分通路部１３ａの切換レバー９２の位置に接続され、通路９１の上端は入金リジェクト紙幣搬送路１４の切換レバー９３の位置に接続される。そして切換レバー９４，９５が設けられており、これらの切換レバー９４，９５を通じて入金リジェクト紙幣搬送路１４と出金紙幣送出路１６とが接続される。
【０１５６】
またこの例における切換レバー１９は、図１３に示す位置にあるときは出金紙幣送出路１６を下降してくる紙幣を紙幣送込み搬送通路１１の左側域へ誘導し、切換レバー１９が図１３の位置から左斜め下方へ移動位置したとき出金紙幣送出路１６と紙幣送込み搬送通路１１の識別部１２設置側通路域とを接続状態にするようになっている。
【０１５７】
切換レバー２２１  ，２２２  ，９２，９３，９４，９５はソレノイドＳＤ５−１  ，ＳＤ５−２  ，ＳＤ８  ，ＳＤ９  ，ＳＤ１０，ＳＤ１１により切換えられるが、その動作の詳細は全体の動作説明時に説明する。
【０１５８】
またこの例では、紙幣区分通路部１３ａ、分岐通路２３２  ，２３３  、バイパス通路９１がモータＭ３−１  で駆動され、また万円紙幣用収納カセット５２  用および千円紙幣用収納カセット５３  用の繰込み・繰出し手段５５，５５はクラッチＣＬ２  ，ＣＬ３  を介して駆動される（この点は第一実施例と同じ）。
【０１５９】
またオーバーフロー紙幣分岐通路９０１  ，９０２  はモータＭ３−２  で駆動され、一括収納紙幣用収納カセット５１  の繰込み・繰出し手段５５，５５はクラッチＣＬ１  を介してモータＭ３−２  で駆動される。
【０１６０】
なお表裏反転合流通路機構２５はオプションとして客先が希望する場合に取りつけるものであり、この機構２５が取りつけられる場合は識別部１２右横のローラ位置から選択的に取りつけられる固定ガイド（図示せず）等により紙幣が上方へ送られて機構２５内へ送り込まれ、その機構２５から出てくる紙幣は切換レバー２２１  位置のローラへ送り出されるようになっている。この場合は識別部１２右横のローラと切換レバー２２１  位置のローラとの中間に位置するローラは取り除かれて両者間を直線的に結ぶ通路はなくされる。
【０１６１】
また表裏反転合流通路機構２５を取りつけない場合は、識別部１２右横のローラと切換レバー２２１  位置のローラを直線的に結ぶ搬送路が形成され、紙幣搬送にこの直進する搬送路が使われる。
【０１６２】
また出金紙幣送出路１６には搬送異常検知センサ９６が設けられる。そしてこのセンサ９６は一括紙幣収納用収納カセット５１  へ他の収納カセット５２  ，５３  から紙幣を回収する場合に使われる。
【０１６３】
また図１３および図１４において、機体１のカセット挿入口１ｃの内部には収納カセット５１  〜５３  の種類検知センサＳ０１〜Ｓ０４が設けられる。特にこの例では、センサＳ０１が五千円用収納カセット５１  の検知センサ、センサＳ０２は一万円用、センサＳ０３が千円用の各収納カセット５２  ，５３  の検知センサであり、またセンサＳ０４は一括紙幣収納用収納カセット５１  の検知センサである。カセット５１  〜５３  の側面にはこれらの作動片Ｈ０１〜Ｈ０３が設けられる。
【０１６４】
この例では通常はカセット５１  は一括収納紙幣用として用いられ、このカセット５１  によって補充回収を行なうが、客先の要望として金種別カセットとして収納カセット５１  を使いたい場合もある。それ故最上段の挿入口１ｃの内部にはカセット挿入方向に位置を異ならせてセンサＳ０１とＳ０４が設けられ、作動片Ｈ０１は一括収納紙幣用の収納カセットとして収納カセット５１  を使用したい場合は右方へ動かされてセンサＳ０４に対応する位置に固定され、また収納カセット５１  を五千円紙幣カセットとして使用したい場合は左方へ動かされてセンサＳ０１に対応する位置で固定される。なお作動片Ｈ０２，Ｈ０３はセンサＳ０２，Ｓ０３に対応するカセット側位置に固定されている。
【０１６５】
上述のセンサＳ０１〜Ｓ０４のカセット種類検知状態によって一括収納カセットタイブ（センサＳ０４がカセット５１  を検知するとき）か、金種別カセットタイプかが設定される。
【０１６６】
まず〈一括収納カセットタイプ（センサＳ０４がカセット５１  を検知するとき）〉での各モード説明をする。
【０１６７】
「（Ａ２  ）一括収納カセット５１  による補充動作（表裏反転２５無）」
前日の終業時に引き抜かれて精算所におかれている一括収納カセット５１  に出金紙幣として使用する万円紙幣、千円紙幣を所定枚数ずつ装填する（収納カセット５２  ，５３  へ自動補充するに適切な所定枚数である）。
【０１６８】
この一括収納カセット５１  を作業者（機械操作者）が精算所から機体１のところまで運んできて機体１の最上段の装着口１ｃへ挿入する。この一括収納カセット５１  が装着口１ｃへ挿入され、終ると図１３のセンサＳ０４がカセット５１  の作動片Ｈ０１を検知し、機械が一括収納カセットタイプにセットされる。なおカセット５２  ，５３  は、その時点では収納部４３，４３内には紙幣無の状態で機体１に装着状態のままであり、センサＳ０２，Ｓ０３は作動片Ｈ０２，Ｈ０３を検知している。一方一括収納カセット５１  挿入時のシャッタ３０の開放および内枠３６ならびに中間枠３５の突出動作（図５図示および図８の鎖線図示の位置への移動動作）は第一実施例の収納カセット５１  の動作と同じであるので省略する。
【０１６９】
一括収納カセット５１  の機体１への装着動作により収納カセット５１  の内枠３６、中間枠３５は図５図示状態となる。なおカセット５２  ，５３  の内枠３６、中間枠３５も同じ状態位置におかれている。それ故各カセット５１  〜５３  の規制部材５１，５１，５１の面５１ａ，５１ａは端壁５３の内面より図５において右方位置にあり、各カセット５１  〜５３  の収納紙幣は端壁５３と押圧部材８３との間に挾持されている。
【０１７０】
この状態で操作部４のカセット補充釦操作を行なうと、まずモータＭ７−２  ，Ｍ７−３  が正転してレバー６６でローラ５２を押動し、各カセット５２  ，５３  の規制部材５１，５１およびスペーサー７６，７６が機体１の前方（図８の左側）へ移動され、内枠３６の端壁５３内面とスペーサー７６，７６の紙幣押圧面（端壁５３の内面の対向面）間に数枚の紙幣を繰込める一時保留空間が形成され、モータＭ７−２  ，Ｍ７−３  はその位置で停止してブレーキ保持される。
【０１７１】
次にモータＭ２−１  ，Ｍ２−２  ，Ｍ３−２  が逆転され、モータＭ３−１  ，Ｍ４  は正転される。その結果、紙幣送込み搬送通路１１の全域（切換レバー１８から切換レバー２１までの域）、入金リジェクト紙幣搬送路１４、出金紙幣送出路１６、入金オーバーフロー紙幣分岐通路９０１  ，９０２  は逆方向駆動され、分岐通路２３２  ，２３３  、紙幣区分通路部１３ａ、バイパス通路９１、搬送路１７、放出紙幣収納部１５のローラ（搬送ローラ１５ａ，１５ａを含む）は正方向駆動される。一方ソレノイドＳＤ５−１  は励磁され、切換レバー２２１  は上昇揺動し、入金オーバーフロー紙幣分岐通路９０１  と紙幣送込み搬送通路１１を接続状態にする。またソレノイドＳＤ９  が励磁されて切換レバー９３を揺動させ、パイパス通路９１と入金リジェクト紙幣搬送路１４とを接続する。またソレノイドＳＤ１１は励磁されて切換レバー９５はスライド上昇し、入金リジェクト紙幣搬送路１４と出金紙幣送出路１６とを接続する。またソレノイドＳＤ１  は励磁されて切換レバー１８は紙幣送込み搬送通路１１と搬送路１７とを接続状態にする。ソレノイドＳＤ２  は識別部１２による紙幣の識別結果に基づき励磁または非励磁され、識別部１２により補充紙幣が出金適正紙幣と識別されたときはソレノイドＳＤ２  を励磁させ、切換レバー１９を斜め下方へ移動させて紙幣送込み搬送通路１１の識別部１２設定域と出金紙幣送出路１６とを接続し、また補充紙幣が出金不適正紙幣と識別されたときはソレノイドＳＤ２  を非励磁とし、紙幣送込み搬送通路１１の識別部１２設定域と切換レバー１８および１９との間の通路域を接続するようになっている。
【０１７２】
この状態でクラッチＣＬ１  ，ＣＬ２  ，ＣＬ３  が入り、一括収納カセット５１  の繰込み・繰出し手段５５はモータＭ３−２  、クラッチＣＬ１  を介して、逆転されて紙幣の繰出しがなされる。また収納カセット５２  ，５３  の繰込み・繰出し手段５５はモータＭ３−１  およびクラッチＣＬ２  ，ＣＬ３  を介して正転されて紙幣の繰込みがなされる。
【０１７３】
一括収納カセット５１  の繰込み・繰出し手段５５で繰出しされた紙幣は、入金オーバーフロー紙幣分岐通路９０２  ，９０１  、紙幣送込み搬送通路１１の識別部１２へ進む。補充紙幣が識別部１２で出金不適正紙幣（二枚重なり紙幣、斜行紙幣、連鎖紙幣等で金種判別ができない紙幣、万円紙幣、千円紙幣のうち紙幣の疲労とから痛みが激しく、出金紙幣として使用できない紙幣、万円紙幣、千円紙幣以外の紙幣で例えば五千円紙幣、偽紙幣等）と識別されると、紙幣送込み搬送通路１１を図１３の左方へ直進し、搬送通路１７から出金リジェクト紙幣収納部５′へ送り込まれる。また補充紙幣が識別部１２で出金適正紙幣（出金に使用できる疲労、傷みの少ない万円紙幣および千円紙幣）と識別されると、その紙幣は紙幣送込み搬送通路１１の識別部１２域から切換レバー１９により出金紙幣送出路１６、入金リジェクト紙幣搬送路１４、バイパス通路９１を通り、紙幣区分通路１３の紙幣区分通路部１３ａへ送り込まれる。
【０１７４】
この紙幣区分通路１３ａの切換レバー２２２  へ接近する紙幣が万円紙幣の場合はソレノイドＳＤ５−２  は非励磁のままで切換レバー２２２  により分岐通路２３２  へ送り込まれ、繰込み・繰出し手段５５により繰込み作用により一時保留空間へ収納される。また切換レバー２２２  へ接近する紙幣が千円紙幣の場合はソレノイドＳＤ５−２  が励磁され切換レバー２２２  が直立して紙幣は分岐通路２３３  へ送り込まれ、繰込み・繰出し手段５５による繰込み作用により一時保留空間へ収納される。こうして収納カセット５２  ，５３  の一時保留空間への紙幣送り込み量が増加すると、図１４の全体制御部Ｃ１  のカセット別一時保留枚数記憶部Ｃ３  の記憶内容に基づき対応するカセット５２  または５３  のモータＭ７−２  またはＭ７−３  が正転され、数枚の紙幣を繰込める一時保留空間に保つ。このとき各収納カセット５２  ，５３  の規制部材５１，５１の面５１ａには押圧部材８３が当接している。このようにして補充紙幣が順次各収納カセット５２  ，５３  の一時保留空間へ繰込まれる。
【０１７５】
なおこの例では、万円紙幣収納カセット５２  、千円紙幣収納カセット５３  の最大一時保留空間は各々の規制部材５１，５１が図８の二点鎖線図示位置（図７に示す位置）に位置されるときであり、一括収納カセット５１  に収納される万円紙幣および千円紙幣の各補充紙幣量は各カセット５２  ，５３  の最大一時保留量以下とされている。それ故一括収納カセット５１  内の補充紙幣がすべて繰出されても各カセット５２  ，５３  の各一時保留空間は最大一時保留量とならず、識別部１２は所定時間の間補充紙幣が到来しないことを検知（カセット５１  内に紙幣がなくなったことの検知の意図）してクラッチＣＬ１  ，ＣＬ２  ，ＣＬ３  を切ると共にモータＭ２−１  ，Ｍ２−２  ，Ｍ３−１  ，Ｍ３−２  ，Ｍ４  の駆動を断とする。なおその所定時間は識別部１２を通過した最後の紙幣が出金リジェクト紙幣収納部５′もしくは収納カセット５２  ，５３  の一時保留空間へ収納されるに十分な時間に設定されている。
【０１７６】
もし各カセット５２  ，５３  の最大一時保留空間への各一時保留収納量より大なる紙幣量（その紙幣量が収納カセット５１  に収納されている）を各収納カセット５２  ，５３  へ補充収納せしめる場合は、図１４のカセット別一時保留枚数記憶部Ｃ３  がどちらかの収納カセット５２  または５３  の最大一時保留収納量を検知すると、クラッチＣＬ１  を断にしてカセット５１  の繰込み・繰出し手段５５を一時停止させる。一方識別部１２が紙幣を検知してから前述した所定時間経過後にクラッチＣＬ２  ，ＣＬ３  を切り、カセット５２  ，５３  の繰込み・繰出し手段５５を一時停止させる。その状態で最大一時保留量となった収納カセット５２  または５３  の規制部材５１，５１を、側壁５４，５４より両側外方へ退避させ、その結果一時保留された補充紙幣は端壁５３の内面と押圧部材８３との間に挾持される。規制部材５１，５１は側壁５４，５４の外方位置を端壁５３側へ移動し、端壁５３の内面より規制部材５１，５１の面５１ａ，５１ａが収納部外方に位置した段階でこの規制部材５１，５１が接近して停止する。次にこの規制部材５１，５１が押圧部材８３方向へ移動し、端壁５３の内面と規制部材５１，５１に固定されるスペーサー７６，７６との間に新たな一時保留空間を形成する。これにより既に繰込まれた補充紙幣は規制部材５１ａ，５１ａと押圧部材８３との間で挾持されて収納状態となる。カセット別一時保留枚数記憶部Ｃ３  の補充紙幣収納済のカセット５２  または５３  の枚数記憶値がリセットされ、クラッチＣＬ１  ，ＣＬ２  ，ＣＬ３  が再度入り、紙幣の補充動作が再開される。
【０１７７】
こうして一括収納カセット５１  内のすべての紙幣が繰出され、識別部１２が前記所定時間の間補充紙幣が到来しないことを検知したときクラッチＣＬ１  ，ＣＬ２  ，ＣＬ３  およびモータＭ２−１  ，Ｍ２−２  ，Ｍ３−１  ，Ｍ３−２  ，Ｍ４  の駆動が断となり、ソレノイドＳＤ５−１  ，ＳＤ５−２  ，ＳＤ１  ，ＳＤ２  ，ＳＤ１０，ＳＤ１１，ＳＤ９  ，ＳＤ８  は非励磁状態となる。一方、一括収納カセット５１  の押圧部材８３は端壁５３の内面に押圧状態にあり、また収納カセット５２  ，５３  についてはソレノイドＳＤ６−２  ，ＳＤ６−３  が励磁されて規制部材５１，５１が側壁５４，５４の両側外方へ移動され、その状態を保ちながらモータＭ７−２  ，Ｍ７−３  の逆転により規制部材５１，５１は面５１ａ，５１ａが端壁５３の内面より収納部４３外方に位置した位置で停止し、ソレノイドＳＤ６−２  ，ＳＤ６−３  の非励磁により規制部材５１，５１、スペーサー７６，７６は定位置に復帰する。
【０１７８】
これで一括収納カセット５１  による金種別の収納カセット５２  ，５３  への紙幣補充動作が完了する。
【０１７９】
「（Ｂ２  ）入金モード（表裏反転合流通路機構２５無）」
入金口２の押板２ｂは通常は立位姿勢（図２の一点鎖線図示位置）にあり、機械操作者は入金紙幣を入金口２の底板２ａ上に揃えて集積し、入金スタート釦を操作する。これによってモータＭ６  が正転し、押板２ｂが水平姿勢となって入金紙幣の上面を押圧する。一方、モータＭ７−１  〜Ｍ７−３  が正転してレバー６６でローラ５２を押動し、各カセット５１  〜５３  の規制部材５１，５１およびスペーサー７６，７６が機体１の前方（図８の左側）へ移動され、内枠３６の端壁５３の内面とスペーサー７６，７６の紙幣押圧面（端壁５３の内面の対向面）との間に数枚の紙幣を繰込める一時保留空間が形成され、モータＭ７−１  〜Ｍ７−３  はその位置で停止してブレーキ保持される。
【０１８０】
次にモータＭ２−１  ，Ｍ２−２  ，Ｍ３−１  ，Ｍ３−２  ，Ｍ４  が正転され、これにより紙幣送込み搬送通路１１全域、入金リジェクト紙幣搬送路１４、出金紙幣送出路１６、入金オーバーフロー紙幣分岐通路９０１  ，９０２  、紙幣区分通路部１３ａ、分岐通路２３２  ，２３３  、バイパス通路９１、搬送路１７、放出紙幣収納部１５のローラ（搬送ローラ１５ａ，１５ａを含む）が正方向駆動される。一方、各クラッチＣＬ１  〜ＣＬ３  が入り、各繰込み・繰出し手段５５，５５，５５が正方向駆動（紙幣繰込み方向に駆動）される。
【０１８１】
やや遅れてモータＭ１  が正転し、キッカローラ７、フィードローラ８が回転され、入金紙幣が１枚ずつ繰出され、紙幣送込み搬送通路１１を図１３において右方へ送られ、識別部１２で紙幣の識別が行なわれる。入金適正紙幣は予じめ一万円紙幣、五千円紙幣、千円紙幣と設定され、入金紙幣の真偽、金種、正損（出金に使われる金種紙幣は一万円紙幣と千円紙幣であり、入金紙幣中の一万円紙幣と千円紙幣について疲労度とか傷みが少なく出金に使用できる紙幣を正券紙幣とし、疲労度とか傷みが大で出金に使用できない紙幣を損券紙幣として扱い、正券紙幣か損券紙幣かを見わける識別を正損識別という）、二枚重ね、連鎖、斜行等の各紙幣がチェックされる。
【０１８２】
その識別部１２において偽紙幣、二枚重ね、連鎖、斜行等と識別された各紙幣は、入金リジェクト紙幣とされ、ソレノイドＳＤ３  の励磁により切換レバー２０を下方へ揺動させ、その入金リジェクト紙幣は入金リジェクト紙幣搬送路１４から放出紙幣収納部１５へ送り込まれる。また入金適正紙幣のうちでも出金に使用できない五千円紙幣と一万円および千円紙幣中の損券紙幣はソレノイドＳＤ５−１  の励磁により切換レバー２２１  を通じ入金オーバーフロー紙幣分岐通路９０１  ，９０２  へ送られ、繰込み・繰出し手段５５の繰込み動作により一括収納カセット５１  の一時保留空間へ収納される。
【０１８３】
一方、各収納カセット５１  〜５３  の挿入される機体１側には、図１３において一時保留空間形成時における押圧部材８３の左方向極限位置を検知することにより各収納部４３内の紙幣の満杯を検知する満杯検知センサＳ１  ，Ｓ２  ，Ｓ３  が設けられている。それ故満杯検知センサＳ２  ，Ｓ３  が満杯を検知していない状態においては万円紙幣および千円紙幣の正券紙幣はすべて出金に使用される紙幣として扱われ、またいずれかの満杯センサＳ２  ，Ｓ３  が満杯を検知している場合はその満杯金種紙幣については例え紙幣が万円または千円の正券紙幣であっても入金オーバーフロー紙幣として扱われる。そしてこの入金オーバーフロー紙幣はソレノイドＳＤ５−１  の励磁により切換レバー２２１  により入金オーバーフロー紙幣分岐通路９０１  ，９０２  へ送られ、繰込み・繰出し手段５５により一括収納カセット５１  の一時保留空間へ送り込まれる。入金オーバーフロー紙幣でない万円正券紙幣、千円正券紙幣は、ソレノイドＳＤ４−１  の励磁により切換レバー２１を上方へ揺動させ、紙幣区分通路部１３ａへ導き、その紙幣が切換レバー２２２  の近くへ搬送されてきたときその紙幣が万円紙幣であれば切換レバー２２２  により分岐通路２３２  へ送り、繰込み繰出し手段５５の繰込み動作により一万円の収納カセット５２  の一時保留空間へ収納される。その紙幣が千円紙幣であればソレノイドＳＤ５−２  を励磁させ、切換レバー２２２  を垂直紙幣にしてその紙幣を分岐通路２３３  へ送り込み、繰込み・繰出し手段５５により千円用の収納カセット５３  の一時保留空間部へ送り込む。
【０１８４】
また収納カセット５２  ，５３  の双方の満杯検知センサＳ２  ，Ｓ３  が満杯を検知しているときは、万円正券紙幣、千円正券紙幣はすべて入金オーバーフロー紙幣として一括収納カセット５１  の一時保留部へ送り込まれる。一方、この一括収納カセット５１  の満杯検知センサＳ１  が満杯を検知しているときは、満杯検知センサＳ２  ，Ｓ３  の満杯検知有無に関係なく動作途中の入金処理は済ませたのち機械をダウンさせる。また収納カセット５１  〜５３  の一時保留空間へ送り込まれる繰込紙幣によって紙幣繰込み間隙が小となると、カセット別一時保留枚数記憶部Ｃ３  の記憶データに基づき対応するモータＭ７−１  〜Ｍ７−３  を駆動してカム６５、レバー６６、ローラ５２により規制部材５１，５１およびスペーサ７６，７６を図１３において左方へ移動せしめて一時保留空間が拡げられ、常に数枚の紙幣の受け入れが可能な一時保留空間が形成保持される。
【０１８５】
このとき押板２ｂは入金紙幣の上面に位置しており、入金リジェクト紙幣は開放状態の出金口３を通じ放出紙幣収納部１５から自由に取り出しができる。
【０１８６】
このようにして入金口１に装填されたすべての入金紙幣が繰込まれて収納カセット５１  〜５３  の一時保留空間または放出紙幣収納部１５へ送り込まれる。入金口１には紙幣の有無を検知する投受光センサー（図示せず）が設けられており、この投受光センサーが入金紙幣繰込中に紙幣無を検知してから所定時間経過後（繰込まれた最後の紙幣が一時保留空間または放出紙幣収納部１５へ到達するに十分な所定時間後）にモータＭ１  ，Ｍ２−１  ，Ｍ２−２  ，Ｍ３−１  ，Ｍ３−２  ，Ｍ４  が停止され、クラッチＣＬ１  〜ＣＬ３  も断となる。
【０１８７】
この状態で入金承認、入金非承認の操作が可能となる。
【０１８８】
このときモータＭ６  は停止状態（入金紙幣繰込み開始時にモータＭ６  が回転されて押板２ｂが紙幣を押圧し、水平姿勢になったのちはモータＭ６  は停止し、この押板２ｂはバネ力で紙幣を押圧し、紙幣がなくなるまでそのバネ力で水平姿勢を保ちながら下降する。）のままであり、押板２ｂも水平姿勢のまま入金口２の底板２ａ上部に位置されて放出紙幣収納部１５は開放状態にある。
【０１８９】
機械操作者は放出紙幣収納部１５へ放出された入金リジェクト紙幣がある場合はその紙幣を取り出し、機体１の前面１ａ上部に設けられる表示部の入金金額を見て操作部４により入金承認または入金非承認の釦操作を行なう。
【０１９０】
〔（ａ）  入金承認釦操作〕がなされると、ソレノイドＳＤ６−１  〜ＳＤ６−３  が励磁され、図６およば図８図示のカム６０，６０が立位姿勢から傾斜姿勢に回動されて垂直面部４９，４９を押動し、規制部材５１，５１およびスペーサー７６，７６は内枠３６の両側壁５４，５４より両側外方へ移動される。そのとき収納済紙幣が押圧部材８３で機体１の背部方向（図８の右方）へ押動移動され、一時保留紙幣も一緒に端壁５３の内面へ押しつけられる。規制部材５１，５１およびスペーサー７６，７６は、各モータＭ７−１  〜Ｍ７−３  の逆転によりカム６５が逆転し、カム６５の最小径カム面がレバー６６に接触するまで回転、すなわちカム６５が定位置まで回転して停止する。内枠３６および中間枠３５は、ローラ５２がレバー６６に当接しているので一体的に移動するが、その移動途中で内枠３６の端壁５３が作動アーム７５に当って停止し、中間枠３５もストッパ５３ｂを通じて内枠３６と一体的にその位置で停止される。この時点までソレノイドＳＤ６−１  〜ＳＤ６−３  は励磁状態が保たれ、規制部材５１，５１およびスペーサー７６，７６は両側壁５４，５４の両側外方に位置し、かつその前後方向位置は規制部材５１，５１の面５１ａ，５１ａが図８において端壁５３の内面より右方に位置しかつ押え板８２，８２の紙幣押圧面（図８の左面）よりスペーサー７６，７６の紙幣押圧面（図８の右面）がやや左方に位置する。その状態でソレノイドＳＤ６−１  〜ＳＤ６−３  が非励磁となり、カム６０，６０は立位姿勢となり、垂直面部４９，４９の押圧を解除する。その結果、規制部材５１，５１およびスペーサー７６，７６は面５１ｂ，５１ｂが接近する幅方向に移動し、ピン５０，５０が長孔４７，４７の外端で係止された位置で止まり、図５に示す位置、すなわち図８の鎖線図示位置に位置される。この際の規制部材５１，５１の面５１ａ，５１ａの機体１に対する前後方向位置は端壁５３の内面より後方（図８右方）に位置し、また押え板８２，８２の紙幣押圧面（図８の左面）とスペーサー７６，７６の紙幣押圧面（図８の右面）との間に僅かの間隙がある。
【０１９１】
また規制部材５１，５１の面５１ｂ，５１ｂは側壁５４，５４の内面と同一面の位置におかれる。
【０１９２】
以上で規制部材５１，５１、スペーサー７６，７６は初期位置に戻されたことになり、一時保留紙幣の収納動作がなされたことになる（一時保留紙幣自身の収納動作は収納紙幣と合体された時点で終っているが、機構自身の収納動作は規制部材５１，５１、スペーサー７６，７６が初期位置へ復帰して収納動作の終了となる）。
【０１９３】
その直後にモータＭ６  が逆転し、押板２ｂが上昇した後垂直姿勢になり、出金口３を閉塞する位置に復帰する。
【０１９４】
つぎに〔（ｂ）  入金非承認の釦操作〕をした場合について説明する。
【０１９５】
入金非承認釦操作によりまず押え板８２，８２が図示せぬ移動機構により図１０において左方へ移動し、押え板８２，８２の紙幣押圧面（図１０における左面）が端壁５３の内面と同一面に位置される。その直後にモータＭ７−１  〜Ｍ７−３  が逆転し、カム６５も逆転されて定位置（カム６５の最径小カム面がレバー６６に接触する位置）まで回転したときモータＭ７−１  〜Ｍ７−３  は停止する。規制部材５１，５１、スペーサー７６，７６はそのとき図１０の右方へ動かされ、一時保留紙幣がスペーサー７６，７６で押え板８２，８２に押しつけられて締めつけられたときスペーサー７６，７６、規制部材５１，５１は停止する。このとき一時保留紙幣は押え板８２，８２およびスペーサー７６，７６の各紙幣押圧面間に挾着保持され、また収納紙幣は規制部材５１，５１の面５１ａ，５１ａと押圧部材８３との間に押圧保持される。つぎにソレノイドＳＤ２  が励磁し、切換レバー１９は斜め下方に位置されて識別部１２設置側の紙幣送込み搬送通路１１と出金紙幣送出路１６とを接続し、ソレノイドＳＤ８  は非励磁で切換レバー９２はバイパス通路９１の閉塞姿勢をとり、ソレノイドＳＤ４−１  は励磁されて切換レバー２１は上昇揺動姿勢となり、ソレノイドＳＤ５−１  も励磁されて切換レバー２２も上昇揺動姿勢をとり、ソレノイドＳＤ１０も励磁されて切換レバー９４を右側へ移動させ、出金紙幣送出路１６を収納部１５と接続する。この状態でモータＭ２−１  ，Ｍ３−１  、Ｍ３−２  を逆転駆動させ、モータＭ４  を正転駆動せしめる。
【０１９６】
次にクラッチＣＬ１  が入り、一括収納カセット５１  の繰込み・繰出し手段５５が逆方向駆動され、一時保留された一括紙幣が１枚ずつ繰出され、入金オーバーフロー紙幣分岐通路９０２  ，９０１  、紙幣識別通路１１、出金紙幣送出路１６を通じて放出紙幣収納部１５へ収納される。このようにして、一時保留された一括紙幣がなくなると、スペーサー７６，７６の紙幣押圧面は端壁５３の内面と同一面の位置にある押え板８２，８２に当って停止する。識別部１２では一括紙幣が所定時間到来しないことにより一時保留された一括紙幣がすべて繰出されたと判断し、クラッチＣＬ１  を断とし、一括紙幣の繰込み・繰出し手段５５は停止する。
【０１９７】
その直後にソレノイドＳＤ５−１  が非励磁となり、切換レバー２２１  は下降姿勢となる。
【０１９８】
次に、一万円紙幣に対応するクラッチＣＬ２  が入り、収納カセット５２  に対応する繰込み・繰出し手段５５が逆方向駆動され、同様にして一時保留された一万円紙幣が１枚ずつ繰出され、分岐通路２３２  、切換レバー２２２  、紙幣区分通路部１３ａ、切換レバー９２および２１、紙幣送込み搬送通路１１の識別部１２設置域、切換レバー１９、出金紙幣送出路１６を通り放出紙幣収納部１５へ送出される。このようにして、一時保留された万円紙幣がなくなるとスペーサー７６，７６の紙幣押圧面は端壁５３の内面と同一面の位置にある押え板８２，８２に当って停止する。識別部１２では、万円紙幣が所定時間到来しないことにより一時保留された万円紙幣がすべて繰出されたと判断してクラッチＣＬ２  を断とし、万円紙幣の繰込み・繰出し手段５５は停止される。
【０１９９】
その直後にソレノイドＳＤ５−２  が励磁され、切換レバー２２２  は垂直姿勢（分岐通路２３２  を塞ぐ位置）となる。
【０２００】
次に千円紙幣に対応するクラッチＣＬ３  が入り、収納カセット５３  に対応する繰込み・繰出し手段５５が逆方向駆動され、同様にして一時保留された千円紙幣が１枚ずつ繰出され、分岐通路２３３  、紙幣区分通路部１３ａ、切換レバー９２および２１、紙幣送込み搬送通路１１の識別部１２設置域、切換レバー１９、出金紙幣送出路１６を通り放出紙幣収納部１５へ送出される。このようにして、一時保留された千円紙幣がなくなるとスペーサー７６，７６の紙幣押圧面は端壁５３の内面と同一面の位置にある押え板８２，８２に当って停止する。識別部１２では千円紙幣が所定時間到来しないことにより一時保留された千円紙幣がすべて繰出されたと判断してクラッチＣＬ３  を断とし、千円紙幣の繰込み・繰出し手段５５は停止される。その後搬送系にあるすべての紙幣が放出紙幣収納部１５へ収納される所定時間経過後にモータＭ２−１  ，Ｍ３−１  ，Ｍ３−２  ，Ｍ４  が停止され、またソレノイドＳＤ４−１  ，ＳＤ５−２  ，ＳＤ２  ，ＳＤ１０が非励磁となり、切換レバー２１，２２２  ，１９，９４は図１３の位置となる。
【０２０１】
また最後に繰出し動作される繰込み・繰出し手段５５に対応するクラッチＣＬ３  が断となった時点ですべての収納カセット５１  〜５３  の各押え板８２，８２が図１０の右方へ移動し、実線位置で停止する。その結果各収納カセット５１  〜５３  の規制部材５１，５１および、スペーサー７６，７６も図１０の右方へ移動するが、その移動途中で中間枠３５の端部が内枠３６のストッパ５３ａで係止されて停止される。その位置が元の位置で、そのとき規制部材５１，５１の面５１ａ，５１ａは端壁５３の内面より図１０におけるやや右方に位置し、押え板８２，８２の紙幣押圧面に対しスペーサー７６，７６の紙幣押圧面はやや間隔をおいた位置に位置される。
【０２０２】
また中間枠３５のローラ５２はカム６５に当接するレバー６６に僅かの間隙をおいて位置される。
【０２０３】
なお一時保留紙幣がすべてのカセット５１  〜５３  に存在する場合であろうと、二個以下のカセットに存在する場合であろうと、すべての収納カセット５１  ，５２  ，５３  には一時保留空間が形成されているので必らず上記説明の順に作動する。例えば一括紙幣の一時保留紙幣がない場合はクラッチＣＬ１  が入り、一括紙幣用の繰込み・繰出し手段５５が駆動されても識別部１２が所定時間の間紙幣の到来を検知しないので、一時保留の一括紙幣が存在しないと判断（一時保留の一括紙幣が繰出されてしまった時と同じ状態）して次の動作に進むのである。一時保留の一万円紙幣とか千円紙幣がないときも同じである。
【０２０４】
こうして一時保留された入金紙幣が放出紙幣収納部１５へ収納され終ったとき押板２ｂは入金紙幣繰込終了時と同じ底板２ａ上で水平姿勢のままの位置にあり、機械操作者は入金返却紙幣を出金口３から自由に取り出せる。この入金返却紙幣が出金口３から取り出されると、放出紙幣収納部１５内の図示しない投受光センサにより、放出紙幣の抜取りが検知され、モータＭ６  が逆転され、その結果押板２ｂが上昇して、垂直姿勢になり、出金口３を塞ぎ、機械全体が待機状態に復帰する。
【０２０５】
つぎに「（Ｃ２  ）出金モード（表裏反転合流通路機構２５無）」について説明する。
【０２０６】
操作部４により出金金額もしくは出金すべき金種と金額（または枚数）を入力し、出金スタート釦を操作する。このとき押板２ｂは出金口３を閉じた図１３一点鎖線図示状態にある。
【０２０７】
出金釦の操作によりモータＭ２−１  ，Ｍ２−２  ，Ｍ３−１  が逆転回転し、モータＭ４  は正転回転する。その結果、紙幣送込み搬送通路１１全域、入金リジェクト紙幣搬送路１４、出金紙幣送出路１６、紙幣区分通路部１３ａ、分岐通路２３２  ，２３３  、バイパス通路９１が逆方向駆動され、搬送路１７および放出紙幣収納部１５のローラ（搬送ローラ１５ａ，１５ａ含む）が正方向駆動される。なおクラッチＣＬ２  ，ＣＬ３  は未だ入っていないのでカセット５２  ，５３  の繰込み・繰出し手段５５，５５は停止状態にある。
【０２０８】
この状態で収納カセット５２  ，５３  のモータＭ７−１  ，Ｍ７−２  が正転駆動され、規制部材５１，５１の面５１ａ，５１ａが端壁５３の内面と同一面になった位置で停止される。これにより収納カセット５２  ，５３  の収納紙幣は端壁５３の内面および面５１ａ，５１ａと押圧部材８３間に挾持保持される。
【０２０９】
また切換レバー９２はソレノイドＳＤ８  が非励磁のままでバイパス通路９１遮閉姿勢にあり、またソレノイドＳＤ４−１  は励磁されて切換レバー２１は上昇揺動姿勢（紙幣送込み搬送通路１１と紙幣区分通路部１３ａの接続姿勢）、ソレノイドＳＤ１０が励磁されて切換レバー９４は右方へ水平移動され出金紙幣送出路１６と放出紙幣収納部との接続姿勢をとる。またソレノイドＳＤ５−１  は非励磁のままで切換レバー２２１  は紙幣送込み搬送通路１１から退避した下降姿勢にある。またソレノイドＳＤ１  は励磁され、切換レバー１８は上昇姿勢にあって紙幣送込み搬送通路１１と搬送路１７の接続姿勢にある。ソレノイドＳＤ２  は出金待機時は励磁され、切換レバー１９は図１３の左斜め下方へ移動され、出金紙幣送出路１６と識別部１２設置側の紙幣送込み搬送通路１１域との接続姿勢にあるが、識別部１２で出金リジェクト紙幣と判断された紙幣のときにはソレノイドＳＤ２  を非励磁にし、紙幣送込み搬送通路１１を図１３の左方へ直進させ、搬送路１７へ送る。ソレノイドＳＤ５−２  は出金待機時は非励磁のままで切換レバー２２２  は分岐通路２３２  と紙幣区分通路部１３ａとの接続状態にある（出金は万円紙幣の投出から開始されるためである。）。
【０２１０】
次に万円紙幣の出金が有るか無しかを全体制御部Ｃ１  で判断し、無の場合はソレノイドＳＤ５−２  を励磁させて切換レバー２２２  を起立姿勢にし、分岐通路２３３  から上昇してくる紙幣を紙幣区分通路部１３ａ側への通過を許容する。そして千円紙幣の出金に移るが、この動作は万円紙幣の出金の終了後の千円紙幣出金と同じであるのでここでの説明は省略する。
【０２１１】
万円紙幣の出金がある場合はソレノイドＳＤ５−１  は非励磁のままでクラッチＣＬ２  を入れ、希望枚数の紙幣を繰り出した後、クラッチＣＬ２  を切る。つまりキッカローラ７、フィードローラ９が同期して一回転（キッカローラ７の１回転でフィードローラ９が１回転）することにより紙幣の１枚繰り出しがなされるので、キッカローラ７の回転数を図示しない検知センサで検知し、繰出すべき紙幣枚数分の回転がなされると一旦停止させる。繰出された一万円紙幣は分岐通路２３２  、切換レバー２２２  、紙幣区分通路部１３ａ、切換レバー９２および２１、紙幣送込み搬送通路１１へと送られ、識別部１２で出金適正紙幣（一万円紙幣）か出金不適正紙幣（一万円紙幣以外の金種紙幣、二枚重なり、連鎖、斜行紙幣等）かの識別がなされ、出金適正紙幣のときはソレノイドＳＤ２  の励磁状態維持により切換レバー１９は図１３の左斜め下方位置に維持され、その出金適正紙幣は出金紙幣送出路１６を通って放出紙幣収納部１５へ送り込まれる。また出金不適正紙幣のときはソレノイドＳＤ２  が非励磁となって切換レバー１９は右斜め上方へ移動して図１３図示位置となり、出金不適正紙幣は出金リジェクト紙幣として図１３の紙幣送込み搬送通路１１を左方へ直進移動し、搬送路１７から収納カセット５１  に形成される出金リジェクト紙幣収納部５′へ送り込まれる。
【０２１２】
識別部１２の識別結果により図１２の全体制御部Ｃ１  では、一万円紙幣について指定された枚数値（機械操作者が金額指定する場合は金額から換算された枚数値をこう呼ぶ）と識別部１２を通過した出金適正紙幣の枚数とを比較し、不足する枚数分について一万円紙幣用のキッカローラ７およびフィードローラ９をその枚数分追加回転させたのちクラッチＣＬ２  を切る。繰出された紙幣は識別部１２で出金適正紙幣か出金不適正紙幣かが判断され、その識別結果により放出紙幣収納部１５または出金リジェクト紙幣収納部５′へ収納され、全体制御部Ｃ１  で一万円紙幣について指定された枚数値と識別部１２を通過した出金適正紙幣の枚数値が一致するまで不足枚数分キッカローラ７、フィードローラ９を追加回転させたのちクラッチＣＬ２  を切り、前記両値が一致したとき次位の金種紙幣の繰出しに移る。
【０２１３】
すなわち先ソレノイドＳＤ５−２  が励磁されて切換レバー２２２  は起立姿勢となる。この状態で、千円紙幣の出金が有るか無かを全体制御部Ｃ１  で判断する。千円紙幣の出金無の場合の動作は千円紙幣の出金終了後の動作と同じであるのでここでは省略する。
【０２１４】
千円紙幣出金有りと判断した場合は、クラッチＣＬ３  を励磁させ、希望枚数の紙幣を繰出した後クラッチＣＬ３  を切る。つまりキッカローラ７、フィードローラ９が同期して一回転（キッカローラ７の一回転でフィードローラ９が一回転）することにより紙幣の１枚繰り出しがなされるのでキッカローラ７の回転数を図示しない検知センサで検知し、繰出すべき紙幣枚数分の回転がなされると一旦停止させる。繰出された千円紙幣は分岐通路２３３  、紙幣区分通路部１３ａ、切換レバー９２および２１、紙幣送込み搬送通路１１へと送られ、識別部１２で出金適正紙幣（千円紙幣）か出金不適正紙幣（千円紙幣以外の金種紙幣、二枚重なり、連鎖、斜行紙幣等）かの識別がなされ、出金適正紙幣のときはソレノイドＳＤ２  の励磁により切換レバー１９を下方へ揺動させてその紙幣を出金紙幣送出路１６を通じて放出紙幣収納部１５へ送り込む。また出金不適正紙幣のときはソレノイドＳＤ２  は非励磁となって切換レバー１９は上昇し、またソレノイドＳＤ１  は励磁状態で切換レバー１８は上昇位置にあり、その出金不適正紙幣は出金リジェクト紙幣として図１３において紙幣送込み搬送通路１１を左方へ移動して搬送路１７から収納カセット５１  に形成される出金リジェクト紙幣収納部５′へ送り込まれる。識別部１２の識別結果により図１２の全体制御部Ｃ１  では、千円紙幣について、指定された枚数値（金額指定の場合は換算された枚数値をこう呼ぶ）と識別部１２を通過した出金適正紙幣の枚数とを比較し、不足する枚数分について千円紙幣用のキッカローラ７およびフィードローラ９をその枚数分追加回転させたのちクラッチＣＬ３  を切る。
【０２１５】
追加繰出された紙幣は識別部１２で出金適正紙幣か出金不適正紙幣か判断され、その識別結果により放出紙幣収納部１５または出金リジェクト紙幣収納部５′へ収納され、全体制御部Ｃ１  で千円紙幣について指定された枚数値と識別部１２を通過した出金適正紙幣の枚数値が一致するまで不足枚数分キッカローラ７、フィードローラ９を追加回転させたのちクラッチＣＬ３  を切り、前記各値が一致したとき全金種の紙幣の出金繰出しは終了する。
【０２１６】
そして励磁されていたソレノイド群は非励磁となり、切換レバー群は初期位置に復帰する。
【０２１７】
また操作者の希望する金額の出金紙幣が放出紙幣収納部１５へすべて収納されるに十分な所定時間経過後（希望金額となる最後の出金適正紙幣が識別部１２で出金適正紙幣と判定されてから所定時間後）に全体制御部Ｃ１  および駆動制御部Ｃ２  を通じてモータＭ２−１  ，Ｍ２−２  ，Ｍ３−１  ，Ｍ４  が停止されるとともにモータＭ６  が正転され、図１３において押板２ｂが底板２ａ上で水平姿勢となる。その結果出金口３を通じ放出紙幣収納部１５へ放出された出金紙幣の取り出しができる。そしてこの放出紙幣収納部１５内の出金紙幣が取り出されたことが投受光センサー（図示せず）により検知されると、全体制御部Ｃ１  および駆動制御部Ｃ２  でモータＭ６  が逆転され、押板２ｂは図１３の一点鎖線図示位置に位置されて出金口３を閉じる。一方、モータＭ７−１  ，Ｍ７−２  が逆転し、カム６５，６５が定位置へ復帰したとき停止し、規制部材５１，５１も定位置へ復帰する。これによって機械は待機状態となる。
【０２１８】
次に「（Ｄ２  ）一括収納カセット５１  による紙幣回収動作（表裏反転合流通路機構２５無）」について説明する。
【０２１９】
まず操作部４の紙幣回収釦操作を行なうと、モータＭ７−１  が正転してレバー６６でローラ５２を押動し、収納カセット５１  の規制部材５１，５１およびスペーサー７６，７６が機体１の前方（図８の左側）へ移動され、内枠３６の端壁５３内面とスペーサー７６，７６の紙幣押圧面（端壁５３の内面の対向面）間に数枚の紙幣を繰込める一時保留空間が形成され、モータＭ７−１  はその位置で停止してブレーキ保持される。つぎにモータＭ２−１  ，Ｍ３−２  ，Ｍ４  が正転回転され、モータＭ２−２  およびＭ３−１  は逆転回転される。その結果、紙幣送込み搬送通路１１の識別部１２設置側搬送域、入金リジェクト紙幣搬送路１４、出金紙幣送出路１６、入金オーバーフロー紙幣分岐通路９０１  ，９０２  、放出紙幣収納部１５のローラ群および搬出路１７は正方向駆動され、分岐通路２３２  ，２３３  、紙幣区分通路部１３ａ、バイパス通路９１、紙幣送込み搬送通路１１の切換レバー１８および１９間の搬送域は逆方向駆動される。
【０２２０】
一方、ソレノイドＳＤ５−２  は非励磁で、切換レバー２２２  は分岐通路２３２  と紙幣区分通路部１３ａの接続姿勢、ソレノイドＳＤ８  は励磁されて切換レバー９２は紙幣区分通路部１３ａとバイパス通路９１の接続姿勢、ソレノイドＳＤ９  は励磁されて切換レバー９３がバイパス通路９１と入金リジェクト紙幣搬送路１４の接続姿勢、ソレノイドＳＤ１１は励磁されて切換レバー９５は入金リジェクト紙幣搬送路１４と出金紙幣送出路１６の接続姿勢、ソレノイドＳＤ２  は励磁されて切換レバー１９は出金紙幣送出路１６と識別部１２設置側の紙幣送込み搬送通路１１域との接続姿勢（識別部１２および搬送異常検知センサ９６の検知状況によりソレノイドＳＤ２  の励磁、非励磁のきりかえが行なわれる）、ソレノイドＳＤ５−１  は励磁されて切換レバー２２１  は紙幣送込み搬送通路１１と入金オーバーフロー紙幣分岐通路９０１  との接続姿勢、またソレノイドＳＤ１  は励磁され切換レバー１８は上昇位置にあって紙幣送込み搬送通路１１と搬送路１７の接続姿勢、またソレノイドＳＤ３  は励磁され切換レバー２０は紙幣送込み搬送通路１１と入金リジェクト紙幣搬送路１４の接続姿勢にある。
【０２２１】
この状態でクラッチＣＬ１  およびＣＬ２  が入る。収納カセット５２  の繰込み・繰出し手段５５はモータＭ３−１  およびクラッチＣＬ２  を介して逆転駆動され、一万円紙幣の繰出しを行なう。また一括収納カセット５１  の繰込み・繰出し手段５５はモータＭ３−２  、クラッチＣＬ１  を介して正転され、紙幣の繰込みに備える。
【０２２２】
まず収納カセット５２  の繰込み・繰出し手段５５で繰出された紙幣は、分岐通路２３２  、切換レバー２２２  、紙幣区分通路部１３ａ、バイパス通路９１、入金リジェクト紙幣搬送路１４、出金紙幣送出路１６、紙幣送込み搬送通路１１の識別部１２へと搬送され、この識別部１２で金種判別され、この識別部１２で金種判別された紙幣データは、全体制御部Ｃ１  内に記憶されている一括収納カセット５１  の収納部４３に収納済の紙幣の紙幣データ（金種別枚数データ）に加えられる。また金種確認がなされた紙幣は、切換レバー２２１  により入金オーバーフロー紙幣分岐通路９０１  ，９０２  から一括収納カセット５１  の一時保留空間へ搬送される。
【０２２３】
もし識別部１２で金種判別できない紙幣、すなわち識別不能紙幣（偽紙幣、二枚重なり紙幣、連鎖紙幣、斜行紙幣等）が判別されると、その識別不能紙幣が切換レバー２２１  に接近したとき、ソレノイドＳＤ５−１  が非励磁となって切換レバー２２１  は下降し、識別不能紙幣は入金リジェクト紙幣搬送路１４へ送り込まれる。そのとき切換レバー９３は入金リジェクト紙幣搬送路１４を塞ぐ位置に位置されるが、上昇搬送されてくる識別不能紙幣の入金リジェクト紙幣搬送路１４内の搬送を妨げないようになっており、識別不能紙幣は切換レバー９３の位置を通過し、入金リジェクト紙幣搬送路１４から出金紙幣送出路へ入り、搬送異常検知センサ９６へ至ると識別不能紙幣が検知され、ソレノイドＳＤ２  の非励磁により切換レバー１９を上昇させ、その識別不能紙幣を搬送路１７から出金リジェクト紙幣収納部５′へ収納せしめる。この識別不能紙幣が入金リジェクト紙幣搬送路１４の切換レバー９３を通過するとき、バイパス通路９１から他の出金紙幣が入金リジェクト紙幣搬送路１４へ送り込んでおり、その出金紙幣が識別不能紙幣と二枚重ねになったり連鎖状態になることもあり、この場合は識別不能紙幣と二枚重ねとか連鎖状態の紙幣も搬送異常検知センサ９６による検知で識別不能紙幣と一緒に搬送路１７を通じて出金リジェクト紙幣収納部５′へ収納される。
【０２２４】
こうして、一括収納カセット５１  の一時保留空間へ紙幣が繰り込まれ、その送り込み量が増加すると、図１４のカセット別一時保留枚数記憶部Ｃ３  の記憶内容に基づきモータＭ７−１  が正転されて数枚の紙幣が繰り込める一時保留空間に修正され、繰込み部動作が続けられる。こうして一括収納カセット５１  の規制部材５１，５１が図８の二点鎖線図示位置（図７図示位置）に位置され、一括収納カセット５１  の一時保留空間が最大一時保留空間となったとき、カセット別一時保留枚数記憶部Ｃ３  からの信号でクラッチＣＬ２  を断にして収納カセット５２  の繰込み・繰出し手段５５を一時停止させる。一方、識別部１２が紙幣を検知してから所定時間経過後（収納カセット５２  ，５３  から繰出される紙幣が識別部１２を通過した後一括収納カセット５１  もしくは出金リジェクト紙幣収納部５′へ収納されるに十分な所定時間後）にクラッチＣＬ１  を切り、一括収納カセット５１  の繰込み・繰出し手段５５を一時停止させる。
【０２２５】
その状態で一括収納カセット５１  の規制部材５１，５１を側壁５４，５４より両側外方へ退避させ、その結果一時保留されていた回収紙幣は収納済紙幣（入金オーバーフロー紙幣、入金損券紙幣等）と合体されて一緒に端壁５３の内面と押圧部材８３との間に挾持される。
【０２２６】
規制部材５１，５１は側壁５４，５４の外方位置を端壁５３側へ移動し、端壁５３の内面より規制部材５１，５１の面５１ａ，５１ａが収納部外方に位置した段階でこの規制部材５１，５１が接近して停止する。次にこの規制部材５１，５１が押圧部材８３方向へ移動し、端壁５３の内面と規制部材５１，５１に固定されるスペーサー７６，７６との間に新たな一時保留空間を形成する。これにより収納済紙幣とこれに合体された回収紙幣は規制部材５１，５１の面５１ａ，５１ａと押圧部材８３との間で挾持された状態となる。またカセット別一時保留枚数記憶部Ｃ３  の一括収納カセットについての枚数記憶値がリセットされ、クラッチＣＬ１  ，ＣＬ２  が再度入り、収納カセット５２  からの紙幣繰出しが再開され、再度一括収納カセット５１  の一時保留空間へ回収紙幣の繰込みが行なわれ、一時保留空間が最大一時保留空間になったとき前述と同様の動作が繰返えされて収納カセット５２  内のすべての紙幣が繰出される。この収納カセット５２  内の最後の紙幣が識別部１２で識別されてから前述の所定時間後にクラッチＣＬ２  が断たれ、一方ソレノイドＳＤ５−２  の励磁により切換レバー２２２  が起立姿勢となって分岐通路２３３  と紙幣区分通路部１３ａを接続し、次にクラッチＣＬ３  を入れる。その結果収納カセット５３  から紙幣が繰出されて分岐通路２３３  から紙幣区分通路部１３ａへ送られ、バイパス通路９１を通じて万円紙幣の回収と同じ搬送経路を通って一括収納カセット５１  の一時保留空間または出金リジェクト紙幣収納部５′へ収納される。千円紙幣が一括収納カセット５１  の一時保留空間へ順次繰込まれて最大一時保留空間となったときの新たな一時保留空間の形成は前述した動作と同じである。こうして収納カセット５２  のすべての紙幣が一括収納カセット５１  の一時保留空間または出金リジェクト紙幣収納部５′へ収納され、識別部１２が最後の紙幣の識別から前述の所定時間紙幣を検知しないときは、クラッチＣＬ１  およびＣＬ３  を切り、またモータＭ２−１  ，Ｍ２−２  ，Ｍ３−１  ，Ｍ３−２  ，Ｍ４  を停止させ、切換レバー群を定位置に戻すべくソレノイド群を非励磁にする。
【０２２７】
このとき収納カセット５２  ，５３  の各押圧部材８３，８３は各端壁５３，５３の内面に押圧状態にある。
【０２２８】
一方、一括収納カセット５１  については、ソレノイドＳＤ６−１  励磁されて規制部材５１，５１が側壁５４，５４の両側外方へ移動され、その状態を保ちながらモータＭ７−１  の逆転により規制部材５１，５１は面５１ａ，５１ａが端壁５３の内面より収納部４３の外方に位置した位置で停止し、次にソレノイドＳＤ６−１  の非励磁により規制部材５１，５１、スペーサー７６，７６は互いに接近移動して定位置に復帰する。
【０２２９】
次に操作部４において、収納カセット５１  引抜き釦（図示せず）を操作する。
【０２３０】
このカセット引抜き釦が押されると、図１４の全体制御部Ｃ１  、駆動制御部Ｃ２  により収納カセット５１  引抜き釦に対応する収納カセット５１  のモータＭ８−１  が正転され、図５におけるベルト７４が回動され、作動アーム７５が内枠３６の端壁５３を押動して図５左方へ移動される。このとき中間枠３５はバネ４２で内枠３５のストッパ５３ｂに当接しているので、この中間枠３６も内枠３６と一体的に図５左方へ移動される。図８においては一点鎖線図示位置の内枠３６、中間枠３５が実線図示位置の作動アーム７５で左方へ移動されて実線図示位置へ移動され、収納カセット５１  内へ格納される。すると中間枠３５の底部下面に接触状態のロック部材６８のロック部６８ａが中間枠３５および内枠３６の底面の穴７０，７１に入り込み、中間枠３５、内枠３６を図８の実線位置で係止する。その状態が図４図示の状態である。この図４図示の状態で収納カセット５１  を引抜いていくと、係合部３３に対し収納カセット５は機体１の前面側（図４の左方向）へ相対移動し、そのためこの係合部３３にバネ付勢される収納カセット５１  のシャッタ３０は閉じられていき、シャッタ３０が係合部３３から外れたとき収納カセット５１  の内端面５ａがシャッタ３０で閉鎖される。
【０２３１】
そしてこの収納カセット５１  が機体１からの引き抜きが終了した時点で収納カセット５１  のシャッタ３０にロックがかけられ、鍵によらなければ開放出きないようになる。その直後にこの一括収納カセット５１  は機体１から完全に引き抜かれ、精算所等へ持ち運ばれる。
【０２３２】
以上の動作説明は表裏反転合流通路機構２５が接続されない場合の説明であっが、次に〔表裏反転合流通路機構２５を接続した場合〕について説明する。なお表裏反転合流通路機構２５を接続しない場合の動作と同じ動作の部分は省略し、異なる点のみ説明することにする。
【０２３３】
この表裏反転合流通路機構２５の構造は第一実施例と同じであるが、その機構２５が設けられる場合は図１３の識別部１２の右外側横のローラ１１ａ周面右側に固定ガイド（図示せず）を設け、識別部１２を出た紙幣をその右横のローラ１１ａおよびローラ２５ａにくわえ込ませ、これらのローラ１１ａ、２５ａにより固定ガイドにそって羽根車２６とベルト２７間へ送り込むようになっている。また切換レバー２２１  位置の紙幣送込み搬送通路１１にある一対のローラ１１ｂ，１１ｃと表裏反転合流通路機構２５の合流搬送路２９ｃとが接続され、合流搬送路２９ｃと切換レバー２２１  位置の上部にあるローラ１１ｂとの間に固定ガイド（図示せず）が設けられる。
【０２３４】
ところでこの例では、一括収納カセット５１  へ精算所で紙幣を詰めるときには裏向きに揃えて詰めるようになっている（精算所の機械により裏向きに収納せしめる。）。
【０２３５】
そして「（Ａ２  ′）一括収納カセット５１  による補充動作（表裏反転合流通路機構２５有）」時には、一括収納カセット５１  の繰込み・繰出し手段５５→入金オーバーフロー紙幣分岐通路９９２  ，９９１  →切換レバー２２１  →ローラ１１ｂ，１１ｃ→合流通路２９ｃ→ガイド部材２８ｂ→非反転通路２９ａ→羽根車２６およびベルト２７→ローラ２５ａおよび１１ａ→識別部１２に至り、補充紙幣のうち出金に使用できる出金適正紙幣（一万円紙幣および千円紙幣）は切換レバー１９により出金紙幣送出路１６→切換レバー９４→接続路１６Ａ，（１４と１６の接続路を１６Ａとする）→切換レバー９５→入金リジェクト紙幣搬送路１４→切換レバー９３→パイパス通路９１→切換レバー９２→紙幣区分通路部１３ａ→〔分岐通路２３２  →収納カセット５２  用繰込み・繰出し手段５５または分岐通路２３３  →収納カセット５３  用繰込み・繰出し手段５５〕の搬送ルートをとる。その結果収納カセット５２  ，５３  へは表向き紙幣の向きとなって収納される。
【０２３６】
また補充紙幣のうち出金リジェクト紙幣は、識別部１２→切換レバー１９→切換レバー１８→搬送路１７→出金リジェクト紙幣収納部５′へ送られる。
【０２３７】
次に「（Ｂ２  ′）入金モード（表裏反転合流通路機構２５有）」について説明する。
【０２３８】
入金紙幣は、紙幣識別部１２で真偽、金種、表裏、出金適正紙幣か出金不適正紙幣かが判断されたのちローラ１１ａ，２５ａにより羽根車２６とベルト２７により非反転通路２９ａを進む。このうち出金適正紙幣（万円および千円の正券紙幣であって入金オーバーフロー紙幣でない紙幣）の中でも裏紙幣がレバー２８ａに接近してくると、このレバー２８ａが下降し、その裏紙幣先端を係止する。一方その裏紙幣の後端は羽根車２６で反転通路２９ｂ側へ変位され、この反転通路２９ｂから合流通路２９ｃへ送られる。それ以外の紙幣がレバー２８ａに接近しても、レバー２８ａは下降せず、非反転通路２９ａを進んで合流通路２９ｃへ送られる。合流通路２９ｃへの各紙幣の送り込み順は、ローラ１１ａ，２５ａから送り込まれた紙幣の搬送順が保たれている。こうしてローラ１１ｂ，１１ｃから出ようとする紙幣が出金不適正紙幣（入金適正紙幣中のすべての五千円紙幣および一万円紙幣、千円紙幣の損券紙幣および一万円紙幣、千円紙幣の入金オーバーフロー紙幣）の場合は、切換レバー２２１  が浮上し、その紙幣は入金オーバーフロー紙幣分岐通路９０１  ，９０２  および収納カセット５１  の繰込み・繰出し手段５５を通じて一時保留される。それ以外の紙幣は図１３の識別通路１１を右方へ直進し、出金適正紙幣は切換レバー２１で紙幣分岐通路部１３ａへ送られ、金種（万円か、千円）によって分岐通路２３２  または２３３  へ送られ、対応する繰込み・繰出し手段５５を通じて収納カセット５２  ，５３  の一時保留空間へすべての紙幣が表向きで一時保留される。
【０２３９】
また入金リジェクト紙幣（二枚重なり紙幣、連鎖紙幣、斜行紙幣、偽紙幣等の識別不能紙幣）は、切換レバー２０を通じ入金リジェクト紙幣搬送路１４から放出紙幣収納部１５へ収納される。
【０２４０】
入金紙幣収納時は、一時保留紙幣が収納紙幣と合体されるので、万円および千円の収納カセット５２  ，５３  の収納紙幣はすべて表向きとなっている。
【０２４１】
また入金紙幣の返却時は、一括収納カセット５１  、万円および千円収納カセット５２  ，５３  の一時保留紙幣は紙幣送込み搬送通路１１へ送り出され、ローラ１１ｂ，１１ｃにより合流通路２９ｃ、非反転通路２０ａ、羽根車２６とベルト２７、ローラ１１ａ，２５ａを通じ、識別部１２、出金紙幣送出路１６から放出紙幣収納部１５へ送り出す。
【０２４２】
また「（Ｃ２  ′）出金モード（表裏反転合流通路機構２５有）」の場合は、収納カセット５２  ，５３  から繰出される紙幣は表向き姿勢で繰出され、分岐通路２３２  ，２３３  、紙幣区分通路部１３ａを通って切換レバー２１により紙幣送込み搬送通路１１へ送り込まれ、ローラ１１ｂ，１１ｃから合流通路２９ｃ、非反転通路２９ａ、羽根車２６とベルト２７を通じてローラ１１ａに至り、識別部１２へ送り込まれる。出金適正紙幣（万円、千円紙幣、この識別では正券紙幣のみならず損券紙幣でもよい。）は、出金紙幣送出路１６から放出紙幣収納部１５へ表向きで放出される。出金不適正紙幣（二枚重なり紙幣、連鎖、斜行紙幣等）は出金リジェクト紙幣として搬送路１７から出金リジェクト紙幣収納部５′へ収納される。
【０２４３】
次に「（Ｄ２  ′）一括収納カセット５１  による紙幣回収動作（表裏反転合流通路機構２５有）」について説明する。
【０２４４】
まず識別部１２による回収紙幣リジェクトが無い場合を説明する。
【０２４５】
収納カセット５２  または５３  から繰出された紙幣は、分岐通路２３２  ，２３３  、紙幣区分通路部１３ａからバイパス通路９１、入金リジェクト紙幣搬送路１４、接続路１４Ａ、出金紙幣送出路１６、紙幣送込み搬送通路１１の識別部１２、ローラ１１ａおよび２５ａ、羽根車２６およびベルト２７、非反転通路２９ａ、合流通路２９ｃ、ローラ１１ｂ，１１ｃ、切換レバー２２１  、入金オーバーフロー紙幣分岐通路９０１  ，９０２  、繰込み・繰出し手段５５を通じて一括収納カセット５１  へ一時保留され、所定枚数に達する毎に収納される。
【０２４６】
また回収リジェクトが有る場合は、識別部１２で識別不能紙幣（二枚重なり紙幣、連鎖、斜行紙幣等）と判断され、回収リジェクト紙幣と判断された紙幣はローラ１１ｂ，１１ｃから出て図１３の右方へ進み、切換レバー２０により入金リジェクト紙幣搬送路１４へ送り込まれる。以下の動作は「表裏反転合流通路機構２５無」のときの動作と同じであるので省略する。
【０２４７】
次に〈収納カセット５１  を五千円カセットとして使用する場合〉について説明する。
【０２４８】
この場合は第一実施例の作用と同じであり、「（Ａ０  ）収納カセット５１  〜５３  の機体１への装填動作」、「（Ｂ０  ）入金モード（表裏反転合流通路機構２５無）」、「（Ｃ０  ）出金モード（表裏反転合流通路機構２５無）」、「（Ｄ０  ）収納カセット５１  〜５３  の機体１からの回収動作」、「（Ｂ１  ）入金モード（表裏反転合流通路機構２５有）」、「（Ｃ１  ）出金モード（表裏反転合流通路機構２５有）」と同じ作用をなす。
【０２４９】
この場合、入金オーバーフロー紙幣分岐通路９０１  ，９０２  は紙幣区分通路１３の分岐通路２３１  として機能し、また収納カセット５１  に対応する繰込み・繰出し手段５５も五千円紙幣の繰込み・繰出しに使われる。
【０２５０】
またこの場合は、紙幣送込み搬送通路１１は切換レバー２２１  の位置より入金口２に対する前方域までであり、入金口２に対する切換レバー２２１  の位置より後方の搬送域、すなわち切換レバー２２１  と切換レバー２１の間の搬送域も紙幣区分通路部１３ａとして機能する。それ故この例の場合は、入金リジェクト紙幣搬送路１４は紙幣区分通路１３から、すなわち紙幣区分通路１３として機能する搬送域（切換レバー２２１  および２１間の搬送域）から切換レバー２０により分岐されていることになる。またこの収納カセット５１  を五千円カセットとして使う場合はバイパス通路９１は使用されない。
【０２５１】
次に第三実施例について図１３を参照して説明する。第三実施例の場合は収納カセット５１  が万円紙幣カセット、収納カセット５２  が千円カセット、収納カセット５３  が一括収納カセットまたは五千円カセットに切換使用される。またこの実施例では、第二実施例における入金オーバーフロー紙幣分岐通路９０１  ，９０２  が紙幣区分通路１３として機能し、また搬送路９０３  （一点鎖線図示）で入金オーバーフロー紙幣分岐通路９０１  と分岐通路２３２  が接続され、搬送路９０３  も紙幣区分通路として機能する。また紙幣区分通路として機能するため搬送路９０３  と入金オーバーフロー紙幣分岐通路９０１  との接続部分には切換レバー（図示せず）が設けられ、入金紙幣を入金オーバーフロー紙幣分岐通路９０１  から入金オーバーフロー紙幣分岐通路９０２  （万円紙幣分岐通路として機能）側または搬送路９０３  （千円紙幣分岐通路として機能）側へ識別部１２の識別結果に基づき切り換える。なおこの場合図１３の切換レバー２２２  および分岐通路２３３  の垂直搬送域は不要となる。
【０２５２】
一方、収納カセット５３  の分岐通路２３３  の図１３図示の水平搬送路域右端と紙幣区分通路部１３ａの左下りに傾斜する傾斜通路域下端部とが搬送路９０４  で接続されている。
【０２５３】
その結果、この第三実施例の場合は、紙幣区分通路部１３ａ、搬送路９０４  、分岐通路２３３  が入金オーバーフロー紙幣分岐通路として機能し、バイパス通路９１は入金リジェクト紙幣搬送路１４と入金オーバーフロー紙幣分岐通路（図１３の紙幣区分通路部１３ａがその機能をしている。但し収納カセット５３  が一括カセットとして使われている場合である。）とを接続していることになる。
【０２５４】
また収納カセット５３  用の繰込み・繰出し手段５５および分岐通路２３３  、搬送路９０４  、紙幣区分通路部１３ａ（切換レバー２１位置のローラ対は紙幣送込み搬送通路１１のモータで駆動され切換レバー９２位置のローラ対から下方が紙幣区分通路部１３ａとなる）、バイパス通路９１が一個のモータで駆動される（但しそのモータと繰込み・繰出し手段５５との間には電磁クラッチが介在される。）。また入金オーバーフロー紙幣分岐通路９０１  ，９０２  、搬送路９０３  、分岐通路２３２  、各収納カセット５１  および５２  の各繰込み・繰出し手段５５は別のモータにより駆動される（但しモータと各繰込み・繰出し手段５５，５５との間には各々電磁クラッチが介在される）。また切換レバー２２１  位置のローラ対は紙幣送込み搬送通路１１に属し、それより下方のローラ群が入金オーバーフロー紙幣分岐通路９０１  に属する。他の搬送系と駆動手段は第二実施例と同じである。そして〈収納カセット５３  を一括収納カセットとして使う場合〉の作用は「（Ａ２  ）一括収納カセットによる補充動作（表裏反転合流通路機構２５無）」、「（Ｂ２  ）入金モード（表裏反転合流通路機構２５無）」、「（Ｃ２  ）出金モード（表裏反転合流通路機構２５無）」、「（Ｄ２  ）一括収納カセットによる紙幣回収動作（表裏反転合流通路機構２５無）」、「（Ａ２  ′）一括収納カセットによる補充動作（表裏反転合流通路機構２５有）」、「（Ｂ２  ′）入金モード（表裏反転合流通路機構２５有）」、「（Ｃ２  ′）出金モード（表裏反転合流通路機構２５有）」、「（Ｄ２  ′）一括収納カセットによる紙幣回収動作（表裏反転合流通路機構２５有）」と同じ動作をする。
【０２５５】
なおこの実施例の場合は一括カセット５３  の機体１からの抜きとり時に出金リジェクト紙幣収納部５′内の紙幣も運ぶ必要があり、収納カセット５３  および５１  の両方を運ぶことになる。
【０２５６】
次に〈収納カセット５３  を五千円カセットとして使用する場合〉は、紙幣送込み搬送通路１１は入金口２に対する後方端が切換レバー２２１  までとなり、それより後方の搬送路域（切換レバー２２１  と２１との間の搬送路域）と紙幣区分搬送路部１３ａ、搬送路９０４  、分岐通路２３３  が紙幣区分通路の一部として機能する。
【０２５７】
この場合は入金リジェクト紙幣搬送路１４は紙幣区分通路から分岐されていることになり、バイパス通路は入金リジェクト紙幣搬送路１４と紙幣区分通路とを接続している。その動作は第一実施例の作用と同じであり、「（Ａ０  ）収納カセット５１  〜５３  の機体１への装填動作」、「（Ｂ０  ）入金モード（表裏反転合流通路機構２５無）」、「（Ｃ０  ）出金モード（表裏反転合流通路機構２５無）」、「（Ｄ０  ）収納カセット５１  〜５３  の機体１からの回収動作」、「（Ｂ１  ）入金モード（表裏反転合流通路機構２５有）」、「（Ｃ１  ）出金モード（表裏反転合流通路機構２５有）」と同じ作用をなす。
【０２５８】
次に第四の実施例を図１５および図１４により説明する（図１５の制御ブロック図は図１２に対応する）。
【０２５９】
なお第二実施例（図１３）と同じ構造部分は同番号もしくは対応番号（第二実施例では２２１  ，２２２  およびＳＤ５−１  ，ＳＤ５−２  であったものを第四実施例では２２１  ，２２２  ，２２３  およびＳＤ５−１  ，ＳＤ５−２  ，ＳＤ５−３  というように対応番号を付して示している。）を付した。
【０２６０】
まずこの実施例でも第二実施例と同様、収納カセット５１  ，５２  ，５３  のうち収納カセット５１  を一括収納カセットとし、収納カセット５２  は一万円出金紙幣用、収納カセット５３  は千円出金紙幣用の各金種別収納カセットとされ、特に一括収納カセット５１  は入金適正紙幣中の出金不適正紙幣（５千円紙幣のすべてと万円紙幣および千円紙幣中の損券紙幣と、万円紙幣および千円紙幣中の正券紙幣であっても収納カセット５２  ，５３  が満杯のときに機内へ送り込まれる入金オーバーフロー紙幣とをいう。ここで入金適正紙幣中の正券紙幣とは、紙幣の疲労、傷みが少なく、出金紙幣として使用できる紙幣、入金適正紙幣中の損券紙幣とは、紙幣の疲労、傷みが大で、出金紙幣として使用できない紙幣をいう。）を収納するカセットで、また業務の始業時、業務中の必要時、業務の終業時に収納カセット５２  ，５３  に対して紙幣の補充、紙幣の回収（詳細説明は動作説明時に述べる。）が行なえるようになっている。なお図１４の制御部の構成により、収納カセット５１  を「一括収納カセット」または「五千円紙幣収納カセット」の切換え使用が可能になっている。
【０２６１】
また本実施例でも紙幣送込み搬送通路１１の切換レバー１８および１９間の搬送域をモータＭ２−２  で駆動し、識別部１２載置域（切換レバー１９および２０，２１間の搬送域）と入金リジェクト紙幣搬送路１４および出金紙幣送出路１６をモータＭ２−１  で駆動するようになっている点は第二実施例と同じである。
【０２６２】
一方、この実施例では、紙幣送込み搬送通路１１の識別部１２設置域右端（切換レバー２０，２１位置）から図１５の右方へ直進し、その右端から直下方へ向かい、ローラ１１ａ，１１ａの位置から左斜め下方へ向かい、その下端のローラ１１ｂの位置から左斜め上方へ向かい、切換レバー２２１  の位置のローラ１１ｄ，１１ｄ位置に至る後続搬送路１１Ａが設けられ、この後続搬送路１１Ａも紙幣送込み搬送通路１１の一部を構成している。
【０２６３】
また、この実施例では、バイパス通路９１は入金リジェクト紙幣搬送路１４と後続搬送路１１Ａのローラ１１ａ，１１ａ位置（紙幣送込み搬送通路１１における入金口２に対する識別部１２および切換レバー２０，２１より後流位置）とを接続している。この後続搬送路１１ＡもモータＭ３−１  で駆動される。なおパイパス通路９１がモータＭ３−１  で駆動される点は第二実施例と同じである。
【０２６４】
また後続搬送路１１Ａの端部のローラ１１ｄ，１１ｄは紙幣区分通路１３の始端ローラ１１ｄ，１１ｄとして機能し、このローラ１１ｄ，１１ｄから上方へ向かう分岐通路２３１  が設けられる（この分岐通路２３１  は収納カセット５１  が一括収納カセットから５千円紙幣収納カセットに切換使用される場合でかつ表裏反転合流通路機構２５が用いられる場合の五千円入金紙幣の繰込み時の表裏反転に不可欠な通路である）。
【０２６５】
またこの実施例では、入金紙幣送込み搬送通路１１の切換レバー２１の位置から垂直下方へ向かう通路９０１  と、その下端から左方へ水平に延び収納カセット５１  の入口域に接続される通路９０２  とが設けられ、これら通路が入金オーバーフロー紙幣分岐通路９０１  ，９０２  となる。そして前述の分岐通路２３１  の上端は入金オーバーフロー紙幣分岐通路９０２  の右端に接続される。
【０２６６】
切換レバー２２１  は、ソレノイドＳＤ５−１  の励磁・非励磁により図１５図示位置（入金紙幣を後続搬送路１１Ａから分岐通路２３２  ，２３３  へ送る位置）または斜め下方へ移動した位置（入金紙幣を後続搬送路１１Ａから分岐通路２３１  へ送る位置）をとるようになっている。また切換レバー２２２  はソレノイドＳＤ５−２  の励磁・非励磁により分岐通路２３２  または２３３  へ切換えるようになっている。切換レバー２２３  はソレノイドＳＤ５−３  の励磁・非励磁により通路９０１  と通路９０２  を接続する位置（図１５図示位置）と、図１５に示す位置から左方へ移動して分岐通路２３１  と通路９０２  とを接続する位置とをとるようになっている。
【０２６７】
また表裏反転合流通路機構２５が組込まれる場合は、同機構２５の非反転通路２９ａの始端が後続搬送路１１Ａのローラ１１ａ，１１ａの位置と接続される。
【０２６８】
切換レバー９７は、表裏反転合流通路機構２５が取り付けられないときは図１５に示す位置に固定され、後続搬送路１１Ａのローラ１１ａ，１１ａより上方域とローラ１１ａ，１１ａより下方域とを接続する紙幣搬送ガイドとして機能する。そしてこの切換レバー９７は、表裏反転合流通路機構２５が取りつけられる場合は図１５に示す位置から左方へ揺動された位置、すなわち後続搬送路１１Ａのローラ１１ａ，１１ａより上方域と非反転通路２９ａの始端とを接続する位置に固定され、紙幣搬送ガイドとして機能する。
【０２６９】
また切換レバー９８は、表裏反転合流通路機構２５が取り付けられないときは図１５に示す位置に固定されて紙幣搬送ガイドとして機能し、後続搬送路１１Ａのローラ１１ｂ，１１ｃ位置より上方域とローラ１１ｂ，１１ｃ位置より左方域とを接続状態にする。
【０２７０】
また表裏反転合流通路機構２５が取り付けられる場合は、切換レバー９８は図１５に示す位置から上方へ揺動された位置、すなわち合流搬送路２９Ｃと後続搬送路１１Ａとを接続する位置に固定され、紙幣搬送ガイドとして機能する。
【０２７１】
次に上記実施例の作用を説明するが、この第四実施例については次の２通りの方式があり、これを列記する。
【０２７２】
▲１▼第四実施例（１）  ……表裏反転合流通路機構２５が無で、収納カセット５１  が「一括収納カセットと五千円紙幣収納カセットの切替え方式」の例
▲２▼第四実施例（２）  ……表裏反転合流通路機構２５有で、収納カセット５１  が
「一括収納カセットと五千円紙幣収納カセットの切替え方式」の例（特長……第四実施例（１）  が表裏取り揃えできないのに対し第四実施例（２）  は表裏取り揃えが可能であり、そのうえ第四実施例（２）  は通路２３１  を設けているので収納カセット５１  を五千円紙幣収納カセットへ切り換えた場合でも五千円入金紙幣も表裏取り揃えを行なって収納カセット５１  へ送り込め、その点で第二、第三実施例および第四実施例（１）  より優れている。）
まず第四実施例（１）  において〈収納カセット５１  を一括収納カセットとして使用の場合（表裏取り揃え無）〉（センサＳ０４がカセット５１  を検知するとき）での各モード説明をする。
【０２７３】
「（Ａ４−１  ）一括収納カセット５１  による補充動作」
前日の終業時に引き抜かれて精算所におかれている一括収納カセット５１  に出金紙幣として使用する万円紙幣、千円紙幣を所定枚数ずつ装填する（収納カセット５２  ，５３  へ自動補充するに適切な所定枚数である。）。
【０２７４】
この一括収納カセット５１  を作業者（機械操作者）が精算所から機体１のところまで運んできて機体１の最上段の装着口１ｃへ挿入する。この一括収納カセット５１  が装着口１ｃへ挿入され終ると図１５のセンサＳ０４がカセット５１  の作動片Ｈ０１を検知し、機械が一括収納カセットタイプにセットされる。なおカセット５２  ，５３  は、その時点では収納部４３，４３内には紙幣無の状態で機体１に装着状態のままであり、センサＳ０２，Ｓ０３は作動片Ｈ０２，Ｈ０３を検知している。一方一括収納カセット５１  挿入時のシャッタ３０の開放、ならびに内枠３６および中間枠３５の突出動作（図５図示および図８の鎖線図示の位置への移動動作）は第一実施例の収納カセット５１  の動作と同じであるので省略する。
【０２７５】
一括収納カセット５１  の機体１への装着動作により、収納カセット５１  の内枠３６、中間枠３５は図５図示状態となる。なおカセット５２  ，５３  の内枠３６、中間枠３５も同じ状態位置におかれている。それ故各カセット５１  〜５３  の規制部材５１，５１，５１の各々の面５１ａ，５１ａは端壁５３の内面より図５の右方位置にあり、各カセット５１  〜５３  の収納紙幣は端壁５３と押圧部材８３との間に挾持されている。
【０２７６】
この状態で操作部４のカセット補充釦操作を行なうと、まずモータＭ７−２  ，Ｍ７−３  が正転してレバー６６でローラ５２を押動し、各カセット５２  ，５３  の規制部材５１，５１およびスペーサー７６，７６が機体１の前方（図８の左側）へ移動され、内枠３６の端壁５３内面とスペーサー７６，７６の紙幣押圧面（端壁５３の内面の対向面）間に数枚の紙幣を繰込める一時保留空間が形成され、モータＭ７−２  ，Ｍ７−３  はその位置で停止してブレーキ保持される。
【０２７７】
次にモータＭ２−１  ，Ｍ２−２  ，Ｍ３−２  が逆転され、モータＭ３−１  ，Ｍ４  は正転される。その結果、紙幣送込み搬送通路１１の切換レバー１８と切換レバー２０，２１間の通路域、入金リジェクト紙幣搬送路１４、出金紙幣送出路１６、入金オーバーフロー紙幣分岐通路９０１  ，９０２  、分岐通路２３１  は逆方向駆動され、紙幣送込み搬送通路１１の後続搬送路１１Ａ、分岐通路２３２  ，２３３  、バイパス通路９１、搬送路１７、放出紙幣収納部１５のローラ（搬送ローラ１５ａ，１５ａ含む）は正方向に駆動される。そのときの切換レバー１８，１９，２０，２１，２８ａ，２８ｂ，２２１  ，２２２  ，２２３  ，９２，９３，９４，９５，９７，９８は図１５の状態にある。この状態でクラッチＣＬ１  ，ＣＬ２  ，ＣＬ３  が入り、一括収納カセット５１  の繰込み・繰出し手段５５はモータＭ３−２  、クラッチＣＬ１  を介して逆転されて紙幣の繰出しがなされる。また収納カセット５２  ，５３  の繰込み・繰出し手段５５はモータＭ３−１  およびクラッチＣＬ２  ，ＣＬ３  を介して正転されて紙幣の繰込みがなされる。
【０２７８】
一括収納カセット５１  の繰込み・繰出し手段５５で繰出しされた紙幣は、入金オーバーフロー紙幣分岐通路９０２  ，９０１  、紙幣送込み搬送通路１１の識別部１２へ進む。補充紙幣が識別部１２で出金不適正紙幣（二枚重なり紙幣、斜行紙幣、連鎖紙幣等で、金種の判別ができない紙幣、万円紙幣、千円紙幣のうち紙幣の疲労とか傷みが激しく、出金紙幣として使用できない紙幣、万円紙幣、千円紙幣以外の紙幣で例えば五千円紙幣、偽紙幣等）と識別されると、紙幣送込み搬送通路１１を図１５の左方へ直進し、搬送路１７から出金リジェクト紙幣収納部５′へ送り込まれる。また補充紙幣が識別部１２で出金適正紙幣（出金に使用できる疲労、傷みの少ない万円紙幣および千円紙幣）と識別されると、その紙幣は紙幣送込み搬送通路１１の識別部１２域から切換レバー１９により出金紙幣送出路１６、入金リジェクト紙幣搬送路１４、バイパス通路９１を通り、後続搬送路１１Ａへ送られ、識別部１２での識別結果に基づく切換レバー２２１  ，２２２  の切換えにより分岐通路２３２  ，２３３  へ送られ、対応する金種の収納カセット５２  または５３  の一時保留空間へ各繰込み・繰出し手段５５，５５により受収される。こうして収納カセット５２  ，５３  の一時保留空間への紙幣送込み量が増加すると、図１６の全体制御部Ｃ１  のカセット別一時保留枚数記憶部Ｃ３  の記憶内容に基づいて対応するカセット５２  または５３  のモータＭ７−２  あるいはＭ７−３  が正転され、数枚の紙幣を繰込める一時保留空間に保つ。このとき各収納カセット５２  ，５３  の規制部材５１，５１の面５１ａ，５１ａには押圧部材８３が当接している。このようにして補充紙幣が順次各収納カセット５２  ，５３  の一時保留空間へ繰込まれる。
【０２７９】
なおこの例では、万円紙幣収納カセット５２  、千円紙幣収納カセット５３  の最大一時保留空間は各々の規制部材５１，５１が図８の二点鎖線図示位置（図７図示位置）に位置されるときであり、一括収納カセット５１  に収納される万円紙幣および千円紙幣の各補充紙幣量は各カセット５２  ，５３  の最大一時保留量以下とされている。それ故一括収納カセット５１  内の補充紙幣がすべて繰出されても各カセット５２  ，５３  の各一時保留空間は最大一時保留量とならず、識別部１２は所定時間の間補充紙幣が到来しないことを検知（カセット５１  内に紙幣がなくなったことの検知の意図）してクラッチＣＬ１  ，ＣＬ２  ，ＣＬ３  をきるとともにモータＭ２−１  ，Ｍ２−２  ，Ｍ３−１  ，Ｍ３−２  ，Ｍ４  の駆動を断とする。なおその所定時間は識別部１２を通過した最後の紙幣が出金リジェクト紙幣収納部５′もしくは収納カセット５２  ，５３  の一時保留空間へ収納されるに十分な時間に設定されている。
【０２８０】
もし各カセット５２  ，５３  の最大一時保留空間への各一時保留収納量より大なる紙幣量（その紙幣量が収納カセット５１  に収納されている）を各収納カセット５２  ，５３  へ補充収納せしめる場合は、図１６のカセット別一時保留枚数記憶部Ｃ３  がどちらかの収納カセット５２  または５３  の最大一時保留収納量を検知すると、クラッチＣＬ１  を断にしてカセット５１  の繰込み・繰出し手段５５を一時停止させる。一方、識別部１２が紙幣を検知してから前述した所定時間経過後にクラッチＣＬ２  ，ＣＬ３  を切り、カセット５２  ，５３  の繰込み・繰出し手段５５を一時停止させる。その状態で最大一時保留量となった収納カセット５２  または５３  の規制部材５１，５１を側壁５４，５４より両側外方へ退避させ、その結果一時保留された補充紙幣は端壁５３の内面と押圧部材８３との間に挾持される。規制部材５１，５１は側壁５４，５４の外方位置を端壁５３側へ移動し、端壁５３の内面より規制部材５１，５１の面５１ａ，５１ａが収納部外方に位置した段階でこの規制部材５１，５１が接近して停止する。次にこの規制部材５１，５１が押圧部材８３方向へ移動し、端壁５３の内面と規制部材５１，５１に規定されるスペーサー７６，７６との間に新たな一時保留空間を形成する。これにより既に繰込まれた補充紙幣は規制部材５１，５１の面５１ａ，５１ａと押圧部材８３との間で挾持されて収納状態となる。カセット別一時保留枚数記憶部Ｃ３  の補充紙幣収納済のカセット５２  または５３  の枚数記憶値がリセットされ、クラッチＣＬ１  ，ＣＬ２  ，ＣＬ３  が再度入り、紙幣の補充動作が再開される。
【０２８１】
こうして一括収納カセット５１  内のすべての紙幣が繰出され、識別部１２が前記所定時間の間補充紙幣が到来しないことを検知したときクラッチＣＬ１  ，ＣＬ２  ，ＣＬ３  およびモータＭ２−１  ，Ｍ２−２  ，Ｍ３−１  ，Ｍ３−２  ，Ｍ４  の駆動が断となる。一方、一括収納カセット５１  の押圧部材８３は端壁５３の内面に押圧状態にあり、また収納カセット５２  ，５３  についてはソレノイドＳＤ６−２  ，ＳＤ６−３  が励磁されて規制部材５１，５１が側壁５４，５４の両側外方へ移動され、その状態を保ちながらモータＭ７−２  ，Ｍ７−３  の逆転により規制部材５１，５１は面５１ａ，５１ａが端壁５３の内面より収納部４３外方に位置した位置で停止し、ソレノイドＳＤ６−２  ，ＳＤ６−３  の非励磁により規制部材５１，５１、スペーサー７６，７６は定位置に復帰する。
【０２８２】
これで一括収納カセット５１  による金種別の収納カセット５２  ，５３  への紙幣補充動作が完了する。
【０２８３】
「（Ｂ４−１  ）入金モード（表裏反転合流通路機構２５無）」
入金口２の押板２ｂは通常は立位姿勢（図２の一点鎖線図示）にあり、機械操作者は入金紙幣を入金口２の底板２ａ上に揃えて集積し、入金スタート釦を操作する。それによってモータＭ６  が正転し、押板２ｂが水平姿勢となって入金紙幣上面を押圧する。一方、モータ（Ｍ７−１  ）〜（Ｍ７−３  ）が正転してレバー６６でローラ５２を押動し、各カセット５１  〜５３  の規制部材５１，５１およびスペーサー７６，７６が機体１の前方（図８の左側）へ移動され、内枠３６の端壁５３内面とスペーサー７６，７６の紙幣押圧面（端壁５３の内面の対向面）間に数枚の紙幣を繰込める一時保留空間が形成され、モータ（Ｍ７−１  ）〜（Ｍ７−３  ）はその位置で停止してブレーキ保持される。
【０２８４】
次にモータ（Ｍ２−１  ）（Ｍ２−２  ）（Ｍ３−１  ）（Ｍ３−２  ）（Ｍ４  ）が正転され、これにより紙幣送込み搬送通路１１全域、入金リジェクト紙幣搬送路１４、出金紙幣送出路１６、入金オーバーフロー紙幣分岐通路９０１  ，９０２  、分岐通路２３１，２３２  ，２３３  、バイパス通路９１、搬送路１７、放出紙幣収納部１５のローラ（搬送ローラ１５ａ，１５ａ含む）が正方向駆動される。
【０２８５】
一方、各クラッチＣＬ１  〜ＣＬ３  が入り、各繰込み・繰出し手段５５，５５，５５が正方向駆動（紙幣繰込み方向に駆動）される。
【０２８６】
やや遅れてモータＭ１  が正転し、キッカローラ７、フィードローラ８が回転され、入金紙幣が１枚ずつ繰出され、紙幣送込み搬送通路１１を図１５において右方へ送られ、識別部１２で紙幣の識別が行なわれる。入金適正紙幣は予め一万円紙幣、五千円紙幣、千円紙幣と設定され、入金紙幣の真偽、金種、正損（出金に使われる金種紙幣は一万円紙幣と千円紙幣であり、入金紙幣中の一万円紙幣と千円紙幣について疲労度とか傷みが少なく出金に使用できる紙幣を正券紙幣とし、疲労度とか傷みが大で出金に使用できない紙幣を損券紙幣として扱い、正券紙幣か損券紙幣かを見わける識別を正損識別という）、二枚重ね、連鎖、斜行等の各紙幣がチェックされる。
【０２８７】
その識別部１２において偽紙幣、二枚重ね、連鎖、斜行等の各紙幣は入金リジェクト紙幣とされ、切換レバー２０を下方へ稼動させ、その入金リジェクト紙幣は入金リジェクト紙幣搬送路１４から放出紙幣収納部１５へ送り込まれる。また入金適正紙幣のうちでも出金に使用できない五千円紙幣すべてと一万円および千円紙幣中の損券紙幣は、切換レバー２１，２２３  を通じ、入金オーバーフロー紙幣分岐通路９０１  ，９０２  へ送られ、繰込み・繰出し手段５５の繰込み動作により一括収納カセット５１  一時保留空間へ収納される。
【０２８８】
一方、各収納カセット５１  〜５３  の挿入される機体１側には図１５において一時保留空間形成時における押圧部材８３の左方向極限位置を検知することにより各収納部４３内の紙幣の満杯を検知する満杯検知センサＳ１  ，Ｓ２  ，Ｓ３  が設けられている。それ故満杯検知センサＳ２  ，Ｓ３  が満杯を検知していない状態においては識別部１２による識別の結果万円紙幣および千円紙幣の正券紙幣はすべて出金に使用される紙幣として扱われ、またいずれかの満杯検知センサＳ２  ，Ｓ３  が満杯を検知している場合はその満杯金種紙幣については例え紙幣が万円または千円の正券紙幣であっても入金オーバーフロー紙幣として扱われる。そしてこの入金オーバーフロー紙幣は切換レバー２１，２２３  により入金オーバーフロー紙幣分岐通路９０１  ，９０２  へ送られ、繰込み・繰出し手段５５により一括収納カセット５１  の一時保留空間へ送り込まれる。
【０２８９】
入金オーバーフロー紙幣でない万円正券紙幣および千円正券紙幣は識別部１２を通過して後続搬送路１１Ａへ送られ、その末端から切換レバー２２２  により万円紙幣用の分岐通路２３２  または千円紙幣用の分岐通路２３３  へ送り込まれて各繰込み・繰出し手段５５，５５により各収納カセット５２  ，５３  の一時保留空間へ収納される。
【０２９０】
また収納カセット５２  ，５３  の両方の満杯検知センサＳ２  ，Ｓ３  が満杯を検知しているときは、万円正券紙幣、千円正券紙幣はすべて入金オーバーフロー紙幣として一括収納カセット５１  の一時保留部へ送り込まれる。一方、この一括収納カセット５１  の満杯検知センサＳ１  が満杯を検知しているときは、満杯検知センサＳ２  ，Ｓ３  の満杯検知有無に関係なく動作途中の入金処理は済ませたのち機械ダウンさせる。また収納カセット５１  〜５３  の一時保留空間へ送り込まれる繰込み紙幣によって紙幣繰込み間隙が小となるとカセット別一時保留枚数記憶部Ｃ３  の記憶データに基づき対応するモータＭ７−１  〜Ｍ７−３  を駆動してカム６５、レバー６６、ローラ５２により規制部材５１，５１およびスペーサ７６，７６を図１５の左方へ移動せしめて一時保留空間が拡げられ、常に数枚の紙幣の受け入れが可能な一時保留空間が形成保持される。
【０２９１】
このとき押板２ｂは入金紙幣上面に位置しており、入金リジェクト紙幣は開放状態の出金口３を通じ放出紙幣収納部１５から自由に取り出すことができる。
【０２９２】
このようにして入金口１に装填されたすべての入金紙幣が繰込まれて収納カセット５１  〜５３  の一時保留空間または放出紙幣収納部１５へ送り込まれる。入金口１には紙幣の有無を検知する投受光センサー（図示せず）が設けられ、この投受光センサーが入金紙幣繰込中に紙幣無を検知してから所定時間経過後（繰込まれた最後の紙幣が一時保留空間または放出紙幣収納部１５へ到達するに十分な所定時間後）にモータＭ１  ，Ｍ２−１  ，Ｍ２−２  ，Ｍ３−１  ，Ｍ３−２  ，Ｍ４  が停止され、クラッチＣＬ１  〜ＣＬ３  も断となる。
【０２９３】
この状態で入金承認、入金非承認の操作が可能となる。
【０２９４】
このときモータＭ６  は停止状態（入金紙幣繰込み開始時にモータＭ６  が回転されて押板２ｂが紙幣を押圧し水平姿勢になったのちはモータＭ６  は停止し、この押板２ｂはバネ力で紙幣を押圧し、紙幣がなくなるまでそのバネ力で水平姿勢を保ちながら下降する。）のままであり、押板２ｂも水平姿勢のまま入金口２の底板２ａ上部に位置されて放出紙幣収納部１５は開放状態にある。
【０２９５】
機械操作者は放出紙幣収納部１５へ放出された入金リジェクト紙幣がある場合はその紙幣をとり出し、機体１の前面１ａ上部に設けられる表示部の入金金額を見て操作部４により入金承認又は入金非承認の釦操作を行なう。
【０２９６】
〔ａ入金承認釦操作〕がなされると、ソレノイドＳＤ６−１  〜ＳＤ６−３  が励磁され、図６および図８に示すカム６０，６０が立位姿勢から傾斜姿勢に回動して垂直面部４９，４９を押動し、規制部材５１，５１およびスペーサー７６，７６は内枠３６の両側壁５４，５４より両側外方へ移動される。そのとき収納済紙幣が押圧部材８３で機体１の背部方向（図８の右方）へ押動移動され、一時保留紙幣も一緒に端壁５３の内面へ押しつけられる。規制部材５１，５１およびスペーサー７６，７６は、各モータＭ７−１  〜Ｍ７−３  の逆転によりカム６５が逆転し、カム６５の最径小カム面がレバー６６に接触するまで回転、すなわちカム６５が定位置まで回転して停止する。内枠３６および中間枠３５は、ローラ５２がレバー６６に当接しているので一体的に移動するが、その移動途中で内枠３６の端壁５３が作動アーム７５に当って停止し、中間枠３５もストッパ５３ｂを通じて内枠３６と一体的にその位置で停止される。この時点までソレノイドＳＤ６−１  〜ＳＤ６−３  は励磁状態が保たれ、規制部材５１，５１およびスペーサー７６，７６は両側壁５４，５４の両側外方に位置し、その前後方向位置は規制部材５１，５１の面５１ａ，５１ａが図８において端壁５３の内面より右方に位置しかつ押え板８２，８２の紙幣押圧面（図８の左面）よりスペーサー７６，７６の紙幣押圧面（図８の右面）がやや左方に位置する。その状態でソレノイドＳＤ６−１  〜ＳＤ６−３  が非励磁となり、カム６０，６０は立位姿勢となって垂直面部４９，４９の押圧を解除する。その結果、規制部材５１，５１およびスペーサー７６，７６は面５１ｂ，５１ｂが接近する幅方向に移動し、ピン５０，５０が長孔４７，４７の外端で係止された位置で止まり、図５に示す位置、すなわち図８の鎖線図示位置に位置される。このときの規制部材５１，５１の面５１ａ，５１ａの機体１に対する前後方向位置は端壁５３の内面より後方（図８右方）に位置し、また押え板８２，８２の紙幣押圧面（図８の左面）とスペーサー７６，７６の紙幣押圧面（図８の右面）との間に僅かの間隙がある。また規制部材５１，５１の面５１ｂ，５１ｂは側壁５４，５４の内面と同一面の位置におかれる。以上で規制部材５１，５１、スペーサー７６，７６は初期位置に戻されたことになり、一時保留紙幣の収納動作がなされたことになる（一時保留紙幣自身の収納動作は収納紙幣と合体された時点で終っているが、機構自身の収納動作は規制部材５１，５１、スペーサー７６，７６が初期位置へ復帰して収納動作の終了となる）。その直後にモータＭ６  が逆転し、押板２ｂが上昇した後垂直姿勢になり、出金口３を閉塞する位置に復帰する。つぎに〔ｂ入金非承認の釦操作〕をした場合について説明する。
【０２９７】
入金非承認釦操作によりまず押え板８２，８２が図示せぬ移動機構により図１０において左方へ移動し、押え板８２，８２の紙幣押圧面（図１０における左面）が端壁５３の内面と同一面に位置される。その直後にモータＭ７−１  〜Ｍ７−３  が逆転し、カム６５も逆転されて定位置（カム６５の最径小カム面がレバー６６に接触する位置）まで回転したときモータＭ７−１  〜Ｍ７−３  は停止する。規制部材５１，５１、スペーサー７６，７６はそのとき図１０の右方へ動かされ、一時保留紙幣がスペーサー７６，７６で押え板８２，８２に押しつけられて締めつけられた時スペーサー７６，７６、規制部材５１，５１は停止する。このとき一時保留紙幣は押え板８２，８２およびスペーサー７６，７６の各紙幣押圧面間に挟着保持され、また収納紙幣は規制部材５１，５１の面５１ａ，５１ａと押圧部材８３との間に押圧保持される。つぎにソレノイドＳＤ２  が励磁し、切換レバー１９は斜め下方に位置されて紙幣送込み搬送通路１１と出金紙幣送出路１６とを接続し、ソレノイドＳＤ８  は非励磁で切換レバー９２はバイパス通路９１閉塞姿勢、切換レバー２０，２１は水平姿勢のままであり、ソレノイドＳＤ５−１  も非励磁で切換レバー２２は上昇姿勢のままである。またソレノイドＳＤ１０は励磁されて切換レバー９４を右側へ移動させ、出金紙幣送出路１６を収納部１５と接続する。この状態でモータＭ２−１  ，Ｍ３−１  ，Ｍ３−２  を逆転駆動させ、モータＭ４  を正転駆動せしめる。次にクラッチＣＬ１  が入り、一括収納カセット５１  の繰込み・繰出し手段５５が逆方向に駆動され、一時保留された一括紙幣が１枚ずつ繰出され、入金オーバーフロー紙幣分岐通路９０２  ，９０１  、紙幣送込み搬送通路１１、出金紙幣送出路１６を通じて放出紙幣収納部１５へ収納される。このようにして、一時保留された一括紙幣がなくなるとスペーサー７６，７６の紙幣押圧面は端壁５３の内面と同一面の位置にある押え板８２，２８に当って停止する。識別部１２では一括紙幣が所定時間到来しないことにより一時保留された一括紙幣がすべて繰出されたと判断し、クラッチＣＬ１  を断とし、一括紙幣の繰込み・繰出し手段５５は停止する。
【０２９８】
次に一万円紙幣に対応するクラッチＣＬ２  が入り、収納カセット５２  に対応する繰込み・繰出し手段５５が逆方向駆動され、同様にして、一時保留された万円紙幣が１枚ずつ繰出され、分岐通路２３２  、切換レバー２２２  、および２２、後続搬送路１１Ａ、切換レバー９７，９２、紙幣送込み搬送通路１１の識別部１２設置域、切換レバー１９、出金紙幣送出路１６を通り放出紙幣収納部１５へ送出される。このようにして、一時保留された万円紙幣がなくなるとスペーサー７６，７６の紙幣押圧面は端壁５３の内面と同一面の位置にある押え板８２，８２に当って停止する。識別部１２では万円紙幣が所定時間到来しないことにより一時保留された万円紙幣がすべて繰出されたと判断してクラッチＣＬ２  を断とし、万円紙幣の繰込み・繰出し手段５５は停止される。
【０２９９】
その直後にソレノイドＳＤ５−２  が励磁され、切換レバー２２２  は垂直姿勢（分岐通路２３２  を塞ぐ位置）となる。
【０３００】
次に、千円紙片に対応するクラッチＣＬ３  が入り、収納カセット５３  に対応する繰込み・繰出し手段５５が逆方向駆動され、同様にして一時保留された千円紙幣が１枚ずつ繰出され、分岐通路２３３  、後続紙幣搬送路１１Ａ、紙幣送込み搬送通路１１の識別部１２設置域、切換レバー１９、出金紙幣送出路１６を通り放出紙幣収納部１５へ送出される。このようにして、一時保留された千円紙幣がなくなるとスペーサー７６，７６の紙幣押圧面は端壁５３の内面と同一面の位置にある押え板８２，８２に当って停止する。識別部１２では千円紙幣が所定時間到来しないことにより一時保留された千円紙幣がすべて繰出されたと判断してクラッチＣＬ３  を断とし、千円紙幣の繰込み・繰出し手段５５は停止される。その後搬送系にあるすべての紙幣が放出紙幣収納部１５へ収納される所定時間経過後にモータＭ２−１  ，Ｍ３−１  ，Ｍ３−２  ，Ｍ４  が停止され、また切換レバー１９，２２２  ，１９，９４は図１５の位置となる。
【０３０１】
また最後に繰出し動作される繰込み・繰出し手段５５に対応するクラッチＣＬ３  が断となった時点ですべての収納カセット５１  〜５３  の各押え板８２，８２が図１０の右方へ移動し、実線図示の位置で停止する。その結果各収納カセット５１  〜５３  の規制部材５１，５１およびスペーサー７６，７６も図１０の右方へ移動するが、その移動途中で中間枠３５の端部が内枠３６のストッパ５３ａで係止されて停止される。その位置が元の位置で、その時規制部材５１，５１の面５１ａ，５１ａは端壁５３の内面より図１０におけるやや右方に位置し、押え板８２，８２の紙幣押圧面に対しスペーサー７６，７６の紙幣押圧面はやや間隔をおいた位置に位置される。また中間枠３５のローラ５２はカム６５に当接するレバー６６にわずかの間隙をおいて位置される。
【０３０２】
なお一時保留紙幣がすべてのカセット５１  〜５３  に存在する場合であろうと、二個以下のカセットに存在する場合であろうと、すべての収納カセット５１  ，５２  ，５３  には一時保留空間が形成されているので必ず上記説明の順に作動する。なお例えば一括紙幣の一時保留紙幣がない場合は、クラッチＣＬ１  が入り、一括紙幣用の繰込み・繰出し手段５５が駆動されても識別部１２が所定時間の間紙幣の到来を検知しないので、一時保留の一括紙幣が存在しないと判断（一時保留の一括紙幣が繰出されてしまったときと同じ状態）して次の動作に進むのである。一時保留の万円紙幣とか千円紙幣がないときも同じである。
【０３０３】
こうして一時保留された入金紙幣が放出紙幣収納部１５へ収納され終ったとき、押板２ｂは入金紙幣繰込終了時と同じ底板２ａ上で水平姿勢のままの位置にあり、機械操作者は入金返却紙幣を出金口３から自由に取り出せる。この入金返却紙幣が出金口３から取り出されると放出紙幣収納部１５内の図示しない投受光センサにより放出紙幣の抜取りが検知され、モータＭ６  が逆転され、その結果押板２ｂが上昇して垂直姿勢になり、出金口３を塞ぎ、機械全体が待機状態に復帰する。
次に「（Ｃ４−１  ）出金モード（表裏反転合流通路機構２５無）」について説明する。
【０３０４】
操作部４により出金金額もしくは出金すべき金種と金額（または枚数）を入力し、出金スタート釦を操作する。このとき押板２ｂは出金口３を閉じた図１５一点鎖線図示状態にある。
【０３０５】
出金釦操作によりモータＭ２−１  ，Ｍ２−２  ，Ｍ３−１  が逆転回転し、モータＭ４  は正転回転する。その結果、紙幣送込み搬送通路１１全域（後続搬送路１１Ａを含む）、入金リジェクト紙幣搬送路１４、出金紙幣送出路１６、分岐通路２３２  ，２３３  、バイパス通路９１が逆方向駆動され、搬送路１７および放出紙幣収納部１５のローラ（搬送ローラ１５ａ，１５ａを含む）が正方向駆動される。なおクラッチＣＬ２  ，ＣＬ３  はまだ入っていないのでカセット５２  ，５３  の繰込み・繰出し手段５５，５５は停止状態にある。
【０３０６】
この状態で収納カセット５２  ，５３  のモータＭ７−１  ，Ｍ７−２  が正転駆動され、規制部材５１，５１の面５１ａ，５１ａが端壁５３の内面と同一面になった位置で停止される。これにより収納カセット５２  ，５３  の収納紙幣は端壁５３の内面および面５１ａ，５１ａと押圧部材８３との間に挟持保持される。
【０３０７】
また切換レバー９２はソレノイドＳＤ８  が非励磁のままゆえバイパス通路９１遮閉姿勢にあり、また切換レバー２０および２１は水平姿勢（識別部１２通路域と後続搬送路１１の接続姿勢）、切換レバー９４は右方へ水平移動されて出金紙幣送出路１６と放出紙幣収納部１５との接続姿勢をとる。またソレノイドＳＤ５−１  は非励磁のままゆえ切換レバー２２１  は上昇位置にあり、後続搬送路１１Ａと分岐通路２３２  ，２３３  との接続姿勢にある。またソレノイドＳＤ１  は励磁され、切換レバー１８は上昇姿勢にあって紙幣送込み搬送通路１１と搬送路１７の接続姿勢にある。ソレノイドＳＤ２  は出金待機時は励磁され、切換レバー１９は図１５の左斜め下方へ移動され、出金紙幣送出路１６と識別部１２設置側の紙幣送込み搬送通路１１域との接続姿勢にあるが、識別部１２で出金リジェクト紙幣と判断された紙幣のときにはソレノイドＳＤ２  を非励磁にし、出金リジェクト紙幣を紙幣送込み搬送通路１１を図１５の左方へ直進させ、搬送路１７へ送る。ソレノイドＳＤ５−２  は出金待機時は非励磁のままで切換レバー２２２  は分岐通路２３２  と後続搬送路１１Ａとの接続状態にある（出金は万円紙幣の投出から開始されるためである）。
【０３０８】
次に万円紙幣の出金が有るか無かを全体制御部Ｃ１  で判断し、無の場合は、ソレノイドＳＤ５−２  を励磁させて切換レバー２２２  を起立姿勢にして分岐通路２３３  から上昇してくる紙幣を後続搬送路１１Ａ側への通過を許容する。そして千円紙幣の出金に移るが、この移行動作は万円紙幣の出金の終了時から千円紙幣出金開始までの移行動作（後述）と同じであるのでここでの説明は省略する。
【０３０９】
万円紙幣の出金が有る場合は、ソレノイドＳＤ５−１  は非励磁のままでクラッチＣＬ２  を入れ、希望枚数の紙幣を繰り出した後、クラッチＣＬ２  を切る。つまりキッカローラ７、フィードローラ９が同期して一回転（キッカローラ７の１回転でフィードローラ９が１回転）することにより紙幣の１枚繰り出しがされるので、キッカローラ７の回転数を図示しない検知センサで検知し、繰出すべき紙幣枚数分の回転がなされると一旦停止させる。繰出された万円紙幣は、分岐通路２３２  、切換レバー２２２  、後続搬送路１１Ａ、紙幣送込み搬送通路１１の識別部１２域へと送られ、識別部１２で出金適正紙幣（一万円紙幣）が出金不適正紙幣（一万円紙幣以外の金種紙幣、二枚重なり、連鎖、斜行紙幣等）かの識別がなされ、出金適正紙幣のときはソレノイドＳＤ２  の励磁状態維持により切換レバー１９は図１５の左斜め下方位置に維持され、その出金適正紙幣は出金紙幣送出路１６を通って放出紙幣収納部１５へ送り込まれる。また出金不適正紙幣のときは、ソレノイドＳＤ２  が非励磁となって切換レバー１９は右斜め上方へ移動して図１５図示の位置となり、出金不適正紙幣は出金リジェクト紙幣として図１５の紙幣送込み搬送通路１１を左方へ直進移動し、搬送路１７から収納カセット５１  に形成される出金リジェクト紙幣収納部５′へ送り込まれる。
【０３１０】
識別部１２の識別結果により図１４の全体制御部Ｃ１  では一万円紙幣について指定された枚数値（機械操作者が金額指定する場合は金額から換算された枚数値をこう呼ぶ）と識別部１２を通過した出金適正紙幣の枚数を比較し、不足する枚数分について一万円紙幣用のキッカローラ７およびフィードローラ９をその枚数分追加回転させたのちクラッチＣＬ２  を切る。繰出された紙幣は識別部１２で出金適正紙幣か出金不適正紙幣かが判断され、その識別結果により放出紙幣収納部１５または出金リジェクト紙幣収納部５′へ収納され、全体制御部Ｃ１  で一万円紙幣について指定された枚数値と識別部１２を通過した出金適正紙幣の枚数値が一致するまで不足枚数分キッカローラ７、フィードローラ９を追加回転させたのちクラッチＣＬ２  を切り、前記両値が一致したとき次位の金種紙幣の繰出しに移る。
【０３１１】
すなわちまずソレノイドＳＤ５−２  が励磁されて切換レバー２２２  は起立姿勢となる。この状態で、千円紙幣の出金が有るか無かを全体制御部Ｃ１  で判断する。千円紙幣の出金なしの場合の動作は、千円紙幣の出金終了後の動作（後述）と同じであるのでここでは省略する。
【０３１２】
千円紙幣出金有りと判断した場合、クラッチＣＬ３  を作動させ、希望枚数の紙幣を繰出した後クラッチＣＬ３  を切る。つまりキッカローラ７、フィードローラ９が同期して一回転（キッカローラ７の１回転でフィードローラ９が１回転）することにより紙幣の１枚繰出しがなされるので、キッカローラ７の回転数を図示しない検知センサで検知し、繰出すべき紙幣枚数分の回転がなされると一旦停止させる。繰出された千円紙幣は分岐通路２３３  、後続搬送路１１Ａ、紙幣送込み搬送通路１１の識別部１２設置域へと送られ、識別部１２で出金適正紙幣（千円紙幣）が出金不適正紙幣（千円紙幣以外の金種紙幣、二枚重なり、連鎖、斜行紙幣等）かの識別がなされ、出金適正紙幣のときはソレノイドＳＤ２  の励磁により切換レバー１９を下方へ揺動させてその紙幣を出金紙幣送出路１６を通じて放出紙幣収納部１５へ送り込む。また出金不適正紙幣のときはソレノイドＳＤ２  は非励磁となって切換レバー１９は上昇し、またソレノイドＳＤ１  は励磁状態で切換レバー１８は上昇位置にあり、その出金不適正紙幣は出金リジェクト紙幣として図１５において紙幣送込み搬送通路１１を左方へ直進移動して搬送路１７から収納カセット５１  に形成される出金リジェクト紙幣収納部５′へ送り込まれる。識別部１２の識別結果により図１４の全体制御部Ｃ１  では、千円紙幣について、指定された枚数値（金額指定の場合は換算された枚数値をこう呼ぶ）と識別部１２を通過した出金適正紙幣の枚数値とを比較し、不足する枚数分について千円紙幣用のキッカローラ７およびフィードローラ９をその枚数分追加回転させたのちクラッＣＬ３  を切る。追加繰出された紙幣は識別部１２で出金適正紙幣か出金不適正紙幣か判断され、その識別結果により放出紙幣収納部１５または出金リジェクト紙幣収納部５′へ収納され、全体制御部Ｃ１  で千円紙幣について指定された枚数値と識別部１２を通過した出金適正紙幣の枚数値とが一致するまで不足枚数分キッカローラ７、フィードローラ９を追加回転させたのちクラッチＣＬ３  を切り、前記各値が一致したとき全金種の紙幣の出金繰出しは終了する。そして励磁されていたソレノイド群は非励磁となり、切換レバー群は初期位置に復帰する。
【０３１３】
また操作者の希望する金額の出金紙幣が放出紙幣収納部１５へすべて収納されるに十分な所定時間経過後（希望金額となる最後の出金適正紙幣が識別部１２で出金適正紙幣と判定されてから所定時間後）に全体制御部Ｃ１  および駆動制御部Ｃ２  を通じてモータＭ２−１  ，Ｍ２−２  ，Ｍ３−１  ，Ｍ４  が停止されるとともにモータＭ６  が正転され、図１５において押板２ｂが底板２ａ上で水平姿勢となる。その結果出金口３を通じ放出紙幣収納部１５へ放出された出金紙幣の取り出しができる。そしてこの放出紙幣収納部１５内の出金紙幣が取り出されたことが投受光センサー（図示せず）により検知されると、全体制御部Ｃ１  および駆動制御部Ｃ２  でモータＭ６  が逆転され、押板２ｂは図１３の一点鎖線図示位置に位置されて出金口３を閉じる。一方、モータＭ７−１  ，Ｍ７−２  が逆転し、カム６５，６５が定位置へ復帰したとき停止し、規制部材５１，５１も定位置へ復帰する。これによって機械は待機状態となる。
【０３１４】
次に「（Ｄ４−１  ）一括収納カセット５１  による紙幣回収動作（表裏反転合流通路機構２５無）」について説明する。
【０３１５】
まず操作部４の紙幣回収釦操作を行なうと、モータＭ７−１  が正転してレバー６６でローラ５２を押動し、収納カセット５１  の規制部材５１，５１およびスペーサー７６，７６が機体１の前方（図８の左側）へ移動され、内枠３６の端壁５３内面とスペーサー７６，７６の紙幣押圧面（端壁５３の内面の対向面）との間に数枚の紙幣を繰込める一時保留空間が形成され、モータＭ７−１  はその位置で停止してブレーキ保持される。つぎにモータＭ２−１  ，Ｍ３−２  ，Ｍ４  が正転回転され、モータＭ２−２  およびＭ３−１  は逆転回転される。その結果、紙幣送込み搬送通路１１の識別部１２設置域、入金リジェクト紙幣搬送路１４、出金紙幣送出路１６、入金オーバーフロー紙幣分岐通路９０１  ，９０２  、放出紙幣収納部１５のローラ群および搬出路１７は正転駆動、すなわち正方向駆動され、紙幣送込み搬送通路１１の切換レバー１８，１９間の搬送域および後続搬送路１１Ａ、分岐通路２３２  ，２３３  、バイパス通路９１は逆方向駆動される。
【０３１６】
一方、ソレノイドＳＤ５−２  は非励磁ゆえ切換レバー２２２  は分岐通路２３２  と後続搬送路１１Ａの接続姿勢、ソレノイドＳＤ８  は励磁されて切換レバー９２は後続搬送路１１Ａとバイパス通路９１の接続姿勢、ソレノイドＳＤ９  は励磁されて切換レバー９３がバイパス通路９１と入金リジェクト紙幣搬送路１４の接続姿勢、ソレノイドＳＤ１１は励磁されて切換レバー９５は入金リジェクト紙幣搬送路１４と出金紙幣送出路１６の接続姿勢、ソレノイドＳＤ２  は励磁されて切換レバー１９は出金紙幣送出路１６と紙幣送込み搬送通路１１の識別部１２設置域との接続姿勢（識別部１２および搬送異常検知センサ９６の検知状況によりソレノイドＳＤ２  の励磁、非励磁のきりかえが行なわれる）、ソレノイドＳＤ５−１  は非励磁状態のままで切換レバー２２１  は後続搬送路１１Ａと分岐通路２３２  ，２３３  との接続姿勢、またソレノイドＳＤ１  は励磁され切換レバー１８は上昇位置にあって紙幣送込み搬送路１１と搬送路１７の接続姿勢、またソレノイドＳＤ３  は励磁され切換レバー２０は紙幣送込み搬送通路１１と入金リジェクト紙幣搬送路１４の接続姿勢にそれぞれおかれる。
【０３１７】
この状態でクラッチＣＬ１  およびＣＬ２  が入る。収納カセット５２  の繰込み・繰出し手段５５は、モータＭ３−１  およびクラッチＣＬ２  を介して逆転駆動され、万円紙幣の繰出しを行なう。また一括収納カセット５１  の繰込み・繰出し手段５５はモータＭ３−２  、クラッチＣＬ１  を介して正転され紙幣の繰込みに備える。
【０３１８】
まず収納カセット５２  の繰込み・繰出し手段５５で繰出された紙幣は、分岐通路２３２  、切換レバー２２２  ，２２１  、後続搬送路１１Ａ、バイパス通路９１、入金リジェクト紙幣搬送路１４、出金紙幣送出路１６、紙幣送込み搬送通路１１の識別部１２設置域へと搬送され、この識別部１２で金種判別され、この識別部１２で金種判別された紙幣データは、全体制御部Ｃ１  内に記憶されている一括収納カセット５１  の収納部４３に収納済の紙幣の紙幣データ（金種別枚数データ）に加えられる。また金種確認された紙幣は切換レバー２１により入金オーバーフロー紙幣分岐通路９０１  ，９０２  から一括収納カセット５１  の一時保留空間へ搬送される。
【０３１９】
もし識別部１２で金種判別ができない紙幣、すなわち識別不能紙幣（偽紙幣、二枚重なり紙幣、連鎖紙幣、斜行紙幣等）が判別されると、その識別不能紙幣が切換レバー２１に接近したとき、ソレノイドＳＤ３  が励磁となって切換レバー２０は下降し、識別不能紙幣は入金リジェクト紙幣搬送路１４へ送り込まれる。そのとき、切換レバー９３は入金リジェクト紙幣搬送路１４を塞ぐ位置に位置されるが、上昇搬送されてくる識別不能紙幣の入金リジェクト紙幣搬送路１４内の搬送を妨げないようになっており、識別不能紙幣は切換レバー９３の位置を通過し、入金リジェクト紙幣搬送路１４から出金紙幣送出路１６へ入り、搬送異常検知センサ９６へ至ると、識別不能紙幣が検知され、ソレノイドＳＤ２  の非励磁により切換レバー１９を上昇させ、その識別不能紙幣を搬送路１７から出金リジェクト紙幣収納部５′へ収納せしめる。この識別不能紙幣が入金リジェクト紙幣搬送路１４の切換レバー９３を通過するとき、バイパス通路９１から他の出金紙幣が入金リジェクト紙幣搬送路１４へ送り込まれており、その出金紙幣が識別不能紙幣と二枚重ねになったり連鎖状態になることもあり、この場合は識別不能紙幣と二枚重ねとが連鎖状態の紙幣も搬送異常検知センサ９６による検知で識別不能紙幣と一緒に搬送路１７を通じて出金リジェクト紙幣収納部５′へ収納される。
【０３２０】
こうして、一括収納カセット５１  の一時保留空間へ紙幣が繰込まれ、その送り込み量が増加すると、図１４のカセット別一時保留枚数記憶部Ｃ３  の記憶内容に基づきモータＭ７−１  が正転されて数枚の紙幣が繰込める一時保留空間に修正され、繰込み動作が続けられる。こうして一括収納カセット５１  の規制部材５１，５１が図８の二点鎖線図示位置（図７図示位置）に位置され、一括収納カセット５１  の一時保留空間が最大一時保留空間となったとき、カセット別一時保留枚数記憶部Ｃ３  からの信号でクラッチＣＬ２  を断にして収納カセット５２  の繰込み・繰出し手段５５を一時停止させる。一方、識別部１２が紙幣を検知してから所定時間経過後（収納カセット５２  ，５３  から繰出される紙幣が識別部１２を通過した後、一括収納カセット５１  もしくは出金リジェクト紙幣収納部５′へ収納されるに十分な所定時間後）にクラッチＣＬ１  を切り、一括収納カセット５１  の繰込み・繰出し手段５５を一時停止させる。
【０３２１】
その状態で一括収納カセット５１  の規制部材５１，５１を側壁５４，５４より両側外方へ退避させ、その結果一時保留されていた回収紙幣は収納済紙幣（入金オーバーフロー紙幣、入金損券紙幣等）と合体されて一緒に端壁５３の内面と押圧部材８３との間に挟持される。
【０３２２】
規制部材５１，５１は側壁５４，５４の外方位置を端壁５３側へ移動し、端壁５３の内面より規制部材５１，５１の面５１ａ，５１ａが収納部外方に位置した段階でこの規制部材５１，５１が接近して停止する。次にこの規制部材５１，５１が押圧部材８３の方向へ移動し、端壁５３の内面と規制部材５１，５１に固定されるスペーサー７６，７６との間に新たな一時保留空間を形成する。これにより収納済紙幣とこれに合体された回収紙幣は規制部材５１，５１の面５１ａ，５１ａと押圧部材８３との間で挟持された状態となる。またカセット別一時保留枚数記憶部Ｃ３  の一括収納カセットについての枚数記憶値がリセットされ、クラッチＣＬ１  ，ＣＬ２  が再度入り、収納カセット５２  からの紙幣繰出しが再開され、再度一括収納カセット５１  の一時保留空間へ回収紙幣の繰込みが行なわれ、一時保留空間が最大一時保留空間になったとき前述と同様の動作が繰返されて収納カセット５２  内のすべての紙幣が繰出される。この収納カセット５２  内の最後の紙幣が識別部１２で識別されてから前述の所定時間後にクラッチＣＬ２  が断たれ、一方ソレノイドＳＤ５−２  の励磁により切換レバー２２２  が起立姿勢となって分岐通路２３３  と後続搬送路１１Ａを接続し、次にクラッチＣＬ３  を入れる。その結果、収納カセット５３  から紙幣が繰出されて分岐通路２３３  から後続搬送路１１Ａへ送られ、バイパス通路９１を通じて万円紙幣の回収と同じ搬送経路を通って一括収納カセット５１  の一時保留空間または出金リジェクト紙幣収納部５′へ収納される。千円紙幣が一括収納カセット５１  の一時保留空間へ順次繰込まれて最大一時保留空間となったときの新たな一時保留空間の形成は前述した動作と同じである。こうして収納カセット５２  のすべての紙幣が一括収納カセット５１  の一時保留空間または出金リジェクト紙幣収納部５′へ収納され、識別部１２が最後の紙幣の識別から前述の所定時間紙幣を検知しないときは、クラッチＣＬ１  およびＣＬ３  を切り、またモータＭ２−１  ，Ｍ２−２  ，Ｍ３−１  ，Ｍ３−２  ，Ｍ４  を停止させ、切換レバー群を定位置に戻すべくソレノイド群を非励磁にする。
【０３２３】
このとき収納カセット５２  ，５３  の各押圧部材８３，８３は各端壁５３，５３の内面に押圧状態にある。一方、一括収納カセット５１  については、ソレノイドＳＤ６−１  が励磁されて規制部材５１，５１が側壁５４，５４の両側外方へ移動され、その状態を保ちながらモータＭ７−１  の逆転により規制部材５１，５１は面５１ａ，５１ａが端壁５３の内面より収納部４３の外方に位置した位置で停止し、次にソレノイドＳＤ６−１  の非励磁により規制部材５１，５１、スペーサー７６，７６は互いに接近移動して定位置に復帰する。
【０３２４】
次に操作部４において、収納カセット５１  引抜き釦（図示せず）を操作する。
【０３２５】
このカセット引抜き釦が押されると、図１６の全体制御部Ｃ１  、駆動制御部Ｃ２  により収納カセット５１  引抜き釦に対応する収納カセット５１  のモータＭ８−１  が正転し、図５におけるベルト７４が回動し、作動アーム７５が内枠３６の端壁５３を押動して図５の左方へ移動させる。このとき中間枠３５はバネ４２で内枠３６のストッパ５３ｂに当接しているのでこの中間枠３５も内枠３６と一体的に図５左方へ移動される。図８においては一点鎖線図示位置の内枠３６、中間枠３５が実線図示位置の作動アーム７５で左方へ移動されて実線図示位置へ移動され、収納カセット５１  内へ格納される。すると中間枠３５の底部下面に接触状態のロック部材６８のロック部６８ａが中間枠３５および内枠３６の底面の穴７０，７１に入り込み、中間枠３５、内枠３６を図８の実線位置で係止する。その状態が図４図示の状態である。この図４図示の状態で収納カセット５１  を引き抜いていくと、係合部３３に対し収納カセット５１  は機体１の前面側（図４の左方向）へ相対移動し、そのためこの係合部３３にバネ付勢される収納カセット５１  のシャッタ３０は閉じられていき、シャッタ３０が係合部３３から外れたとき収納カセット５１  の内端面５ａがシャッタ３０で閉鎖される。
【０３２６】
そしてこの収納カセット５１  が機体１から引き抜き終了時点で収納カセット５１  のシャッタ３０にロックがかけられ、鍵によらなければ開放出きないようになる。その直後にこの一括収納カセット５１  は機体１から完全に引き抜かれ、精算所等へ持ち運ばれる。
【０３２７】
なおこの「（Ｄ４−１  ）一括収納カセット５１  による紙幣回収動作（表裏反転合流通路機構２５無）」においては、回収紙幣を識別部１２で識別し、識別不能紙幣は出金リジェクト紙幣収納部５′へ収納するようにした例について説明したが、識別不能紙幣も一括収納カセット５１  の一時保留空間へ回収正規紙幣と同様に一緒に回収するようにしてもよく、その場合はモータＭ２−２  およびモータＭ４  は停止のままでよく、また識別不能紙幣は識別部１２の通過後回収正規紙幣と同様に入金オーバーフロー紙幣分岐通路９０１  ，９０２  へ送り込めばよい。
【０３２８】
第四実施例（１）において〈収納カセット５１  を五千円紙幣収納カセットとして使用の場合（センサＳ０１がカセット５１  を検知するとき）〉での各モードを説明をする。
【０３２９】
この場合は、第一実施例の作用と同じであり、「（Ａ０  ）収納カセット５１  〜５３  の機体１への装填動作」、「（Ｂ０  ）入金モード（表裏反転合流通路機構２５無）」、「（Ｃ０  ）出金モード（表裏反転合流通路機構２５無）」、「（Ｄ０  ）収納カセット５１  〜５３  の機体１からの回収動作」と同じ作用をなす。さらに補足すると、第一実施例では収納カセット５１  ，５２  ，５３  が万円、五千円、千円の各紙幣収納カセットであるのに対し、第四実施例（１）では収納カセット５１  ，５２  ，５３  が五千円、万円、千円の各紙幣収納カセットとなる。
【０３３０】
なお「（Ｂ′４−１  ）入金モード（表裏反転合流通路機構２５無、（Ｂ０  ）に対応させて（Ｂ′４−１  ）の符号を付した）」における「入金紙幣繰込時」には、モータＭ２−１  ，Ｍ２−２  ，Ｍ３−１  ，Ｍ３−２  ，Ｍ４  が正転し、紙幣送込み搬送通路１１全域（後続搬送路１１Ａを含む）、分岐搬送路２３２  ，２３３  、入金オーバーフロー紙幣分岐通路９０１  ，９０２  、バイパス通路９１、入金リジェクト紙幣搬送路１４、出金紙幣送出路１６等の全搬送域が正方向駆動される。
【０３３１】
また「入金返却時」には、モータＭ２−１  ，Ｍ３−１  ，Ｍ３−２  が逆転、モータＭ４  は正転、モータＭ２−２  は停止する。
【０３３２】
また「（Ｃ′４−１  ）出金モード（表裏反転合流通路機構２５無、（Ｃ０  ）に対応させて（Ｃ′４−１  ）の符号を付した）」においては、モータＭ２−１  ，Ｍ２−２  ，Ｍ３−１  ，Ｍ３−２  は逆転し、モータＭ４  は正転する。またこの場合、入金オーバーフロー紙幣分岐通路９０１  ，９０２  は本発明の紙幣区分通路の分岐通路として機能し、また収納カセット５１  に対応する繰込み・繰出し手段５５も五千円紙幣の繰込み・繰出しに使われる。
【０３３３】
またこの場合は、本発明にいう紙幣送込み搬送通路１１は切換レバー２１の位置より入金口２に対する前方域までであり、入金口２に対する切換レバー２２１  の位置より後方域は紙幣区分通路として機能する。それ故この例の場合は、入金リジェクト紙幣搬送路１４は紙幣区分通路から切換レバー２０により分岐されていることになる。また収納カセット５１  を五千円カセットとして使う場合は、バイパス通路９１は使用されない。また分岐通路２３１  もこの実施例では使われない。
【０３３４】
以上の動作説明は表裏反転合流通路機構２５が接続されない場合の説明であったが、表裏反転合流通路機構２５を接続した例を第四実施例（２）として以下に説明する。
【０３３５】
なお第四実施例（１）の動作と同じ動作の部分は省略し、異なる点のみ説明することにする。この表裏反転合流通路機構２５が接続される場合は、同機構２５の非反転通路２９ａ始端を後続搬送路１１Ａのローラ１１ａ，１１ａに接続し、切換レバー９７も後続搬送路１１Ａの上方と表裏反転合流通路機構２５の非反転通路２９ａを接続する位置（後続搬送路１１Ａのローラ１１ａ，１１ａより下方域を塞ぐ位置）に固定し、紙幣搬送ガイドとして機能する。表裏反転合流通路機構２５自身は第一実施例および第二実施例のものと同じであるのでその説明は省略する。
【０３３６】
また同機構２５の合流搬送路２９ｃは後続搬送路１１Ａのローラ１１ｂ，１１ｃ位置へ接続され、切換レバー９８は合流搬送路２９ｃと後続搬送路１１Ａを接続する姿勢位置（ローラ１１ｂ，１１ｃより上方の後続搬送路１１Ａを塞ぐ位置）に固定され、紙幣搬送ガイドとして機能する。それ故この実施例では後続搬送路１１Ａのローラ１１ａ，１１ａとローラ１１ｂ，１１ｃの間の通路域は使われない。
【０３３７】
そして第四実施例（２）において〈収納カセット５１  を一括収納カセットとして使用の場合（センサＳ０１がカセット５１  を検知するとき）〉での各モードを説明する。
【０３３８】
「（Ａ４−２  ）一括収納カセット５１  による補充動作（表裏反転合流通路機構２５有）」は「「Ａ４−１  ）の動作」と殆んど同じであるが、第四実施例（１）ではモータＭ２−１  ，Ｍ２−２  ，Ｍ３−２  が逆転され、モータＭ３−１  ，Ｍ４  が正転されるのに対し、第四実施例（２）ではそれに加えモータＭ５  （表裏反転合流通路機構２５駆動用）も正転される。
【０３３９】
その結果、紙幣は次のルートで搬送される。一括収納カセット５１  の繰込み・繰出し手段５５→入金オーバーフロー紙幣分岐通路９０２  ，９０１  →切換レバー２１→紙幣送込み搬送通路１１の識別部１２設置域に至る。補充紙幣のうち出金に使用できる出金適正紙幣（一万円紙幣および千円紙幣）は切換レバー１９（ソレノイドＳＤ２  の励磁により図１５の左斜め下方へ移動）により出金紙幣送出路１６→切換レバー９４（ソレノイドＳＤ１０の非励磁状態のまま）→接続路１６Ａ→切換レバー９５（ソレノイドＳＤ１１の励磁による上昇位置）→入金リジェクト紙幣搬送路１４→切換レバー９３（ソレノイドＳＤ９  による励磁で図１５の左方へ揺動した位置）→バイパス通路９１→切換レバー９２（ソレノイドＳＤ２  の励磁で図１５の左方へ揺動位置されている）→切換レバー９７→非反転通路２９ａ→羽根車２６およびベルト２７→非反転通路２９ａを進む。このとき反転する必要のない紙幣はさらに非反転通路２９ａを進み、合流通路２９ｃへ進行する。一方反転する必要のある紙幣のときは、識別部１２の識別信号にもとづきソレノイドＳＤ４−２  を励磁させ、レバー２８ａを非反転通路２９ａへ突出させてその紙幣先端を係止し、一方その紙幣後端は羽根車２６により反転通路２９ｂ側へ変位され、その結果その紙幣は反転通路２９ｂを進んで合流通路２９ｃへ送られる。こうしてすべて表向きにされた紙幣は後続搬送路１１Ａ→分岐通路２３２  →収納カセット５２  用繰込み・繰出し手段５５または分岐通路２３３  →収納カセット５３  用繰込み・繰出し手段５５の搬送ルートをとる。その結果収納カセット５２  ，５３  へは表向き紙幣の向きとなって収納（実際は一時保留）される。
【０３４０】
また補充紙幣のうち出金リジェクト紙幣は、識別部１２→切換レバー１９→切換レバー１８→搬送路１７→出金リジェクト紙幣収納部５′へ送られる。
【０３４１】
次に「（Ｂ４−２  ）入金モード（表裏反転合流通路機構２５有）」について説明する。このモードでの入金紙幣繰込時は（Ｂ４−１  ）の動作と殆んど同じであるが、第四実施例（１）ではモータＭ２−１  ，Ｍ２−２  ，Ｍ３−１  ，Ｍ３−２  ，Ｍ４  が正転されるのに対し、第四実施例（２）ではそれに加えモータＭ５  も正転される。
【０３４２】
入金紙幣は識別部１２で識別されるが、そのうち出金適正紙幣（万円および千円の正券紙幣であって入金オーバーフロー紙幣でない紙幣）の搬送経路が第四実施例（１）と異なるところで、紙幣送込み搬送通路１１の後続搬送路１１Ａ→非反転通路２９ａ→羽根車２６およびベルト２７→非反転通路２９ａを進む。このとき反転する必要のない紙幣はさらに非反転通路２９ａを進み、合流通路２９ｃへ進行する。一方反転する必要のある紙幣のときは、識別部１２の識別信号に基づきソレノイドＳＤ４−２  を励磁させ、レバー２８ａを非反転通路２９ａへ突出させてその紙幣先端を係止し、一方その紙幣後端は羽根車２６により反転通路２９ｂ側へ変位され、その結果その紙幣は反転通路２９ｂを進んで合流通路２９ｃへ送られる。こうしてすべて表向きにされた紙幣は後続搬送路１１Ａ→分岐通路２３２  →収納カセット５２  用繰込み・繰出し手段５５または後続搬送路１１Ａ→分岐通路２３３  →収納カセット５３  用繰込み・繰出し手段５５の搬送ルートをとる。その結果収納カセット５２  ，５３  へは表向き紙幣の向きに取り揃えられて一時保留される。
【０３４３】
また「入金承認時」は第四実施例（１）と同じであるが、「入金返却時」には収納カセット５２  ，５３  からの入金紙幣の返却経路が第四実施例（１）とやや異なる。すなわちこの実施例では、分岐通路２３２  または２３３  →後続搬送路１１Ａ→合流通路２９ｃ→ガイド部材２８ｂ（ソレノイドＳＤ４−３  の励磁で図１５の左方へ移動され、合流通路２９ｃから非反転通路２９ａへ進もうとする紙幣のガイドをするとともにその紙幣が反転通路２９ｂへ進入するのを防ぐ役目をする）→非反転通路２９ａ→羽根車２６およびベルト２７→非反転通路２９ａ→ローラ１１ａ，１１ａ→後続搬送路１１Ａ→識別部１２へと送られ、後は第四実施例（１）と同じ搬送経路を通って放出紙幣収納部１５へ送られる。
【０３４４】
「（Ｃ４−２  ）出金モード（表裏反転合流通路機構２５有）」についても、（Ｃ４−１  ）の動作と殆んど同じであるが、第四実施例（１）では出金釦操作でモータＭ２−１  ，Ｍ２−２  ，Ｍ３−１  が逆転回転し、モータＭ４  が正転回転するのに対し、第四実施例（２）ではそれに加えモータＭ５  も逆転回転する。
【０３４５】
収納カセット５２  ，５３  から繰出される万円紙幣および千円紙幣の識別部１２までの搬送経路は（Ｂ４−２  ）の入金紙幣返却時の搬送と同経路をとる。
【０３４６】
しかしこの識別部１２へ送り込まれた出金紙幣が識別部１２で識別され出金リジェクト紙幣と判断された紙幣は、搬送路１７から出金リジェクト紙幣収納部５′へ収納され、また出金適正紙幣と識別された紙幣は出金紙幣送出路１６から放出紙幣収納部１５へ送り込まれる。
【０３４７】
「（Ｄ４−２  ）一括収納カセット５１  による紙幣回収動作（表裏反転合流通路機構２５有）」についても、（Ｄ４−１  ）の動作と殆んど同じであるが、モータＭ５  も回転される点がさらに加わることになる。
【０３４８】
そして収納カセット５２  ，５３  の紙幣が「分岐通路２３２  または２３３  →後続搬送路１１Ａ→合流通路２９ｃ→ガイド部材２８ｂ（図１５の左方へ移動…ソレノイドＳＤ４−３  の励磁による）→非反転通路２９ａ→羽根車２６およびベルト２７→非反転通路２９ａ→バイパス通路９１」へ進み、他は第四実施例（１）と同じである。
【０３４９】
次に第四実施例（２）において〈収納カセット５１  を五千円紙幣収納カセットとして使用の場合（センサＳ０１がカセット５１  を検知するとき）〉での各モードを説明する。この場合は第四実施例（１）の作用と殆んど同じである。第四実施例（２）が第四実施例（１）と相違する点は、収納カセット５１  （五千円紙幣出金用に使用）へ入金紙幣中の出金適正な五千円紙幣の送り込み経路として、識別部１２→後続搬送路１１Ａ→表裏反転合流通路機構２５→後続搬送路１１Ａ→ローラ１１ｄ，１１ｄ→分岐通路２３１  →入金オーバーフロー分岐通路９０２  を経由させて収納カセット５１  へ一時保留させる点である。これによって入金紙幣については万円、千円だけでなく五千円紙幣も表裏取り揃えがなされるわけである。なおこの収納カセット５１  からの五千円紙幣の出金時には入金オーバーフロー紙幣分岐通路９０２  、分岐通路２３１  を通じて後続搬送路１１Ａへ送り込んでもよいし、あるいは入金オーバーフロー紙幣分岐通路９０２  ，９０１  および切換レバー２１を通じて直接識別部１２設置域の搬送部へ送り込んでもよい。
【０３５０】
次に本発明、特に請求項１および６と各実施例との対応関係について分りにくい部分を明記する。
【０３５１】
まず請求項１に記載の発明と各実施例とを対応させると、第一実施例において表裏反転合流通路機構２５無のときは「紙幣送込み搬送通路」はローラ８，９位置近傍通路域から切換レバー２０，２１までであり、「入金リジェクト紙幣搬送路」および「紙幣区分通路」は「紙幣送込み搬送通路」末端から分岐される。
【０３５２】
また第一実施例において、表裏反転合流通路機構２５有のときは「紙幣送込み搬送通路」はローラ８，９近傍通路域から表裏反転合流通路機構２５の通路を含む合流通路２９ｃ末端（切換レバー２２１  位置直前）までをいい、「入金リジェクト紙幣搬送路」は「紙幣送込み搬送通路」の途中（切換レバー２０位置）から分岐、また「紙幣区分通路」は「紙幣送込み搬送通路」末端に接続される。
【０３５３】
第二実施例において、表裏反転合流通路機構２５無で収納カセット５１  を五千円カセットとして使用する場合は、「紙幣送込み搬送通路」はローラ８，９近傍通路域から切換レバー２２１  までの通路域をいい、「入金リジェクト紙幣搬送路」は「紙幣区分通路」（９０１  ，９０２  および１１の２２１  より右方も含まれる（図１３参照））における切換レバー２０位置で分岐されていることになる。
【０３５４】
第二実施例において、表裏反転合流通路機構２５有で収納カセット５１  を五千円カセットとして使用する場合も、第二実施例において表裏反転合流通路機構２５無のときと同じであり、表裏反転合流通路機構２５の通路も「紙幣送込み搬送通路」の一部を構成する。
【０３５５】
第三実施例において、表裏反転合流通路機構２５無の場合、および有の場合共に収納カセット５３  を五千円カセットとして使用する場合は「紙幣送込み搬送通路」はローラ８，９近傍通路域から切換レバー２２１  位置までであり、「入金リジェクト紙幣搬送路」は「紙幣区分通路」（９０１  ，９０２  および１１の２２１  と２１間も含む）の切換レバー２０位置で分岐されていることになる。
【０３５６】
第四実施例において、表裏反転合流通路機構２５無でかつ収納カセット５１  を五千円カセットに使用の場合は、「紙幣送込み搬送通路」はローラ８，９近傍通路域から２０までであり、「入金リジェクト紙幣搬送路」および「紙幣区分通路」は「紙幣送込み搬送通路」末端（切換レバー２０，２１位置）から分岐されていることになる。
【０３５７】
第四実施例で、表裏反転合流通路機構２５有でかつ収納カセット５１  を五千円カセットに使用の場合は、「紙幣送込み搬送通路」はローラ８，９近傍通路域から表裏反転合流通路機構２５を経由して後続搬送路１１Ａ末端（ローラ１１ｄ，１１ｄ位置）までであり、分岐通路２３１  および入金オーバーフロー紙幣分岐通路９０２  も「紙幣区分通路」の一部となり、この「紙幣区分通路」は「紙幣送込み搬送通路」末端に接続される。また「入金リジェクト紙幣搬送路」はこの場合「紙幣送込み搬送通路」途中（切換レバー２０位置）から分岐されている。
【０３５８】
次に請求項６と各実施例を対応させる。第二実施例において、表裏反転合流通路機構２５無で収納カセット５１  を一括収納カセットに使用の場合は、「紙幣送込み搬送通路」はローラ８，９近傍通路域から切換レバー２２２  までの搬送域であり、「紙幣区分通路」は「紙幣送込み搬送通路」末端（切換レバー２２２  ）に接続されている。また「出金不使用紙幣分岐通路」は「紙幣送込み搬送通路」の途中位置（切換レバー２２１  位置）から分岐され、「入金リジェクト紙幣搬送路」は「紙幣送込み搬送通路」中途（切換レバー２０，２１位置）から分岐される。
【０３５９】
また「バイパス通路」は「紙幣送込み搬送通路」と「入金リジェクト紙幣搬送路」を接続している。
【０３６０】
なお第二実施例において、表裏反転合流通路機構２５有で収納カセット５１  を一括収納カセットに使用する場合も第二実施例の表裏反転合流通路機構２５無で述べた例と同じで、この場合は表裏反転合流通路機構２５も「紙幣送込み搬送通路」の一部となる。
【０３６１】
次に第三実施例において、表裏反転合流通路機構２５無の場合、および有の場合共に収納カセット５３  を一括収納カセットとして使用する場合は、「紙幣送込み搬送通路」はローラ８，９近傍通路域から切換レバー２０，２１までであり、「紙幣区分通路」は「紙幣送込み搬送通路」の途中（切換レバー２２１  位置）から分岐され、「出金不使用紙幣分岐通路」は「紙幣送込み搬送通路」末端（切換レバー２０，２１位置）に接続され、また「入金リジェクト紙幣搬送路」は「紙幣送込み搬送通路」末端（切換レバー２０，２１位置）から分岐され、「バイパス通路」は「出金不使用紙幣分岐通路」と「入金リジェクト紙幣搬送路」を接続している。また表裏反転合流通路機構２５についても「紙幣送込み搬送通路」の一部を構成する。
【０３６２】
次に第四実施例において、表裏反転合流通路機構２５無でかつ収納カセット５１  を一括収納カセットに使用の場合は、「紙幣送込み搬送通路」はローラ８，９近傍通路域から後続搬送路１１Ａ末端（ローラ１１ｄ，１１ｄ位置）までであり、「紙幣区分通路」は「紙幣送込み搬送通路」末端（ローラ１１ｄ，１１ｄ位置）に接続される。また「出金不使用紙幣分岐通路」は「紙幣送込み搬送通路」の途中（切換レバー２１位置）から分岐され、「入金リジェクト紙幣搬送路」は「紙幣送込み搬送通路」の途中（切換レバー２０位置）から分岐され、「バイパス通路」は「紙幣送込み搬送通路」と「入金リジェクト紙幣搬送路」を接続している。
【０３６３】
また第四実施例において、表裏反転合流通路機構２５有でかつ収納カセット５１  を一括カセットとして使用の場合も第四実施例の上述の例と同じである。なおこの場合、搬送路２３１  ，９０２  も「紙幣区分通路」として使われ、また表裏反転合流通路機構２５も「紙幣送込み搬送通路」の一部を構成する。
【０３６４】
なお、第四実施例についてあるいはすべての実施例についての共通事項の補足をすると、（１）  第四実施例の「紙幣送込み搬送通路」を構成する「後続搬送通路１１Ａ」および「バイパス通路９１」は分岐通路２３２  ，２３３  と同方向の回転をするので、モータＭ３−１  を共用したものであり、「後続搬送通路１１Ａ」および「バイパス通路９１」専用の各モータを設けてもよいことはいうまでもない。それ故本発明の紙幣送込み搬送通路、紙幣区分通路、出金不使用紙幣分岐通路の各搬送手段、繰込み・繰出し機構を各々独立した別個のモータで駆動させるものに限定されるものではなく、それらに共用されてもよいわけである。
（２）    紙幣送込み搬送通路については、必らず全域が順または逆方向へ駆動されるものに限定されず、第二〜第四実施例のようにその紙幣送込み搬送通路の一部は順方向、残りは逆方向駆動されるものも含まれるのはいうまでもない。なお、実施例においては、正方向駆動や正転の記載もあるが、いずれも順方向と同義であり、逆転についても同義である。
（３）    紙幣送込み搬送通路は、アライナー機構（紙幣の搬送幅方向の一方側縁を一定位置に揃える搬送機構をいう）とか、表裏反転合流通路機構を有するものであってもよいことはもちろんである。
（４）    紙幣送込み搬送通路に設けられる識別部は、入金、出金、補充、回収のすべてに共用される識別センサ群でもよいし、入金用と出金用に各々別の識別センサを設けるも、あるいは一部共用するものであってもよい。また補充用および回収用ついても同様である。
（５）    「出金不使用紙幣分岐通路」（本発明）は実施例では「入金オーバーフロー紙幣分岐通路」として示されている。
（６）    本発明の「上下に複数段に形成される装着口」とは、カセット毎に別個の開口が形成されている例に限らず、例えば机の引出しの例のように開口は一個でその一個の開口内が複数個のカセットが挿入できるよう上下に仕切が設けられているものであってもよい。
（７）    「紙幣送込み搬送通路」の搬送手段はベルト、ローラのいずれでもよく、またそれらの組合わせでもよい。
（８）    本発明の「繰込み・繰出し機構」、「一時保留空間形成機構」、「収納作動機構」はカセット側、本体側のいずれに設けてもよく、また両方に分割配置してもよい。なお「繰込み・繰出し機構」は本実施例では「繰込み・繰出し手段」として記載されている。
（９）    本発明の表裏反転合流通路機構２５は、表裏反転させる紙幣も反転させない紙幣も反転空間内を通すようにしたが、表紙幣・裏紙幣混在搬送されている紙幣のうち裏紙幣のみ分岐して反転空間へ送り込み、これを反転させて送り出し、表紙幣のみ送られる紙幣と合流させるものでもよい。
（１０）  第二〜第四実施例において、一括収納カセット・五千円紙幣収納カセット切換は収納カセット５１  の検出片Ｈ０１がセンサＳ０１に対応する位置にあると一括収納カセット、センサＳ０４の位置にあると五千円収納カセットと判断し、全体制御部Ｃ１  および駆動制御部Ｃ２  もそのモードにあった駆動制御をなす。
【０３６５】
なお一括収納カセット、五千円収納カセットとして各専用の収納カセットが用意される場合と、収納カセット５１  の検出片Ｈ０１の位置が変更され収納カセット５１  の検出片Ｈ０１の位置を変えることにより一括収納カセットあるいは五千円収納カセットに選択的に変更使用できる場合のどちらでもよい。
【０３６６】
【発明の効果】
以上説明したように本発明、特に請求項１に記載の発明によれば、紙幣送込み搬送通路、紙幣区分通路の各搬送手段および金種別繰込み・繰出し機構群を、入金モードにおける入金紙幣繰込み時には順方向に、入金モードにおける入金紙幣返却時および出金モード時には逆方向に駆動させるので、搬送系を入出金に共用することができ、搬送系の構成を著しく簡略化することができる。
また、機体の背部方向へ延びる紙幣送込み搬送通路の下方に上下に複数段に複数個の金種別収納カセットを配置し、そのうちの最上位の金種別収納カセット内、特に金種別紙幣収納部に対する前側位置に出金リジェクト紙幣収納部を設けたので  出金リジェクト紙幣の機体からの回収は最上位の金種別収納カセットを取り外せば簡単に取り出せ、回収がやりやすい。
【０３６７】
また請求項５に記載の発明によれば、機体前面側から直接機体に対して装着や取出しが行える一括収納カセットを設け、紙幣の運搬はこの一括収納カセットにより行うので、全ての金種別収納カセットを運ぶ場合に比べて紙幣の運搬がやりやすい。
【０３６８】
さらにまた、客先によっては一括収納カセットを金種別収納カセットに換えて使用したいと要求するところもあり、請求項１０に記載の発明によれば、一括収納カセットを用いる場合だけでなく、一括収納カセットを金種別収納カセットに切換えて使用することもでき、客先の幅広い要求に対応することができる。
【図面の簡単な説明】
【図１】本発明の一実施例の外観を示す斜視図。
【図２】本発明の第一実施例を示す縦断面図。
【図３】同、収納カセットの外観を示す斜視図。
【図４】同、収納カセットのシャッタが開いた状態時における関連機構の斜視図。
【図５】同、作動状態時の斜視図。
【図６】同、主要部の拡大斜視図。
【図７】同、作動状態時の拡大斜視図。
【図８】同、作動状態を示す縦断側面図。
【図９】同、作動状態を示す縦断側面図。
【図１０】同、作動状態を示す縦断側面図。
【図１１】同、作動状態を示す縦断側面図。
【図１２】同、制御ブロック図。
【図１３】本発明の第二、第三実施例を示す図２相当図。
【図１４】同、第二〜第四実施例の制御ブロック図。
【図１５】同、第四実施例の図２相当図。
【符号の説明】
１  機体
１ｃ  装着口
２  入金口
３  出金口
４  操作部
５（５１  ，５２  ，５３  ）  収納カセット
７，５６  キッカローラ
８，７７  フィードローラ
９  ゲートローラ
１０  繰込み手段
１１  紙幣送み搬送通路
１２  識別部
１３  紙幣区分通路
１４  入金リジェット紙幣搬送路
１５  放出紙幣収納部
１６  出金紙幣送出路
２４  オプション形式の機体
２５  表裏反転合流通路機構
２６  羽根車
２７  ベルト
２９ａ  非反転通路
２９ｂ  反転通路
３０  シャッタ
３４  外枠
３５  中間枠
３６  内枠
５１  規制
５３  端壁
５５  繰込み・繰出し機構としての繰込み・繰出し手段
６０，６５  カム
６８  ロック部材
８１  ルーズベルト
８３  押圧部材
【図１】
0003614465.tif 000002
【図２】
0003614465.tif 000003
【図３】
0003614465.tif 000004
【図４】
0003614465.tif 000005
【図５】
0003614465.tif 000006
【図６】
0003614465.tif 000007
【図７】
0003614465.tif 000008
【図８】
0003614465.tif 000009
【図９】
0003614465.tif 000010
【図１０】
0003614465.tif 000011
【図１１】
0003614465.tif 000012
【図１２】
0003614465.tif 000013
【図１３】
0003614465.tif 000014
【図１４】
0003614465.tif 000015
【図１５】
0003614465.tif 000016